(57)【要約】  本願は、車車間／路車間通信におけるデータ送信に関連する通信方法及び関連装置を提供する。方法は、以下を含む：端末装置は、アップリンクの第１パラメータ値とサイドリンクの第２パラメータ値とを取得し、端末装置は、第１パラメータ値と第２パラメータ値との間の比較に基づき、被送信アップリンクデータ又は被送信サイドリンクデータを送信することを決定する。本方法の実装を通じて、車車間／路車間通信における車載端末装置は、アップリンク及びサイドリンク送信要件をより良好に満たすことができる。
2021533690.tif 000002
【特許請求の範囲】
【請求項１】
端末装置で使用するための通信方法であって、
前記端末装置により、アップリンクの第１パラメータ値を取得するステップと、
前記端末装置により、サイドリンクの第２パラメータ値を取得するステップと、
前記端末装置により、前記第１パラメータ値と前記第２パラメータ値との間の比較に基づき、アップリンク媒体アクセス制御プロトコルデータユニット又はサイドリンク媒体アクセス制御プロトコルデータユニットを送信するステップと、
を含み、
前記アップリンクは、前記端末装置からネットワーク装置への方向の無線通信リンクであり、前記サイドリンクは、前記端末装置と別の端末装置との間の無線直接送信リンクである、方法。
【請求項２】
前記第１パラメータ値に対応する優先度が、前記第２パラメータ値に対応する優先度より低い又は等しいとき、前記端末装置により、前記サイドリンク媒体アクセス制御プロトコルデータユニットを送信する、又は、
前記第１パラメータ値に対応する優先度が、前記第２パラメータ値に対応する優先度より高い又は等しいとき、前記端末装置により、前記アップリンク媒体アクセス制御プロトコルデータユニットを送信する、
請求項１に記載の方法。
【請求項３】
前記第１パラメータ値は、前記アップリンク媒体アクセス制御プロトコルデータユニットを運ぶ少なくとも１つの論理チャネルの論理チャネル優先度値の中で、最高優先度を有する論理チャネル優先度値である、請求項１又は２に記載の方法。
【請求項４】
前記第２パラメータ値は、前記サイドリンク媒体アクセス制御プロトコルデータユニットを運ぶ少なくとも１つの論理チャネルの論理チャネル優先度値の中で、最高優先度を有する論理チャネル優先度値である、請求項１又は２に記載の方法。
【請求項５】
前記第１パラメータ値は、少なくとも１つのパラメータ値の中で最高優先度を有するパラメータ値であり、前記少なくとも１つのパラメータ値と前記アップリンク媒体アクセス制御プロトコルデータユニットを運ぶ少なくとも１つの論理チャネルの優先度との間にはマッピング関係がある、請求項１又は２に記載の方法。
【請求項６】
前記第２パラメータ値は、以下：前記サイドリンク媒体アクセス制御プロトコルデータユニットの少なくとも１つのＰｒｏＳｅパケット毎優先度値の中で最高優先度を有するＰｒｏＳｅパケット毎優先度値、又は前記サイドリンク媒体アクセス制御プロトコルデータユニットの少なくとも１つのＰｒｏＳｅパケット毎信頼度値の中で最高優先度を有するＰｒｏＳｅパケット毎信頼度値、のいずれかを含む、請求項１又は２に記載の方法。
【請求項７】
前記端末装置により、第１パラメータ値を取得する前記ステップは、
前記端末装置により、前記ネットワーク装置から第１情報を受信するステップであって、前記第１情報は前記第１パラメータ値を含む、ステップ、又は、
前記端末装置により、前記端末装置に格納された前記第１パラメータ値を読み出すステップ、
を含む、請求項１〜６のいずれか一項に記載の方法。
【請求項８】
端末装置で使用するための通信方法であって、
前記端末装置により、アップリンクの第１パラメータ値を取得するステップと、
前記端末装置により、サイドリンクの第２パラメータ値を取得するステップと、
前記端末装置により、前記第１パラメータ値と前記第２パラメータ値との間の比較に基づき、サイドリンクバッファ状態レポート媒体アクセス制御制御要素の送信優先度とアップリンクバッファ状態レポート媒体アクセス制御制御要素の送信優先度との間の関係を決定するステップと、
を含み、
前記アップリンクは、前記端末装置からネットワーク装置への方向の無線通信リンクであり、前記サイドリンクは、前記端末装置と別の端末装置との間の無線直接送信リンクである、方法。
【請求項９】
前記第１パラメータ値に対応する優先度が前記第２パラメータ値に対応する優先度より低い又は等しいとき、前記端末装置により、前記サイドリンクバッファ状態レポート媒体アクセス制御制御要素の前記送信優先度は、前記アップリンクバッファ状態レポート媒体アクセス制御制御要素の前記送信優先度より高いと決定する、又は、
前記第１パラメータ値に対応する優先度が前記第２パラメータ値に対応する優先度より高い又は等しいとき、前記端末装置により、前記サイドリンクバッファ状態レポート媒体アクセス制御制御要素の前記送信優先度は、前記アップリンクバッファ状態レポート媒体アクセス制御制御要素の前記送信優先度より低いと決定する、
請求項８に記載の方法。
【請求項１０】
前記第１パラメータ値は、前記アップリンクバッファ状態レポート媒体アクセス制御制御要素をトリガする少なくとも１つの論理チャネルの論理チャネル優先度値の中で、最高優先度を有する論理チャネル優先度値である、請求項８又は９に記載の方法。
【請求項１１】
前記第２パラメータ値は、前記サイドリンクバッファ状態レポート媒体アクセス制御制御要素をトリガする少なくとも１つの論理チャネルの論理チャネル優先度値の中で最高優先度を有する論理チャネル優先度値である、請求項８又は９に記載の方法。
【請求項１２】
前記第１パラメータ値は、少なくとも１つのパラメータ値の中で最高優先度を有するパラメータ値であり、前記少なくとも１つのパラメータ値と前記サイドリンクバッファ状態レポート媒体アクセス制御制御要素をトリガする少なくとも１つの論理チャネルの論理チャネル優先度との間にはマッピング関係がある、請求項８又は９に記載の方法。
【請求項１３】
前記第２パラメータ値は、以下：前記サイドリンクバッファ状態レポート媒体アクセス制御制御要素をトリガする被送信サイドリンクデータの少なくとも１つのＰｒｏＳｅパケット毎優先度値の中で最高優先度を有するＰｒｏＳｅパケット毎優先度値、又は前記サイドリンクバッファ状態レポート媒体アクセス制御制御要素をトリガする被送信サイドリンクデータの少なくとも１つのＰｒｏＳｅパケット毎信頼度値の中で最高優先度を有するＰｒｏＳｅパケット毎信頼度値、のいずれかを含む、請求項８又は９に記載の方法。
【請求項１４】
前記端末装置により、第１パラメータ値を取得する前記ステップは、
前記端末装置により、前記ネットワーク装置から第１情報を受信するステップであって、前記第１情報は前記第１パラメータ値を含む、ステップ、又は、
前記端末装置により、前記端末装置に格納された前記第１パラメータ値を読み出すステップ、
を含む、請求項８〜１３のいずれか一項に記載の方法。
【請求項１５】
端末装置で使用するための通信方法であって、
前記端末装置により、最高送信優先度を有する、第１規格の第１リンクを決定するステップと、
前記端末装置により、最高送信優先度を有する、第２規格の第２リンクを決定するステップと、
前記端末装置により、前記第１リンク及び前記第２リンクの中で最高送信優先度を有する第３リンクを決定するステップと、
前記端末装置により、前記第３リンクを介してデータを送信するステップと、
を含む方法。
【請求項１６】
前記端末装置により、最高送信優先度を有する、第１規格の第１リンクを決定する前記ステップは、
前記端末装置により、前記第１規格のアップリンクの送信優先度が、前記第１規格のサイドリンクの送信優先度より高い又は等しいとき、前記第１規格の前記アップリンクを前記第１リンクとして決定するステップ、又は、
前記端末装置により、前記第１規格のアップリンクの送信優先度が前記第１規格の前記サイドリンクの送信優先度より低い又は等しいとき、前記第１規格のサイドリンクを前記第１リンクとして決定するステップと、
を含む、請求項１５に記載の方法。
【請求項１７】
前記端末装置により、最高送信優先度を有する、第２規格の第２リンクを決定する前記ステップは、
前記端末装置により、前記第２規格のアップリンクの送信優先度が、前記第２規格のサイドリンクの送信優先度より高い又は等しいとき、前記第２規格の前記アップリンクを前記第２リンクとして決定するステップ、又は、
前記端末装置により、前記第２規格のアップリンクの送信優先度が前記第２規格のサイドリンクの送信優先度より低い又は等しいとき、前記第２規格の前記サイドリンクを前記第２リンクとして決定するステップ、
を含む、請求項１５又は１６に記載の方法。
【請求項１８】
前記端末装置により、前記第１リンクの前記送信優先度が前記第２リンクの前記送信優先度より高い又は等しいとき、前記第１リンクを前記第３リンクとして決定するステップ、又は、
前記端末装置により、前記第１リンクの前記送信優先度が前記第２リンクの前記送信優先度より低い又は等しいとき、前記第２リンクを前記第３リンクとして決定するステップ、
を含む請求項１５〜１７のいずれか一項に記載の方法。
【請求項１９】
端末装置であって、
アップリンクの第１パラメータ値及びサイドリンクの第２パラメータ値を取得するよう構成される取得モジュールと、
前記第１パラメータ値と前記第２パラメータ値との間の比較に基づき、送信モジュールにアップリンク媒体アクセス制御プロトコルデータユニット又はサイドリンク媒体アクセス制御プロトコルデータユニットを送信させるよう構成される処理モジュールと、
を含み、
前記アップリンクは、前記端末装置からネットワーク装置への方向の無線通信リンクであり、前記サイドリンクは、前記端末装置と別の端末装置との間の無線直接送信リンクである、端末装置。
【請求項２０】
前記取得モジュールは、前記ネットワーク装置から第１情報を受信するよう更に構成され、前記第１情報は前記第１パラメータ値を含み、又は、
前記端末装置は、前記第１パラメータ値を格納するよう構成される記憶モジュールを更に含む、請求項１９に記載の端末装置。
【請求項２１】
前記処理モジュールは、前記第１パラメータ値に対応する優先度が、前記第２パラメータ値に対応する優先度より低い又は等しいとき、前記送信モジュールに、前記サイドリンク媒体アクセス制御プロトコルデータユニットを送信させるよう更に構成される、又は、
前記処理モジュールは、前記第１パラメータ値に対応する優先度が、前記第２パラメータ値に対応する優先度より高い又は等しいとき、前記送信モジュールに、前記アップリンク媒体アクセス制御プロトコルデータユニットを送信させるよう更に構成される、
請求項１９又は２０に記載の端末装置。
【請求項２２】
前記第１パラメータ値は、前記アップリンク媒体アクセス制御プロトコルデータユニットを運ぶ少なくとも１つの論理チャネルの論理チャネル優先度値の中で、最高優先度を有する論理チャネル優先度値である、請求項１９又は２０に記載の方法。
【請求項２３】
前記第２パラメータ値は、前記サイドリンク媒体アクセス制御プロトコルデータユニットを運ぶ少なくとも１つの論理チャネルの論理チャネル優先度値の中で、最高優先度を有する論理チャネル優先度値である、請求項１９又は２０に記載の方法。
【請求項２４】
前記第１パラメータ値は、少なくとも１つのパラメータ値の中で最高優先度を有するパラメータ値であり、前記少なくとも１つのパラメータ値と前記アップリンク媒体アクセス制御プロトコルデータユニットを運ぶ少なくとも１つの論理チャネルの優先度との間にはマッピング関係がある、請求項１９又は２０に記載の端末装置。
【請求項２５】
前記第２パラメータ値は、以下：前記サイドリンク媒体アクセス制御プロトコルデータユニットの少なくとも１つのＰｒｏＳｅパケット毎優先度値の中で最高優先度を有するＰｒｏＳｅパケット毎優先度値、又は前記サイドリンク媒体アクセス制御プロトコルデータユニットの少なくとも１つのＰｒｏＳｅパケット毎信頼度値の中で最高優先度を有するＰｒｏＳｅパケット毎信頼度値、のいずれかを含む、請求項１９又は２０に記載の端末装置。
【請求項２６】
端末装置であって、
アップリンクの第１パラメータ値及びサイドリンクの第２パラメータ値を取得するよう構成される取得モジュールと、
前記第１パラメータ値と前記第２パラメータ値との間の比較に基づき、サイドリンクバッファ状態レポート媒体アクセス制御制御要素の送信優先度とアップリンクバッファ状態レポート媒体アクセス制御制御要素の送信優先度との間の関係を決定するよう構成される処理モジュールと、
を含み、
第１規格のサイドリンク及び第２規格のサイドリンクは、それぞれ、前記端末装置と別の端末装置との間の無線直接送信リンクである、端末装置。
【請求項２７】
前記取得モジュールは、ネットワーク装置から第１情報を受信するよう更に構成され、前記第１情報は前記第１パラメータ値を含み、又は、
前記端末装置は、前記第１パラメータ値を格納するよう構成される記憶モジュールを更に含む、請求項２６に記載の端末装置。
【請求項２８】
前記処理モジュールは、前記第１パラメータ値に対応する優先度が前記第２パラメータ値に対応する優先度より低い又は等しいとき、前記サイドリンクバッファ状態レポート媒体アクセス制御制御要素の前記送信優先度は、前記アップリンクバッファ状態レポート媒体アクセス制御制御要素の前記送信優先度より高いと決定するよう構成される、又は、
前記処理モジュールは、前記第１パラメータ値に対応する優先度が前記第２パラメータ値に対応する優先度より高い又は等しいとき、前記サイドリンクバッファ状態レポート媒体アクセス制御制御要素の前記送信優先度は、前記アップリンクバッファ状態レポート媒体アクセス制御制御要素の前記送信優先度より低いと決定するよう構成される、
請求項２６又は２７に記載の端末装置。
【請求項２９】
前記第１パラメータ値は、前記アップリンクバッファ状態レポート媒体アクセス制御制御要素をトリガする少なくとも１つの論理チャネルの論理チャネル優先度値の中で、最高優先度を有する論理チャネル優先度値である、請求項２６又は２７に記載の端末装置。
【請求項３０】
前記第２パラメータ値は、前記サイドリンクバッファ状態レポート媒体アクセス制御制御要素をトリガする少なくとも１つの論理チャネルの論理チャネル優先度値の中で最高優先度を有する論理チャネル優先度値である、請求項２６又は２７に記載の端末装置。
【請求項３１】
前記第１パラメータ値は、少なくとも１つのパラメータ値の中で最高優先度を有するパラメータ値であり、前記少なくとも１つのパラメータ値と前記サイドリンクバッファ状態レポート媒体アクセス制御制御要素をトリガする少なくとも１つの論理チャネルの論理チャネル優先度との間にはマッピング関係がある、請求項２６又は２７に記載の端末装置。
【請求項３２】
前記第２パラメータ値は、以下：前記サイドリンクバッファ状態レポート媒体アクセス制御制御要素をトリガする被送信サイドリンクデータの少なくとも１つのＰｒｏＳｅパケット毎優先度値の中で最高優先度を有するＰｒｏＳｅパケット毎優先度値、又は前記サイドリンクバッファ状態レポート媒体アクセス制御制御要素をトリガする被送信サイドリンクデータの少なくとも１つのＰｒｏＳｅパケット毎信頼度値の中で最高優先度を有するＰｒｏＳｅパケット毎信頼度値、のいずれかを含む、請求項２６又は２７に記載の端末装置。
【請求項３３】
端末装置であって、
最高送信優先度を有する、第１規格の第１リンクと、最高送信優先度を有する、第２規格の第２リンクと、を決定するよう構成される処理モジュールであって、前記処理モジュールは、前記第１リンク及び前記第２リンクの中で最高送信優先度を有する第３リンクを決定するよう更に構成される、処理モジュールと、
前記第３リンクを介してデータを送信するよう構成される送信モジュールと、
を含む端末装置。
【請求項３４】
前記処理モジュールが、前記最高送信優先度を有する、前記第１規格の前記第１リンクを決定することは、
前記処理モジュールが、具体的に、前記第１規格のアップリンクの送信優先度が、前記第１規格のサイドリンクの送信優先度より高い又は等しいとき、前記第１規格の前記アップリンクを前記第１リンクとして決定するよう構成されること、又は、
前記処理モジュールが、具体的に、前記第１規格のアップリンクの送信優先度が前記第１規格のサイドリンクの送信優先度より低い又は等しいとき、前記第１規格の前記サイドリンクを前記第１リンクとして決定するよう構成されること、
を含む、請求項３３に記載の端末装置。
【請求項３５】
前記処理モジュールが、前記最高送信優先度を有する、前記第２規格の前記第２リンクを決定することは、
前記処理モジュールが、具体的に、前記第２規格のアップリンクの送信優先度が、前記第２規格のサイドリンクの送信優先度より高い又は等しいとき、前記第２規格の前記アップリンクを前記第２リンクとして決定するよう構成されること、又は、
前記処理モジュールが、具体的に、前記第２規格のアップリンクの送信優先度が前記第２規格のサイドリンクの送信優先度より低い又は等しいとき、前記第２規格の前記サイドリンクを前記第２リンクとして決定するよう構成されること、
を含む、請求項３３又は３４に記載の端末装置。
【請求項３６】
前記処理モジュールは、具体的に、前記第１リンクの前記送信優先度が前記第２リンクの前記送信優先度より高い又は等しいとき、前記第１リンクを前記第３リンクとして決定するよう構成される、又は、
前記処理モジュールは、具体的に、前記第１リンクの前記送信優先度が前記第２リンクの前記送信優先度より低い又は等しいとき、前記第２リンクを前記第３リンクとして決定するよう構成される、
請求項３３〜３５のいずれか一項に記載の端末装置。
【請求項３７】
通信機器であって、前記通信機器は、
少なくとも１つのプロセッサであって、前記少なくとも１つのプロセッサにおいてプログラム命令が実行されて、請求項１〜１８のいずれか一項に記載の方法を実施する、少なくとも１つのプロセッサを含む通信機器。
【請求項３８】
システムチップであって、前記システムチップは、端末装置又はネットワーク装置において使用され、前記システムチップは、
少なくとも１つのプロセッサであって、前記少なくとも１つのプロセッサにおいてプログラム命令が実行されて、請求項１〜１８のいずれか一項に記載の方法を実施する、少なくとも１つのプロセッサを含むシステムチップ。
【請求項３９】
コンピュータ記憶媒体であって、前記コンピュータ記憶媒体は、端末装置又はネットワーク装置において使用され、前記コンピュータ可読記憶媒体はプログラム命令を格納し、前記プログラム命令が実行されると、請求項１〜１８のいずれか一項に記載の方法が実施される、コンピュータ記憶媒体。
【請求項４０】
コンピュータプログラムプロダクトであって、前記コンピュータプログラムプロダクトはプログラム命令を含み、前記プログラム命令が実行されると、請求項１〜１８のいずれか一項に記載の方法が実施される、コンピュータプログラムプロダクト。
【発明の詳細な説明】
【技術分野】
【０００１】
本願は、参照により全体がここに組み込まれる、中国特許出願番号２０１８１０９１２２５４．９号、中国国家知識産権局に２０１８年８月１０日に出願、名称「COMMUNICATION  METHOD  AND  RELATED  DEVICE」の優先権を主張する。
【０００２】
本願は、通信技術の分野に関し、特に、車車間／路車間通信におけるデータ送信優先度に関連する通信方法及び関連装置に関する。
【背景技術】
【０００３】
車車間／路車間通信Ｖ２Ｘ（vehicle  to  X）は、高度道路交通システムの主要技術であり、モノのインターネットシステムの中で最も大きな産業上の可能性のある及び市場の需要が最も明確な分野のうちの１つと考えられ、幅広い用途、大きな産業上の可能性、及び大きな社会的利益を特徴とし、自動車及び情報通信産業の革新及び発展を促進し、新たなモデル及び新たな形式の自動車及び輸送サービスを構築し、自律走行技術の革新及び適用を促進し、並びに輸送効率及び安全性を向上するために非常に重要である。車間／路車間通信は、一般的に、車載センサ及び車載端末装置を通じて車両情報を提供することにより、車車間（vehicle  to  vehicle,  V２V）、路車間（vehicle  to  infrastructure,  V２I）、車−ネットワーク間（Vehicle  to  Network,  V２N）、及び車−歩行者間（vehicle  to  pedestrian,  V２P）通信を実施する通信ネットワークを表す。
【０００４】
例えば、本願では、ネットワーク装置と第１端末装置との間の無線通信インタフェースは、Ｕｕインタフェースとして定められてよい。Ｕｕインタフェースに基づく第１端末装置とネットワーク装置との間のアップリンク通信のための無線通信リンクは、アップリンク（Uplink,  UL）として定められてよい。第１端末装置と第２端末装置との間の無線直接通信インタフェースは、ＰＣ５インタフェースとして定められてよい。ＰＣ５インタフェースに基づく第１端末装置と第２端末装置との間の直接通信のための通信リンクは、サイドリンク（sidelink,  SL）として定められてよい。本願におけるＵｕインタフェースは、ＬＴＥ標準、ＮＲ標準、等の通信システムにおけるＵｕインタフェースであってよく、無線インタフェースと呼ばれてよい。本願におけるＰＣ５インタフェースは、ＬＴＥ標準、ＮＲ標準、等の通信システムにおけるＰＣ５インタフェースであってよい。
【０００５】
Ｖ２Ｘシナリオでは、第１端末装置又は第２端末装置は、車両装置であってよく、ネットワーク装置は、基地局のような無線アクセスネットワーク装置であってよい。超高信頼低遅延通信（Ultra-Reliable  and  Low-Latency  Communication,  URLLC）サービスがＵｕインタフェース上に存在するとき（例えば、交通事故が発生した後に、運転手及び乗客が意識を失い電話を掛けられず、車両装置が基地局への自動緊急通報サービスを報告する）、現在のメカニズムでは、ＳＬ及びＵＬ上での遅延及び信頼性要件のようなデータ送信要件は、バランスを取ることができない。別の例では、異なるリンク上のサービス間の送信衝突が、現在のメカニズムではいずれも解決できない。
【発明の概要】
【０００６】
既存のメカニズムでは端末装置は、サイドリンクのＰＰＰＰ閾値を取得し、次に、閾値を端末装置のサイドリンク媒体アクセス制御プロトコルデータユニットの最高優先度を有するＰＰＰＰ値と比較する。最高優先度を有するＰＰＰＰ値に対応する優先度が、閾値に対応する優先度より高い場合、端末装置は、サイドリンク媒体アクセス制御プロトコルデータユニットを優先的に送信する。或いは、ＰＰＰＰ値に対応する優先度が、閾値に対応する優先度より低い場合、端末装置は、アップリンク媒体アクセス制御プロトコルデータユニットを優先的に送信する。この方法では、ＵＬ及びＳＬの送信優先度シーケンスは、サイドリンク送信要件と閾値との間の比較にのみ基づき決定され、既存の問題は以下を含む：端末装置により取得された閾値に対応する優先度が非常に低いとき、ＳＬデータ送信要件が犠牲にされる。端末装置により取得された閾値に対応する優先度が非常に高いとき、端末装置は、ＳＬ上でデータを頻繁に送信し、ＵＬデータ送信要件が犠牲にされる。従って、遅延及び信頼性要件のような、ＳＬ及びＵＬデータ送信要件のバランスをどのように取るかが、緊急に解決されるべき問題である。
【０００７】
更に、既存のメカニズムでは、Ｕｕインタフェース上のアップリンク論理チャネル上の被送信データ（Ｕｕ論理チャネルデータ、ＵｕＬＣＨデータ）の優先度は、サイドリンクバッファ状態レポート媒体アクセス制御制御要素（sidelink  buffer  status  report  media  access  control    element,  SL  BSR  MAC  CE）の優先度より低く、ＳＬ  ＢＳＲ  ＭＡＣ  ＣＥの優先度は、アップリンクバッファ状態レポート媒体アクセス制御制御要素（uplink  buffer  status  report  media  access  control    element,  UL  BSR  MAC  CE）の優先度より低い。この方法では、ＵｕＬＣＨデータ、ＳＬ  ＢＳＲ  ＭＡＣ  ＣＥ、及びＵＬ  ＢＳＲ  ＭＡＣ  ＣＥの優先度シーケンスは、現在のメカニズムにおける優先度シーケンスとして指定され、以下の問題が存在する：例えば、端末装置が、送信リソースを取得するために、端末装置の、ＳＬを介して送信されるべきサービスについて、バッファ状態（Buffer  status,  BS）情報を、ＳＬ  ＢＳＲ  ＭＡＣ  ＣＥを通じてネットワーク装置に報告する必要のあるとき、端末装置は、送信リソースを取得するために、端末装置の、ＵＬを介して送信されるべきアップリンクサービスについても、ＢＳ情報を、ＵＬ  ＢＳＲ  ＭＡＣ  ＣＥを通じてネットワーク装置に報告する必要がある。この場合、ＳＬを介して送信されるサービスが非常に高い優先度を有する場合でも、端末装置は、サービスのＢＳ情報が優先的にレポートされることを保証できない。別の例では、非常に高い優先度を有するサービス、例えばＵＲＬＬＣサービスが、ＵＬを介してネットワーク装置へ送信されるべきであり、バッファ状態（Buffer  status,  BS）情報が、送信リソースを取得するために、端末装置の、ＳＬを介して送信されるべきサービスについて、ＳＬ  ＢＳＲ  ＭＡＣ  ＣＥを通じてネットワーク装置へレポートされる必要のある場合、端末装置は、ＵＬを介して送信されるべき、非常に高い優先度を有するサービス、例えばＵＲＬＬＣサービスが、優先的にレポートされることを保証できない。
【０００８】
この観点から、本願の実施形態は、ＳＬ及びＵＬデータ送信要件の両者のバランスを取るための、通信方法及び関連装置を提供する。
【０００９】
第１の態様によると、本願は、通信方法を提供する。例えば、方法は以下を含む：第１端末装置は、アップリンクの論理チャネルの第１パラメータ値を取得する。第１端末装置は、サイドリンクの第２パラメータ値を取得する。第１端末装置は、第１パラメータ値と第２パラメータ値との間の比較に基づき、以下：アップリンク媒体アクセス制御プロトコルデータユニット、サイドリンク媒体アクセス制御プロトコルデータユニット、サイドリンクバッファ状態レポート媒体アクセス制御制御要素、又はアップリンクバッファ状態レポート媒体アクセス制御制御要素、のうちの任意の１つを送信する。ここで、アップリンクは、第１端末装置からネットワーク装置への方向の無線通信リンクであり、サイドリンクは、第１端末装置と第２端末装置との間の無線送信リンクである。本ソリューションの実装を通じて、第１パラメータ値により表されるアップリンク送信要件は、第２パラメータ値により表されるサイドリンク送信要件と比較される。例示的な有利な効果は以下を含む：アップリンク媒体アクセス制御プロトコルデータユニット及びサイドリンク媒体アクセス制御プロトコルデータユニットの優先度の送信、及びサイドリンクバッファ状態レポート媒体アクセス制御制御要素及びアップリンクバッファ状態レポート媒体アクセス制御制御要素の優先度の送信は、より正確に決定できる。その結果、遅延及び信頼性要件のようなＵＬ及びＳＬ送信要件のバランスが取れる。第１の態様を参照して、第１の態様の実現可能な設計では、第１端末装置が第１パラメータ値を取得することは、以下を含む：第１端末装置は、第１情報をネットワーク装置から受信し、第１情報は第１パラメータ値を含む。任意的に、第１情報は、アップリンクの論理チャネルの優先度を更に含んでよい。例えば、第１情報は、ネットワーク装置により第１端末装置へ送信された無線リソース制御再構成メッセージであってよい。或いは、第１情報は、ネットワーク装置により第１端末装置へ送信された無線リソース制御再構成メッセージ内で運ばれる情報であってよい。この設計では、例示的な有利な効果は以下を含む：第１パラメータ値は、ネットワーク側装置により設定され、端末装置へ送信されてよく、ネットワーク側は、実際の状況に基づき第１パラメータ値を構成してよい。
【００１０】
第１の態様を参照して、第１の態様の実現可能な設計では、第１端末装置が第１パラメータ値を取得することは、以下を含む：第１端末装置は、第１端末装置に格納された第１パラメータ値を読み出す。
【００１１】
この設計では、例示的な有利な効果は以下を含む：第１パラメータ値は、端末装置に予め格納されてよく、別の装置を通じて取得される必要がない。これは、装置間のシグナリングのオーバヘッドを低減する。
【００１２】
第１の態様を参照して、第１の態様の実現可能な設計では、第１端末装置が、第１パラメータ値と第２パラメータ値との間の比較に基づき、以下：アップリンク媒体アクセス制御プロトコルデータユニット、サイドリンク媒体アクセス制御プロトコルデータユニット、サイドリンクバッファ状態レポート媒体アクセス制御制御要素、又はアップリンクバッファ状態レポート媒体アクセス制御制御要素、のうちの任意の１つを送信することは、以下の２つのケースを含む。
【００１３】
第１のケースは以下を含む：第１パラメータ値に対応する優先度が、第２パラメータ値に対応する優先度より低い又は等しいとき、第１端末装置は、以下：サイドリンク媒体アクセス制御プロトコルデータユニット又はサイドリンクバッファ状態レポート媒体アクセス制御制御要素のうちのいずれかを送信する。
【００１４】
第２のケースは以下を含む：第１パラメータ値に対応する優先度が、第２パラメータ値に対応する優先度より高いとき、第１端末装置は、以下：アップリンク媒体アクセス制御プロトコルデータユニット又はアップリンクバッファ状態レポート媒体アクセス制御制御要素のうちのいずれかを送信する。
【００１５】
この設計では、例示的な有利な効果は以下を含む：アップリンク及びサイドリンク送信優先度を決定するための端末装置の、第１パラメータ値及び第２パラメータ値を用いて効果的な決定を行う方法が提供される。
【００１６】
第１の態様を参照して、第１の態様の実現可能な設計では、第１パラメータ値は、少なくとも１つのパラメータ値の中で最高優先度を有するパラメータ値であり、少なくとも１つのパラメータ値と被送信データの存在する少なくとも１つのアップリンク論理チャネルの優先度との間にはマッピング関係がある。この設計では、第２パラメータ値は、被送信データの存在する少なくとも１つのアップリンクの論理チャネルの中で最高優先度を有する論理チャネルに対応するパラメータ値と比較され、例示的な有利な効果は以下を含む：比較結果は、被送信アップリンク及びサイドリンクデータの送信優先度を、より正確に反映できる。
【００１７】
第１の態様を参照して、第１の態様の実現可能な設計では、第２パラメータ値は、以下：被送信サイドリンクデータの少なくとも１つのＰｒｏＳｅパケット毎優先度値の中で最高優先度を有するＰｒｏＳｅパケット毎優先度値、又は被送信サイドリンクデータの少なくとも１つのＰｒｏＳｅパケット毎信頼度値の中で最高優先度を有するＰｒｏＳｅパケット毎信頼度値、のいずれかを含む。この設計では、比較結果は、被送信アップリンク及びサイドリンクデータの送信優先度を、より正確に反映できる。
【００１８】
第２の態様によると、本願は、以下を含む通信方法を提供する：第１端末装置は、第１規格のサイドリンクの第３パラメータ値を取得する。第１端末装置は、第１規格のサイドリンクの送信パラメータ閾値を取得する。第１端末装置は、第３パラメータ値と送信パラメータ閾値との間の比較に基づき、以下：第１規格のサイドリンク媒体アクセス制御プロトコルデータユニット又は第２規格のサイドリンク媒体アクセス制御プロトコルデータユニットのうちのいずれかを送信する。ここで、第１規格のサイドリンク及び第２規格のサイドリンクは、それぞれ、第１端末装置と第２端末装置との間の無線通信リンクである。この設計では、第３パラメータ値により表される第１規格のサイドリンク送信要件は、送信パラメータ閾値と比較され、例示的な有利な効果は以下を含む：第１規格のサイドリンク媒体アクセス制御プロトコルデータユニット及び第２規格のサイドリンク媒体アクセス制御プロトコルデータユニットの優先度の送信が決定できる。その結果、異なる規格のサイドリンクの遅延及び信頼性要件のようなデータ送信要件は、バランスが取れる。
【００１９】
第２の態様を参照して、第２の態様の実現可能な設計では、第１端末装置が送信パラメータ閾値を取得することは、以下を含む：第１端末装置は、第２情報をネットワーク装置から受信し、第２情報は送信パラメータ閾値を含む。この設計では、例示的な有利な効果は以下を含む：送信パラメータ閾値は、ネットワーク側装置により設定され、端末装置へ送信されてよく、ネットワーク側は、実際の状況に基づき送信パラメータ閾値を構成してよい。
【００２０】
第２の態様を参照して、第２の態様の実現可能な設計では、第１端末装置が送信パラメータ閾値を取得することは、以下を含む：第１端末装置は、第１端末装置に格納された送信パラメータ閾値を読み出す。この設計では、例示的な有利な効果は以下を含む：送信パラメータ閾値は、端末装置に予め格納されてよく、別の装置を通じて取得される必要がない。これは、装置間のシグナリングのオーバヘッドを低減する。
【００２１】
第２の態様を参照して、第２の態様の実現可能な設計では、第１端末装置が、第３パラメータ値と送信パラメータ閾値との間の比較に基づき、以下：第１規格のサイドリンク媒体アクセス制御プロトコルデータユニット又は第２規格のサイドリンク媒体アクセス制御プロトコルデータユニットのうちのいずれかを送信することは、以下の２つのケースを含んでよい。
【００２２】
第１のケースは以下を含む：第３パラメータ値に対応する優先度が、送信パラメータ閾値に対応する優先度より高いとき、第１端末装置は、第１規格のサイドリンク媒体アクセス制御プロトコルデータユニットを送信する。
【００２３】
第２のケースは以下を含む：第３パラメータ値に対応する優先度が、送信パラメータ閾値に対応する優先度より低い又は等しいとき、第１端末装置は、第２規格のサイドリンク媒体アクセス制御プロトコルデータユニットを送信する。
【００２４】
第２の態様を参照して、第２の態様の実現可能な設計では、第１規格のサイドリンクの送信パラメータ閾値は、以下：第１規格のサイドリンク媒体アクセス制御プロトコルデータユニットのＰｒｏＳｅパケット毎優先度閾値、又は第１規格のサイドリンク媒体アクセス制御プロトコルデータユニットのＰｒｏＳｅパケット毎信頼度閾値、のうちのいずれかを含む。この設計では、例示的な有利な効果は以下を含む：アップリンク及びサイドリンク送信優先度を決定するための端末装置の、第３パラメータ値及び送信パラメータ閾値を用いて効果的な決定を行う方法が提供される。
【００２５】
第２の態様を参照して、第２の態様の実現可能な設計では、第３パラメータ値は、以下：第１規格のサイドリンク媒体アクセス制御プロトコルデータユニットの少なくとも１つのＰｒｏＳｅパケット毎優先度値の中で最高優先度を有するＰｒｏＳｅパケット毎優先度値、又は第１規格のサイドリンク媒体アクセス制御プロトコルデータユニットの少なくとも１つのＰｒｏＳｅパケット毎信頼度値の中で最高優先度を有するＰｒｏＳｅパケット毎信頼度値、のいずれかを含む。
【００２６】
第２の態様及び第２の態様の設計のうちのいずれか１つで提供されるソリューションによると、異なる規格のサイドリンク上でのデータ送信で衝突が生じるとき、優先的に送信される規格のサイドリンク上の被送信データが決定できる。言い換えると、被送信データを送信するために優先的に使用される規格のサイドリンクが決定でき、その結果、異なる規格のサイドリンクの遅延及び信頼性要件のようなデータ送信要件のバランスが取れる。
【００２７】
第３の態様によると、本願は、以下を含む通信方法を提供する：第１端末装置は、アップリンクの論理チャネルの優先度閾値とサイドリンクの送信パラメータ閾値とを取得する。第１端末装置は、アップリンクの第４パラメータ値とサイドリンクの第２パラメータ値とを取得する。第１端末装置は、第４パラメータ値と優先度閾値との間の比較、及び第２パラメータ値と送信パラメータ閾値との間の比較に基づき、以下：サイドリンクバッファ状態レポート媒体アクセス制御制御要素、又はアップリンク媒体アクセス制御プロトコルデータユニット、のうちのいずれかを送信する。ここで、アップリンクは、第１端末装置からネットワーク装置への方向の無線通信リンクであり、サイドリンクは、第１端末装置と第２端末装置との間の無線送信リンクである。この設計では、第２パラメータ値により表されるサイドリンク送信要件は送信パラメータ閾値と比較され、第４パラメータ値により表されるアップリンク送信要件は優先度閾値と比較され、２つの比較結果が、アップリンク及びサイドリンク送信要件を決定するために使用され、例示的な有利な効果は以下を含む：アップリンクバッファ状態レポート媒体アクセス制御制御要素及びサイドリンクバッファ状態レポート媒体アクセス制御制御要素の優先度の送信、及びアップリンク媒体アクセス制御プロトコルデータユニット及びサイドリンクバッファ状態レポート媒体アクセス制御制御要素の優先度の送信は、より正確に決定できる。その結果、遅延及び信頼性要件のようなアップリンク及びサイドリンクデータ送信要件のバランスが取れる。
【００２８】
第３の態様を参照して、第３の態様の実現可能な設計では、第１端末装置が、アップリンクの論理チャネルの優先度閾値と、サイドリンクの送信パラメータ閾値とを取得することは、以下を含む：第１端末装置は、ネットワーク装置から情報を受信する。ここで、情報は、サイドリンクの送信パラメータ閾値、及びアップリンクの論理チャネルの優先度閾値を含んでよい。任意的に、情報は、サイドリンクの送信パラメータ値、及びアップリンクの論理チャネルの優先度を含む。例えば、情報は、ネットワーク装置により第１端末装置へ送信された無線リソース制御再構成メッセージ内で運ばれてよい。この設計では、例示的な有利な効果は以下を含む：優先度閾値及び送信パラメータ閾値は、ネットワーク側装置により設定され、端末装置へ送信されてよく、ネットワーク側は、実際の状況に基づき優先度閾値及び送信パラメータ閾値を構成してよい。
【００２９】
第３の態様を参照して、第３の態様の実現可能な設計では、第１端末装置が、アップリンクの論理チャネルの優先度閾値と、サイドリンクの送信パラメータ閾値とを取得することは、以下を含む：第１端末装置は、第１端末装置に格納された優先度閾値及び送信パラメータ閾値を読み出す。この設計では、例示的な有利な効果は以下を含む：優先度閾値及び送信パラメータ閾値は、端末装置に予め格納されてよく、別の装置を通じて取得される必要がない。これは、装置間のシグナリングのオーバヘッドを低減する。
【００３０】
第３の態様を参照して、第３の態様の実現可能な設計では、第１端末装置が、第４パラメータ値と優先度閾値との間の比較、及び第２パラメータ値と送信パラメータ閾値との間の比較に基づき、以下：サイドリンクバッファ状態レポート媒体アクセス制御制御要素、又はアップリンク媒体アクセス制御プロトコルデータユニット、のうちのいずれかを送信することは、以下の２つのケースを含む。
【００３１】
第１のケースは以下を含む：第２パラメータ値に対応する優先度が、送信パラメータ閾値に対応する優先度より高く、第４パラメータ値に対応する優先度が、優先度閾値より低いとき、第１端末装置は、サイドリンクバッファ状態レポート媒体アクセス制御制御要素を送信する。
【００３２】
第２のケースは以下を含む：第２パラメータ値に対応する優先度が、送信パラメータ閾値に対応する優先度より高く、第４パラメータ値に対応する優先度が、優先度閾値に対応する優先度より高いとき、第１端末装置は、アップリンク媒体アクセス制御プロトコルデータユニットを送信する。
【００３３】
第３の態様を参照して、第３の態様の実現可能な設計では、サイドリンクの送信パラメータは、以下：被送信サイドリンクデータのＰｒｏＳｅパケット毎優先度、又は被送信サイドリンクデータのＰｒｏＳｅパケット毎信頼度、のいずれかを含む。
【００３４】
第３の態様を参照して、第３の態様の実現可能な設計では、第４パラメータ値は、被送信データの存在する少なくとも１つのアップリンク論理チャネルの優先度の中で最高優先度である。
【００３５】
第３の態様を参照して、第３の態様の実現可能な設計では、第２パラメータ値は、以下：被送信サイドリンクデータの少なくとも１つのＰｒｏＳｅパケット毎優先度値の中で最高優先度を有するＰｒｏＳｅパケット毎優先度値、又は被送信サイドリンクデータの少なくとも１つのＰｒｏＳｅパケット毎信頼度値の中の最低ＰｒｏＳｅパケット毎信頼度値、のいずれかを含む。
【００３６】
第３の態様及び第３の態様の設計のうちのいずれか１つで提供されたソリューションによると、アップリンクバッファ状態レポート媒体アクセス制御制御要素及びサイドリンクバッファ状態レポート媒体アクセス制御制御要素の優先度の送信、及びアップリンク媒体アクセス制御プロトコルデータユニット及びサイドリンクバッファ状態レポート媒体アクセス制御制御要素の優先度の送信は、より正確に決定できる。これは、アップリンクバッファ状態レポート媒体アクセス制御制御要素が、サイドリンクバッファ状態レポート媒体アクセス制御制御要素の前に送信されるというルール、及びサイドリンクバッファ状態レポート媒体アクセス制御制御要素がアップリンク媒体アクセス制御プロトコルデータユニットの前に送信されるというルールの欠点を克服し、アップリンクバッファ状態レポート媒体アクセス制御制御要素及びアップリンク媒体アクセス制御プロトコルデータユニットの遅延及び信頼性要件のような送信要件のバランスが取れる。
【００３７】
第４の態様によると、本願は、以下を含む通信方法を提供する：第１端末装置は、アップリンク媒体アクセス制御プロトコルデータユニットの第８パラメータ値を取得する。第１端末装置は、サイドリンクの第２パラメータ値を取得する。第１端末装置は、第８パラメータ値と第２パラメータ値との間の比較に基づき、以下：アップリンク媒体アクセス制御プロトコルデータユニット、サイドリンク媒体アクセス制御プロトコルデータユニット、サイドリンクバッファ状態レポート媒体アクセス制御制御要素、又はアップリンクバッファ状態レポート媒体アクセス制御制御要素、のうちの任意の１つを送信する。ここで、アップリンクは、第１端末装置からネットワーク装置への方向の無線通信リンクであり、サイドリンクは、第１端末装置と第２端末装置との間の無線送信リンクである。この設計では、第２パラメータ値により表されるサイドリンク送信要件は、第８パラメータ値により表されるアップリンク送信要件と比較される。例示的な有利な効果は以下を含む：アップリンク及びサイドリンク送信優先度は、より正確に決定でき、遅延及び信頼性要件のようなＵＬ及びＳＬ送信要件のバランスが取れる。
【００３８】
第４の態様を参照して、第４の態様の実現可能な設計では、第１端末装置が第８パラメータ値を取得することは、以下を含む：第１端末装置は、情報をネットワーク装置から受信し、情報は第８パラメータ値を含む。任意的に、情報は、アップリンク媒体アクセス制御プロトコルデータユニットの優先度レベル値を更に含む。情報は、ネットワーク装置により第１端末装置へ送信された無線リソース制御再構成メッセージ内で運ばれてよい。この設計では、例示的な有利な効果は以下を含む：第８パラメータ値は、ネットワーク側装置により設定され、端末装置へ送信されてよく、ネットワーク側は、実際の状況に基づき第８パラメータ値を構成してよい。
【００３９】
第４の態様を参照して、第４の態様の実現可能な設計では、第１端末装置が第８パラメータ値を取得することは、以下を含む：第１端末装置は、第１端末装置に格納された第８パラメータ値を読み出す。この設計では、例示的な有利な効果は以下を含む：第８パラメータ値は、端末装置に予め格納されてよく、別の装置を通じて取得される必要がない。これは、装置間のシグナリングのオーバヘッドを低減する。
【００４０】
第４の態様を参照して、第４の態様の実現可能な設計では、第１端末装置が、第８パラメータ値と第２パラメータ値との間の比較に基づき、以下：アップリンク媒体アクセス制御プロトコルデータユニット又はサイドリンク媒体アクセス制御プロトコルデータユニットのうちのいずれかを送信することは、以下の２つのケースを含む。
【００４１】
第１のケースは以下を含む：第８パラメータ値に対応する優先度が、第２パラメータ値に対応する優先度より低い又は等しいとき、第１端末装置は、サイドリンク媒体アクセス制御プロトコルデータユニットを送信する。
【００４２】
第２のケースは以下を含む：第８パラメータ値に対応する優先度が、第２パラメータ値に対応する優先度より高いとき、第１端末装置は、アップリンク媒体アクセス制御プロトコルデータユニットを送信する。
【００４３】
第４の態様を参照して、第４の態様の実現可能な設計では、第８パラメータ値は、少なくとも１つのパラメータ値の中で最高優先度を有するパラメータ値であり、少なくとも１つのパラメータ値とアップリンク媒体アクセス制御プロトコルデータユニットの少なくとも１つの優先度レベル値との間にはマッピング関係がある。
【００４４】
第４の態様を参照して、第４の態様の実現可能な設計では、第２パラメータ値は、以下：被送信サイドリンクデータの少なくとも１つのＰｒｏＳｅパケット毎優先度値の中で最高優先度を有するＰｒｏＳｅパケット毎優先度値、又は被送信サイドリンクデータの少なくとも１つのＰｒｏＳｅパケット毎信頼度値の中で最高優先度を有するＰｒｏＳｅパケット毎信頼度値、のいずれかを含む。この設計では、例示的な有利な効果は以下を含む：アップリンク及びサイドリンク送信優先度を決定するための端末装置の、第８パラメータ値及び第２パラメータ値を用いて効果的な決定を行う方法が提供される。
【００４５】
第５の態様によると、本願は、以下を含む通信方法を提供する：第１端末装置は、第１規格のサイドリンクの第３パラメータ値を取得する。第１端末装置は、第２規格のサイドリンクの第９パラメータ値を取得する。第１端末装置は、第３パラメータ値と第９パラメータ値との間の比較に基づき、以下：第１規格のサイドリンク媒体アクセス制御プロトコルデータユニット又は第２規格のサイドリンク媒体アクセス制御プロトコルデータユニットのうちのいずれかを送信する。ここで、サイドリンクは、それぞれ、第１端末装置と第２端末装置との間の無線送信リンクである。
【００４６】
第５の態様を参照して、第５の態様の実現可能な設計では、第１端末装置が、第３パラメータ値と第９パラメータ値との間の比較に基づき、以下：第１規格のサイドリンク媒体アクセス制御プロトコルデータユニット又は第２規格のサイドリンク媒体アクセス制御プロトコルデータユニットのうちのいずれかを送信することは、以下の２つのケースを含む。
【００４７】
第１のケースは以下を含む：第３パラメータ値に対応する優先度が、第９パラメータ値に対応する優先度より低い又は等しいとき、第１端末装置は、第２規格のサイドリンク媒体アクセス制御プロトコルデータユニットを送信する。
【００４８】
第２のケースは以下を含む：第３パラメータ値に対応する優先度が、第９パラメータ値に対応する優先度より高いとき、第１端末装置は、第１規格のサイドリンク媒体アクセス制御プロトコルデータユニットを送信する。
【００４９】
第５の態様を参照して、第５の態様の実現可能な設計では、第３パラメータ値は、以下：第１規格のサイドリンク媒体アクセス制御プロトコルデータユニットの少なくとも１つのＰｒｏＳｅパケット毎優先度値の中で最高優先度を有するＰｒｏＳｅパケット毎優先度値、又は第１規格のサイドリンク媒体アクセス制御プロトコルデータユニットの少なくとも１つのＰｒｏＳｅパケット毎信頼度値の中で最高優先度を有するＰｒｏＳｅパケット毎信頼度値、のいずれかを含む。
【００５０】
第５の態様を参照して、第５の態様の実現可能な設計では、第９パラメータ値は、以下：第２規格のサイドリンク媒体アクセス制御プロトコルデータユニットの少なくとも１つのＰｒｏＳｅパケット毎優先度値の中で最高優先度を有するＰｒｏＳｅパケット毎優先度値、又は第２規格のサイドリンク媒体アクセス制御プロトコルデータユニットの少なくとも１つのＰｒｏＳｅパケット毎信頼度値の中で最高優先度を有するＰｒｏＳｅパケット毎信頼度値、のいずれかを含む。
【００５１】
第６の態様によると、本願は、以下を含む通信方法を提供する：第１端末装置は、第１規格のサイドリンクの第３パラメータ値を取得する。第１端末装置は、第２規格のサイドリンクの第１０パラメータ値を取得する。第１端末装置は、第３パラメータ値と第１０パラメータ値との間の比較に基づき、以下：第１規格のサイドリンク媒体アクセス制御プロトコルデータユニット又は第２規格のサイドリンク媒体アクセス制御プロトコルデータユニットのうちのいずれかを送信する。ここで、サイドリンクは、それぞれ、第１端末装置と第２端末装置との間の無線送信リンクである。
【００５２】
第６の態様を参照して、第６の態様の実現可能な設計では、第１端末装置が第１０パラメータ値を取得することは、以下を含む：第１端末装置は、情報をネットワーク装置から受信し、情報は第１０パラメータ値を含む。任意的に、情報は、第２規格のサイドリンク媒体アクセス制御プロトコルデータユニットの優先度レベル値を更に含んでよい。例えば、情報は、ネットワーク装置により第１端末装置へ送信された無線リソース制御再構成メッセージ内で運ばれてよい。
【００５３】
第６の態様を参照して、第６の態様の実現可能な設計では、第１端末装置が第１０パラメータ値を取得することは、以下を含む：第１端末装置は、第１端末装置に格納された第１０パラメータ値を読み出す。
【００５４】
第６の態様を参照して、第６の態様の実現可能な設計では、第１端末装置が、第３パラメータ値と第１０パラメータ値との間の比較に基づき、以下：第１規格のサイドリンク媒体アクセス制御プロトコルデータユニット又は第２規格のサイドリンク媒体アクセス制御プロトコルデータユニットのうちのいずれかを送信することは、以下の２つのケースを含む。
【００５５】
第１のケースは以下を含む：第３パラメータ値に対応する優先度が、第１０パラメータ値に対応する優先度より低い又は等しいとき、第１端末装置は、第１規格のサイドリンク媒体アクセス制御プロトコルデータユニットを送信する。
【００５６】
第２のケースは以下を含む：第３パラメータ値に対応する優先度が、第１０パラメータ値に対応する優先度より高いとき、第１端末装置は、第２規格のサイドリンク媒体アクセス制御プロトコルデータユニットを送信する。
【００５７】
第６の態様を参照して、第６の態様の実現可能な設計では、第１０パラメータ値は、少なくとも１つのパラメータ値の中で最高優先度を有するパラメータ値であり、少なくとも１つのパラメータ値と第２規格のサイドリンク媒体アクセス制御プロトコルデータユニットの少なくとも１つの優先度レベル値との間にはマッピング関係がある。
【００５８】
第６の態様を参照して、第６の態様の実現可能な設計では、第３パラメータ値は、以下：第１規格のサイドリンク媒体アクセス制御プロトコルデータユニットの少なくとも１つのＰｒｏＳｅパケット毎優先度値の中で最高優先度を有するＰｒｏＳｅパケット毎優先度値、又は第１規格のサイドリンク媒体アクセス制御プロトコルデータユニットの少なくとも１つのＰｒｏＳｅパケット毎信頼度値の中で最高優先度を有するＰｒｏＳｅパケット毎信頼度値、のいずれかを含む。
【００５９】
第７の態様によると、本願は、通信方法を提供する。第１端末装置は、第２無線インタフェース上のサイドリンク媒体アクセス制御プロトコルデータユニットのＰｒｏＳｅパケット毎優先度、第１無線インタフェース上のアップリンク媒体アクセス制御プロトコルデータユニットの優先度レベル値、及び第１無線インタフェース上のアップリンク媒体アクセス制御プロトコルデータユニットを運ぶ論理チャネルの優先度を取得し、以下を含む：第１端末装置は、ネットワーク装置から情報を受信する。情報は、ＰｒｏＳｅパケット毎優先度と優先度レベル値との第１結合優先度、又はＰｒｏＳｅパケット毎優先度と優先度との第２結合優先度、を定めるために使用されてよい。第１端末装置は、第１結合優先度又は第２結合優先度に基づき、アップリンク媒体アクセス制御プロトコルデータユニット又はサイドリンク媒体アクセス制御プロトコルデータユニットを優先的に送信する。ここで、アップリンクは、第１無線インタフェースに基づく通信リンクであり、サイドリンクは、第２無線インタフェースに基づく通信リンクであり、第１無線インタフェースは、第１端末装置とネットワーク装置との間の通信インタフェースであり、第２無線インタフェースは、第１端末装置と第２端末装置との間の通信インタフェースである。
【００６０】
第８の態様によると、本願は、以下を含む通信方法を提供する：第１端末装置は、ネットワーク装置から情報を受信する。情報は、第２無線インタフェースのサービス品質（quality  of  service,  QoS）パラメータテーブルを定義するために使用されてよい。テーブルは、少なくとも第５世代モバイル通信システムＱｏＳパラメータ指示（５th  Generation  QoS  indicator,  ５QI）値、優先度レベル値、及び優先度を含む。第１端末装置は、サイドリンク媒体アクセス制御プロトコルデータユニットの優先度レベル値と第１無線インタフェース上の優先度レベル値との間の比較、又はサイドリンク媒体アクセス制御プロトコルデータユニットの優先度と第１無線インタフェース上の優先度との間の比較に基づき、アップリンク媒体アクセス制御プロトコルデータユニット又はサイドリンク媒体アクセス制御プロトコルデータユニットを優先的に送信する。ここで、アップリンクは、第１無線インタフェースに基づく通信リンクであり、サイドリンクは、第２無線インタフェースに基づく通信リンクであり、第１無線インタフェースは第１端末装置とネットワーク装置との間の通信インタフェースであり、第２無線インタフェースは第１端末装置と第２端末装置との間の通信インタフェースである。
【００６１】
第９の態様によると、本願は、以下を含む通信方法を提供する：第１端末装置は、ネットワーク装置から情報を受信する。情報は、第２無線インタフェース上の第５世代モバイル通信システムＱｏＳパラメータ指示（５th  generation  QoS  indicator,  ５QI）及び第１無線インタフェース上の５ＱＩの優先度シーケンスを定義するために使用されてよい。第１端末装置は、優先度シーケンスの中で、アップリンク媒体アクセス制御プロトコルデータユニット又はサイドリンク媒体アクセス制御プロトコルデータユニットを優先的に送信する。ここで、アップリンクは、第１無線インタフェースに基づく通信リンクであり、サイドリンクは、第２無線インタフェースに基づく通信リンクであり、第１無線インタフェースは、第１端末装置とネットワーク装置との間の通信インタフェースであり、第２無線インタフェースは、第１端末装置と第２端末装置との間の通信インタフェースである。
【００６２】
第１０の態様によると、本願は、通信方法を提供する。第１端末装置は、第１無線インタフェース上のサービスの種類を取得し、以下を含む：第１端末装置は、ネットワーク装置から情報を受信する。情報は、第１無線インタフェース上の第１種類サービスを提供するために使用され、第１種類サービスは、第２無線インタフェース及び第１無線インタフェース上のサービスの中で最高優先度を有する。第１端末装置は、第１種類サービスを優先的に送信する。第１無線インタフェースは、第１端末装置とネットワーク装置との間の通信インタフェースであり、第２無線インタフェースは、第１端末装置と第２端末装置との間の通信インタフェースである。
【００６３】
第１１の態様によると、本願は、以下を含む通信方法を提供する：第１端末装置は、ネットワーク装置から情報を受信し、情報は、第１無線インタフェース上の各異なるサービスによりトリガされる各ランダムアクセスチャネル（Random  Access  Channel,  RACH）処理に対応するＲＡＣＨマッピング値を含み、サイドリンク媒体アクセス制御プロトコルデータユニットの最高ＰｒｏＳｅパケット毎優先度と被送信サービスによりトリガされるＲＡＣＨ処理に対応する優先度との間の関係を決定し、最高ＰｒｏＳｅパケット毎優先度がＲＡＣＨマッピング値に対応する優先度より高い場合、サイドリンク媒体アクセス制御プロトコルデータユニットを送信するか、又は、最高ＰｒｏＳｅパケット毎優先度値がＲＡＣＨマッピング値に対応する優先度より低い又は等しい場合、被送信アップリンクＲＡＣＨサービスを送信してよい。アップリンクは第１無線インタフェースに基づく通信リンクであり、サイドリンクは第２無線インタフェースに基づく通信リンクであり、第１無線インタフェースは、第１端末装置とネットワーク装置との間の通信インタフェースであり、第２無線インタフェースは、第１端末装置と第２端末装置との間の通信インタフェースである。
【００６４】
第１２の態様によると、本願は、以下を含む通信方法を提供する：第１端末装置は、ネットワーク装置から情報を受信する。情報は、第１端末装置に、サイドリンクバッファ状態レポート媒体アクセス制御制御要素の優先度がアップリンクバッファ状態レポート媒体アクセス制御制御要素の優先度と等しいことを示すために使用されてよく、アップリンクは、第１無線インタフェースに基づく通信リンクであり、サイドリンクは、第２無線インタフェースに基づく通信リンクであり、第１無線インタフェースは、第１端末装置とネットワーク装置との間の通信インタフェースであり、第２無線インタフェースは、第１端末装置と第２端末装置との間の通信インタフェースである。
【００６５】
第１２の態様を参照して、第１２の態様の実現可能な設計では、第１端末装置が、被送信データの存在する全部の論理チャネルのバッファ状態をネットワーク装置にレポートできないとき、第１端末装置はネットワーク装置から情報を受信する。情報は、ＰｒｏＳｅパケット毎優先度のＰｒｏＳｅパケット毎優先度閾値と優先度の優先度閾値とを提供するために使用されてよい。第１端末装置は、ＰｒｏＳｅパケット毎優先度がＰｒｏＳｅパケット毎優先度閾値より高いサイドリンク媒体アクセス制御プロトコルデータユニットを運ぶ論理チャネルのサイドリンクバッファ状態レポート媒体アクセス制御制御要素、及び優先度が優先度閾値より高いアップリンク媒体アクセス制御プロトコルデータユニットを運ぶ論理チャネルのアップリンクバッファ状態レポート媒体アクセス制御制御要素を優先的に送信する。
【００６６】
第１３の態様によると、本願は、以下を含む通信方法を提供する：第１端末装置は、ネットワーク装置から情報を受信する。情報は、優先度の優先度閾値を提供するために使用されてよく、優先度が優先度閾値より高いとき、第１装置は、アップリンク媒体アクセス制御プロトコルデータユニットの優先度をサイドリンクバッファ状態レポート媒体アクセス制御制御要素の優先度より高くなるよう調整し、その他の場合、第１装置は、アップリンク媒体アクセス制御プロトコルデータユニットの優先度をサイドリンクバッファ状態レポート媒体アクセス制御制御要素の優先度より低くなるよう調整し、ここで、アップリンクは、第１無線インタフェースに基づく通信リンクであり、サイドリンクは、第２無線インタフェースに基づく通信リンクであり、第１無線インタフェースは、第１端末装置とネットワーク装置との間の通信インタフェースであり、第２無線インタフェースは、第１端末装置と第２端末装置との間の通信インタフェースである。
【００６７】
本願は、第１端末装置を提供する。第１端末装置は、第１端末装置に関連する前述の態様及び態様の実装のうちのいずれか１つの第１端末装置により実行される方法のステップ、工程、又は動作を実行するよう構成される少なくとも１つの対応するユニットを含む。少なくとも１つのユニットは、第１端末装置により実行される方法のステップ、工程、又は動作と１対１対応で配置されてよい。これらのユニットは、コンピュータプログラムを用いて実装されてよく、ハードウェア回路を用いて実装されてよく、又はハードウェア回路と組み合わされてコンピュータプログラムを用いて実装されてよい。
【００６８】
例えば、第１４の態様によると、本願は、第１端末装置であって、サイドリンクの第１パラメータ値及び第２パラメータ値を取得するよう構成される取得モジュールと、
取得モジュールにより取得された第１パラメータ値と第２パラメータ値との間の比較に基づき、以下：
アップリンク媒体アクセス制御プロトコルデータユニット、サイドリンク媒体アクセス制御プロトコルデータユニット、サイドリンクバッファ状態レポート媒体アクセス制御制御要素、又はアップリンクバッファ状態レポート媒体アクセス制御制御要素、のうちの任意の１つを送信することを決定するよう構成される処理モジュールと、
以下：アップリンク媒体アクセス制御プロトコルデータユニット、サイドリンク媒体アクセス制御プロトコルデータユニット、サイドリンクバッファ状態レポート媒体アクセス制御制御要素、又はアップリンクバッファ状態レポート媒体アクセス制御制御要素、のうちの任意の１つを送信するよう構成される送信モジュールと、
を含み、アップリンクは第１端末装置からネットワーク装置への方向の無線通信リンクであり、サイドリンクは、第１端末装置と第２端末装置との間の無線送信リンクである、第１端末装置を提供する。
【００６９】
第１４の態様を参照して、第１４の態様の実現可能な設計では、第１端末装置は、取得モジュールが、ネットワーク装置から第１情報を受信するよう更に構成されることを含み、第１情報は第１パラメータ値を含む。任意的に、第１情報は、アップリンクの論理チャネルの優先度を更に含んでよい。例えば、第１情報は、ネットワーク装置により第１端末装置へ送信された無線リソース制御再構成メッセージであってよく、或いは、ネットワーク装置により第１端末装置へ送信された無線リソース制御再構成メッセージ内で運ばれる情報であってよい。
【００７０】
第１４の態様を参照して、第１４の態様の実現可能な設計では、第１端末装置は、第１パラメータ値を格納するよう構成される記憶モジュールを含む。
【００７１】
第１４の態様を参照して、第１４の態様の実現可能な設計では、第１端末装置の処理モジュールは、第１パラメータ値に対応する優先度が第２パラメータ値に対応する優先度より低い又は等しいとき、送信モジュールを、以下：サイドリンク媒体アクセス制御プロトコルデータユニット又はサイドリンクバッファ状態レポート媒体アクセス制御制御要素のうちのいずれかを送信可能にするよう構成されるか、又は、第１端末装置の処理モジュールは、第１パラメータ値に対応する優先度が第２パラメータ値に対応する優先度より高いとき、送信モジュールを、以下：アップリンク媒体アクセス制御プロトコルデータユニット又はアップリンクバッファ状態レポート媒体アクセス制御制御要素のうちのいずれかを送信可能にするよう構成される。
【００７２】
第１４の態様を参照して、第１４の態様の実現可能な設計では、第１パラメータ値は、少なくとも１つのパラメータ値の中で最高優先度を有するパラメータ値であり、少なくとも１つのパラメータ値と被送信データの存在する少なくとも１つのアップリンク論理チャネルの優先度との間にはマッピング関係がある。
【００７３】
第１４の態様を参照して、第１４の態様の実現可能な設計では、第２パラメータ値は、以下：被送信サイドリンクデータの少なくとも１つのＰｒｏＳｅパケット毎優先度値の中で最高優先度を有するＰｒｏＳｅパケット毎優先度値、又は被送信サイドリンクデータの少なくとも１つのＰｒｏＳｅパケット毎信頼度値の中で最高優先度を有するＰｒｏＳｅパケット毎信頼度値、のいずれかを含む。
【００７４】
第１４の態様によると、本願は、第１端末装置であって、サイドリンクの第８パラメータ値及び第２パラメータ値を取得するよう構成される取得モジュールと、
取得モジュールにより取得された第８パラメータ値と第２パラメータ値との間の比較に基づき、アップリンク媒体アクセス制御プロトコルデータユニット又はサイドリンク媒体アクセス制御プロトコルデータユニットを送信することを決定するよう構成される処理モジュールと、
以下：アップリンク媒体アクセス制御プロトコルデータユニット又はサイドリンク媒体アクセス制御プロトコルデータユニットのうちのいずれかを送信するよう構成される送信モジュールと、
を含み、アップリンクは第１端末装置からネットワーク装置への方向の無線通信リンクであり、サイドリンクは、第１端末装置と第２端末装置との間の無線送信リンクである、第１端末装置を提供する。
【００７５】
第１５の態様を参照して、第１５の態様の実現可能な設計では、第１端末装置は、取得モジュールが、ネットワーク装置から情報を受信するよう更に構成されることを含み、情報は第８パラメータ値を含む。任意的に、情報は、アップリンク媒体アクセス制御プロトコルデータユニットの優先度レベル値を更に含んでよい。例えば、情報は、ネットワーク装置により第１端末装置へ送信された無線リソース制御再構成メッセージ内で運ばれてよい。
【００７６】
第１５の態様を参照して、第１５の態様の実現可能な設計では、第１端末装置は、第８パラメータ値を格納するよう構成される記憶モジュールを含む。
【００７７】
第１５の態様を参照して、第１５の態様の実現可能な設計では、第１端末装置の処理モジュールは、第８パラメータ値に対応する優先度が第２パラメータ値に対応する優先度より低い又は等しいとき、送信モジュールに、サイドリンク媒体アクセス制御プロトコルデータユニットを送信可能にするよう構成されるか、又は、第１端末装置の処理モジュールは、第８パラメータ値に対応する優先度が第２パラメータ値に対応する優先度より高いとき、送信モジュールに、アップリンク媒体アクセス制御プロトコルデータユニットを送信可能にするよう構成される。
【００７８】
第１５の態様を参照して、第１５の態様の実現可能な設計では、第８パラメータ値は、少なくとも１つのパラメータ値の中で最高優先度を有するパラメータ値であり、少なくとも１つのパラメータ値とアップリンク媒体アクセス制御プロトコルデータユニットの少なくとも１つの優先度レベル値との間にはマッピング関係がある。
【００７９】
第１５の態様を参照して、第１５の態様の実現可能な設計では、第２パラメータ値は、以下：被送信サイドリンクデータの少なくとも１つのＰｒｏＳｅパケット毎優先度値の中で最高優先度を有するＰｒｏＳｅパケット毎優先度値、又は被送信サイドリンクデータの少なくとも１つのＰｒｏＳｅパケット毎信頼度値の中で最高優先度を有するＰｒｏＳｅパケット毎信頼度値、のいずれかを含む。
【００８０】
第１６の態様によると、本願は、第１端末装置であって、アップリンクの論理チャネルの優先度閾値、サイドリンクの送信パラメータ閾値、アップリンクの第４パラメータ値、及びサイドリンクの第２パラメータ値を取得するよう構成される取得モジュールと、処理モジュールであって、取得モジュールにより取得された第４パラメータ値と優先度閾値との間の比較、及び取得モジュールにより取得された第２パラメータ値と送信パラメータ閾値との間の比較に基づき、サイドリンクバッファ状態レポート媒体アクセス制御制御要素又はアップリンク媒体アクセス制御プロトコルデータユニットを送信することを決定するよう構成され、以下：サイドリンクバッファ状態レポート媒体アクセス制御制御要素又はアップリンク媒体アクセス制御プロトコルデータユニットのうちのいずれかを送信するよう構成される、処理モジュールと、を含み、アップリンクは、第１端末装置からネットワーク装置への方向の無線通信リンクであり、サイドリンクは、第１端末装置と第２端末装置との間の無線送信リンクであり、サイドリンクの送信パラメータは、以下：被送信サイドリンクデータのＰｒｏＳｅパケット毎優先度値、又は被送信サイドリンクデータのＰｒｏＳｅパケット毎信頼度、のうちのいずれかを含む、第１端末装置を提供する。
【００８１】
第１６の態様を参照して、第１６の態様の実現可能な設計では、第１端末装置は、取得モジュールが、ネットワーク装置から情報を受信するよう更に構成されることを含み、情報はサイドリンクの送信パラメータ閾値とアップリンクの論理チャネルの優先度閾値とを含んでよい。任意的に、情報は、アップリンクの論理チャネルの優先度と、サイドリンクの送信パラメータ値と、を更に含む。例えば、情報は、ネットワーク装置により第１端末装置へ送信された無線リソース制御再構成メッセージ内で運ばれてよい。
【００８２】
第１６の態様を参照して、第１６の態様の実現可能な設計では、第１端末装置は、優先度閾値及び送信パラメータ閾値を格納するよう構成される記憶モジュールを含む。
【００８３】
第１６の態様を参照して、第１６の態様の実現可能な設計では、第１端末装置の処理モジュールは、第２パラメータ値に対応する優先度が送信パラメータ閾値より高く、第４パラメータ値に対応する優先度が優先度閾値より低いとき、送信モジュールを、サイドリンクバッファ状態媒体アクセス制御制御要素を送信可能にするよう構成されるか、又は、第１端末装置の処理モジュールは、第２パラメータ値に対応する優先度が送信パラメータ閾値に対応する優先度より高く、第４パラメータ値に対応する優先度が優先度閾値に対応する優先度より高いとき、送信モジュールを、アップリンク媒体アクセス制御プロトコルデータユニットを送信可能にするよう構成される。
【００８４】
第１６の態様を参照して、第１６の態様の実現可能な設計では、サイドリンクの送信パラメータは、以下：被送信サイドリンクデータのＰｒｏＳｅパケット毎優先度、又は被送信サイドリンクデータのＰｒｏＳｅパケット毎信頼度、のいずれかを含む。
【００８５】
第１６の態様を参照して、第１６の態様の実現可能な設計では、第４パラメータ値は、被送信データの存在する少なくとも１つのアップリンク論理チャネルの優先度の中で最高優先度である。
【００８６】
第１６の態様を参照して、第１６の態様の実現可能な設計では、第２パラメータ値は、以下：被送信サイドリンクデータの少なくとも１つのＰｒｏＳｅパケット毎優先度値の中で最高優先度を有するＰｒｏＳｅパケット毎優先度値、又は被送信サイドリンクデータの少なくとも１つのＰｒｏＳｅパケット毎信頼度値の中で最高優先度を有するＰｒｏＳｅパケット毎信頼度値、のいずれかを含む。
【００８７】
第１７の態様によると、本願は、第１端末装置であって、第１規格のサイドリンクの第３パラメータ値及び第１規格のサイドリンクの送信パラメータ閾値を取得するよう構成される取得モジュールと、
第３パラメータ値と送信パラメータ閾値との間の比較に基づき、以下：第１規格のサイドリンク媒体アクセス制御プロトコルデータユニット又は第２規格のサイドリンク媒体アクセス制御プロトコルデータユニットのうちのいずれかを送信することを決定するよう構成される処理モジュールと、
以下：第１規格のサイドリンク媒体アクセス制御プロトコルデータユニット又は第２規格のサイドリンク媒体アクセス制御プロトコルデータユニットのうちのいずれかを送信するよう構成される送信モジュールと、
を含み、第１規格のサイドリンク及び第２規格のサイドリンクは、それぞれ、第１端末装置と第２端末装置との間の無線送信リンクである、第１端末装置を提供する。
【００８８】
第１７の態様を参照して、第１７の態様の実現可能な設計では、取得モジュールは、ネットワーク装置から第２情報を受信するよう更に構成され、第２情報は送信パラメータ閾値を含み、又は、第１端末装置は、送信パラメータ閾値を格納するよう構成される記憶モジュールを更に含む。
【００８９】
第１７の態様を参照して、第１７の態様の実現可能な設計では、処理モジュールは、第３パラメータ値に対応する優先度が送信パラメータ閾値に対応する優先度より高いとき、送信モジュールを、第１規格のサイドリンク媒体アクセス制御プロトコルデータユニットを送信可能にするよう更に構成されるか、又は、処理モジュールは、第３パラメータ値に対応する優先度が送信パラメータ閾値に対応する優先度より低い又は等しいとき、送信モジュールを、第２規格のサイドリンク媒体アクセス制御プロトコルデータユニットを送信可能にするよう更に構成される。
【００９０】
第１７の態様を参照して、第１７の態様の実現可能な設計では、第１規格のサイドリンクの送信パラメータ閾値は、以下：第１規格のサイドリンク媒体アクセス制御プロトコルデータユニットのＰｒｏＳｅパケット毎優先度閾値、又は第１規格のサイドリンク媒体アクセス制御プロトコルデータユニットのＰｒｏＳｅパケット毎信頼度閾値、のうちのいずれかを含む。
【００９１】
第１７の態様を参照して、第１７の態様の実現可能な設計では、第３パラメータ値は、以下：第１規格のサイドリンク媒体アクセス制御プロトコルデータユニットの少なくとも１つのＰｒｏＳｅパケット毎優先度値の中で最高優先度を有するＰｒｏＳｅパケット毎優先度値、又は第１規格のサイドリンク媒体アクセス制御プロトコルデータユニットの少なくとも１つのＰｒｏＳｅパケット毎信頼度値の中で最高優先度を有するＰｒｏＳｅパケット毎信頼度値、のいずれかを含む。
【００９２】
本願は、ネットワーク装置を提供する。ネットワーク装置は、ネットワーク装置に関連する前述の態様及び態様の実装のうちのいずれか１つのネットワーク装置により実行される方法のステップ、工程、又は動作を実行するよう構成される少なくとも１つの対応するユニットを含む。少なくとも１つのユニットは、ネットワーク装置により実行される方法のステップ、工程、又は動作と１対１対応で配置されてよい。これらのユニットは、コンピュータプログラムを用いて実装されてよく、ハードウェア回路を用いて実装されてよく、又はハードウェア回路と組み合わされてコンピュータプログラムを用いて実装されてよい。
【００９３】
例えば、第１８の態様によると、本願は、ネットワーク装置であって、少なくとも、第１端末装置へ第１情報を送信するよう構成される送信モジュールを含み、第１情報は第１パラメータ値を含む、ネットワーク装置を提供する。任意的に、第１情報は、アップリンクの論理チャネルの優先度を更に含む。アップリンクは、第１端末装置からネットワーク装置への方向の無線通信リンクである。例えば、第１情報は、ネットワーク装置により第１端末装置へ送信された無線リソース制御再構成メッセージであってよく、或いは、ネットワーク装置により第１端末装置へ送信された無線リソース制御再構成メッセージ内で運ばれる情報であってよい。
【００９４】
第１８の態様を参照して、第１８の態様の実現可能な設計では、第１パラメータ値は、少なくとも１つのパラメータ値の中で最高優先度を有するパラメータ値であり、少なくとも１つのパラメータ値と被送信データの存在する少なくとも１つのアップリンク論理チャネルの優先度との間にはマッピング関係がある。
【００９５】
例えば、第１９の態様によると、本願は、ネットワーク装置であって、少なくとも、第１端末装置へ情報を送信するよう構成される送信モジュールを含み、情報は第８パラメータ値を含んでよい、ネットワーク装置を提供する。任意的に、情報は、アップリンク媒体アクセス制御プロトコルデータユニットの優先度レベル値を更に含む。アップリンクは、第１端末装置からネットワーク装置への方向の無線通信リンクである。例えば、情報は、ネットワーク装置により第１端末装置へ送信された無線リソース制御再構成メッセージ内で運ばれてよい。
【００９６】
第１９の態様を参照して、第１９の態様の実現可能な設計では、第８パラメータ値は、少なくとも１つのパラメータ値の中で最高優先度を有するパラメータ値であり、少なくとも１つのパラメータ値とアップリンク媒体アクセス制御プロトコルデータユニットの少なくとも１つの優先度レベル値との間にはマッピング関係がある。
【００９７】
例えば、第２０の態様によると、本願は、ネットワーク装置であって、少なくとも、第１端末装置へ情報を送信するよう構成される送信モジュールを含み、情報はサイドリンクの送信パラメータ閾値とアップリンクの論理チャネルの優先度閾値とを含んでよい、ネットワーク装置を提供する。任意的に、情報は、サイドリンクの送信パラメータ値、及び／又はアップリンクの論理チャネルの優先度を含む。アップリンクは、第１端末装置からネットワーク装置への方向の無線通信リンクであり、サイドリンクは、第１端末装置と第２端末装置との間の無線送信リンクである。例えば、情報は、ネットワーク装置により第１端末装置へ送信された無線リソース制御再構成メッセージ内で運ばれてよい。
【００９８】
第２１の態様を参照して、第２１の態様の実現可能な設計では、サイドリンクの送信パラメータは、以下：被送信サイドリンクデータのＰｒｏＳｅパケット毎優先度、又は被送信サイドリンクデータのＰｒｏＳｅパケット毎信頼度、のいずれかを含む。
【００９９】
例えば、第２１の態様によると、本願は、ネットワーク装置であって、少なくとも、第１端末装置へ第２情報を送信するよう構成される送信モジュールを含み、第２情報は第１規格のサイドリンクの送信パラメータ閾値を含む、ネットワーク装置を提供する。アップリンクは、第１端末装置からネットワーク装置への方向の無線通信リンクであり、サイドリンクは、第１端末装置と第２端末装置との間の無線送信リンクである。例えば、第２情報は、ネットワーク装置により第１端末装置へ送信された無線リソース制御再構成メッセージであってよく、或いは、第２情報は、ネットワーク装置により第１端末装置へ送信された無線リソース制御再構成メッセージ内である。
【０１００】
第２１の態様を参照して、第２１の態様の実現可能な設計では、第１規格のサイドリンクの送信パラメータ閾値は、以下：第１規格のサイドリンク媒体アクセス制御プロトコルデータユニットのＰｒｏＳｅパケット毎優先度閾値、又は第１規格のサイドリンク媒体アクセス制御プロトコルデータユニットのＰｒｏＳｅパケット毎信頼度閾値、のうちのいずれかを含む。
【０１０１】
第２２の態様によると、本願は、通信機器を提供する。通信機器は、少なくとも１つのプロセッサを含み、第１の態様〜第１３の態様及び第１の態様〜第１３の態様の設計のうちのいずれか１つによる方法における第１端末装置又はネットワーク装置の機能を実施するために、少なくとも１つのプロセッサでプログラム命令が実行される。任意的に、通信機器は、メモリを更に含んでよく、メモリは関連するプログラム命令を格納する。
【０１０２】
第２３の態様によると、本願は、システムチップを提供する。システムチップは、第１端末装置又はネットワーク装置内で使用される。システムチップは、少なくとも１つのプロセッサを含み、第１の態様〜第１３の態様及び第１の態様〜第１３の態様の設計のうちのいずれか１つによる方法における第１端末装置又はネットワーク装置の機能を実施するために、少なくとも１つのプロセッサでプログラム命令が実行される。任意的に、システムチップは、メモリを更に含んでよく、メモリは関連するプログラム命令を格納する。
【０１０３】
第２４の態様によると、本願は、コンピュータ記憶媒体を提供する。コンピュータ記憶媒体は、第１端末装置又はネットワーク装置内で使用される。コンピュータ可読記憶媒体はプログラム命令を格納する。プログラム命令が実行されると、第１の態様〜第１３の態様及び第１の態様〜第１３の態様の設計のうちのいずれか１つによる方法における第１端末装置又はネットワーク装置の機能が実施される。
【０１０４】
第２５の態様によると、本願は、コンピュータプログラムプロダクトを提供する。コンピュータプログラムプロダクトは、プログラム命令を含む。プログラム命令が実行されると、第１の態様〜第１３の態様及び第１の態様〜第１３の態様の設計のうちのいずれか１つによる方法における第１端末装置又はネットワーク装置の機能が実施される。
【０１０５】
第２６の態様によると、本願は、通信システムを提供する。システムは、以下：第１４の態様〜第２１の態様による第１端末装置又はネットワーク装置、第２２の態様による通信機器、第２３の態様によるシステムチップ、第２４の態様によるコンピュータ記憶媒体、又は第２５の態様によるコンピュータプログラムプロダクト、のうちの任意の１つ以上を含む。
【図面の簡単な説明】
【０１０６】
本願明細書に含まれ本願明細書の部分を構成する添付の図面は、本願明細書と共に、例示的な実施形態、又は本願の特徴及び態様を示し、本願の原理を説明するために使用される。明らかに、以下の説明において添付の図面は、単に本願の幾つかの実施形態を示し、当業者は、創造的労力を伴わずにこれらの添付の図面から他の図面を更に導出し得る。
【０１０７】
【図１】本願による通信システムの可能なネットワークアーキテクチャの図である。
【０１０８】
【図２】本願による通信システムの可能なネットワークアーキテクチャの図である。
【０１０９】
【図３Ａ】本願の一実施形態による通信方法の概略フローチャートである。
【図３Ｂ】本願の一実施形態による通信方法の概略フローチャートである。
【図４Ａ】本願の一実施形態による通信方法の概略フローチャートである。
【図４Ｂ】本願の一実施形態による通信方法の概略フローチャートである。
【図５】本願の一実施形態による通信方法の概略フローチャートである。
【図６】本願の一実施形態による通信方法の概略フローチャートである。
【図７】本願の一実施形態による通信方法の概略フローチャートである。
【図８Ａ】本願の一実施形態による通信方法の概略フローチャートである。
【図８Ｂ】本願の一実施形態による通信方法の概略フローチャートである。
【図９Ａ】本願の一実施形態による通信方法の概略フローチャートである。
【図９Ｂ】本願の一実施形態による通信方法の概略フローチャートである。
【図９Ｃ】本願の一実施形態による通信方法の概略フローチャートである。
【図９Ｄ】本願の一実施形態による通信方法の概略フローチャートである。
【図９Ｅ】本願の一実施形態による通信方法の概略フローチャートである。
【図１０Ａ】本願の一実施形態による通信方法の概略フローチャートである。
【図１０Ｂ】本願の一実施形態による通信方法の概略フローチャートである。
【図１０Ｃ】本願の一実施形態による通信方法の概略フローチャートである。
【図１０Ｄ】本願の一実施形態による通信方法の概略フローチャートである。
【図１１Ａ】本願の一実施形態による通信方法の概略フローチャートである。
【図１１Ｂ】本願の一実施形態による通信方法の概略フローチャートである。
【図１２】本願の一実施形態による通信方法の概略フローチャートである。
【図１３】本願の一実施形態による通信方法の概略フローチャートである。
【図１４】本願の一実施形態による通信方法の概略フローチャートである。
【図１５】本願の一実施形態による通信方法の概略フローチャートである。
【図１６】本願の一実施形態による通信方法の概略フローチャートである。
【図１７】本願の一実施形態による通信方法の概略フローチャートである。
【図１８Ａ】本願の一実施形態による通信方法の概略フローチャートである。
【図１８Ｂ】本願の一実施形態による通信方法の概略フローチャートである。
【０１１０】
【図１９】本願の一実施形態による端末装置の概略ブロック図である。
【０１１１】
【図２０】本願の一実施形態によるネットワーク装置の概略ブロック図である。
【０１１２】
【図２１】本願の一実施形態による通信機器の概略ブロック図である。
【０１１３】
【図２２】本願の一実施形態によるシステムチップの概略ブロック図である。
【発明を実施するための形態】
【０１１４】
以下は、添付の図面を参照して、本願の技術的ソリューションを説明する。
【０１１５】
更に、理解されるべきことに、本願の説明では、「第１」及び「第２」のような用語は、単に区別及び説明のために使用され、相対的な重要性の指示又は示唆として理解されることはできず、又は順序の指示又は示唆として理解されることはできない。本願において異なる番号を有する「第１情報」及び「第２情報」のような情報の番号は、単に、文脈上の便宜のために使用され、異なるシーケンス番号が特定の技術的意味を有するものではない。例えば、第１パラメータ値又は第２パラメータ値は、関連するパラメータ値のシリーズのうちの１つ又は任意の１つとして理解され得る。番号付けされた情報の機能は、例えば、番号付けされた情報のコンテキスト内容及び／又は番号付けされた情報の中で運ばれる情報の機能に基づき決定されてよい。特定の実装の間、異なる番号を有する情報は、同じ情報又は同じ種類の情報であってよいこと、異なる番号を有する情報は、同じメッセージ又は同じ種類のメッセージ内で運ばれてよいこと、又は異なる番号を有する情報が同じメッセージ又は同じ種類のメッセージであってよいこと、が理解され得る。これは、本願において限定されない。
【０１１６】
本願における用語「及び／又は」は、単に関連付けられたオブジェクトを説明するための関連付け関係を記述し、３つの関係が存在し得ることを表す。例えば、Ａ及び／又はＢは、以下の３つの場合を表してよい。Ａのみが存在する、Ａ及びＢの両方が存在する、並びに、Ｂのみが存在する。更に、本願明細書における文字「／」は、通常、関連付けられたオブジェクトの間の「又は」の関係を示す。
【０１１７】
本願における用語「含む」、「有する」、及び任意の他の変形は非排他的包含をカバーすることを意図し、例えば、ステップ又はユニットのリストを含む処理、方法、システム、プロダクト、又は装置は、必ずしも明確にリストされたそれらのステップ又はユニットに限定されず、明示的にリストされない又はそのような処理、方法、プロダクト、又は装置に固有である他のユニットを含んでよい。
【０１１８】
本願の実施形態の技術的ソリューションは、種々の通信システム、例えば、グローバルシステムフォーモバイルコミュニケーションズ（global  system  of  mobile  communications,  GSM）、符号分割多元接続（code  division  multiple  access,  CDMA）システム、広帯域符号分割多元接続（wideband  code  division  multiple  access,  WCDMA）システム、汎用パケット無線サービス（general  packet  radio  service,  GPRS）、ロングタームエボリューション（long  term  evolution,  LTE）システム、ＬＴＥ周波数分割復信（frequency  division  duplex,  FDD）システム、ＬＴＥ時分割復信（time  division  duplex,  TDD）システム、ユニバーサルモバイルテレコミュニケーションズシステム（universal  mobile  telecommunication  system,  UMTS）、ワールドワイドインターオペラビリティフォーマイクロウェーブアクセス（worldwide  interoperability  for  microwave  access,  WiMAX）通信システム、第５世代（５th  generation,  ５G）移動通信における新無線（new  radio,  NR）システム、及び移動通信サービスを提供するために使用され得る別のネットワークシステム内で使用されてよい。これは、ここでは限定されない。
【０１１９】
本願における第１規格のシステム及び第２規格のシステムは、２つの異なる規格の通信システムである。例えば、第１規格のシステムは、ロングタームエボリューション（long  term  evolution,  LTE）移動通信システムであってよく、第２規格のシステムは、第５世代（５th  generation,  ５G）移動通信システム又は新無線（new  radio,  NR）システムであってよい。勿論、代替として、第１規格のシステムは、第５世代（５th  generation,  ５G）移動通信システム又は新無線（new  radio,  NR）であり、第２規格のシステムはロングタームエボリューション（long  term  evolution,  LTE）移動通信システムである。これは、本願において限定されない。例えば、第１規格と第２規格との間の差は、少なくとも波形パラメータ、変調方式、帯域幅構成、無線フレーム構成モード、リソース多重化モード、及び符号化方式を含む。
【０１２０】
本願では、例えば、ＵＬインタフェース又はＵｕインタフェースは、ＬＴＥ又はＮＲのような規格の通信システムにおけるＵＬインタフェース又はＵｕインタフェースであってよい。ＳＬインタフェース又はＰＣ５インタフェースは、ＬＴＥ又はＮＲのような規格の通信システムにおけるＳＬインタフェース又はＰＣ５インタフェースであってよい。
【０１２１】
本願における端末装置は、通常、例えば、ネットワーク装置と通信する能力を有する装置であり、例えば、ユーザ機器（User  Equipment,  UE）、アクセス端末装置、加入者ユニット、加入者局、移動局、モバイルステーション、リモート局、リモート端末装置、モバイル装置、ユーザ端末装置、端末装置、無線端末装置、ユーザエージェント、又はユーザ機器であってよい。端末装置は、代替として、セルラフォン、コードレス電話機、セッション開始プロトコル（Session  Initiation  Protocol,  SIP）電話機、無線ローカルループ（Wireless  Local  Loop,  WLL）局、パーソナルデジタルアシスタント（Personal  Digital  Assistant,  PDA）、無線通信機能を備えるハンドヘルド装置、コンピューティング装置、無線モデムに接続された別の処理装置、車載装置、ウェアラブル装置、将来の５Ｇネットワークにおける端末装置、将来の進化型公衆地上モバイルネットワーク（Public  Land  Mobile  Network,  PLMN）における端末装置、車車間／路車間通信における車両装置、等であってよい。端末装置の特定の実装形式は、本願の実施形態で限定されない。
【０１２２】
本願におけるネットワーク装置は、通常、例えば、端末装置と通信するよう構成され得る装置である。ネットワーク装置は、グローバルシステムフォーモバイルコミュニケーションズ（Global  System  of  Mobile  communication,  GSM）システム又は符号分割多元接続（Code  Division  Multiple  Access,  CDMA）システムにおける基地トランシーバ局（Base  Transceiver  Station,  BTS）であってよく、又は広帯域符号分割多元接続（Wideband  Code  Division  Multiple  Access,  WCDMA）システムにおけるＮｏｄｅＢ（NodeB,  NB）であってよく、又はＬＴＥシステムにおける進化型ＮｏｄｅＢ（evolutional  NodeB,  eNB又はeNodeB）であってよく、又はクラウド無線アクセスネットワーク（Cloud  Radio  Access  Network,  CRAN）のシナリオにおける無線制御部であってよい。代替として、ネットワーク装置は、中継局、アクセスポイント、車載装置、ウェアラブル装置、将来の５ＧネットワークにおけるＮＲ  ＮｏｄｅＢ、ｇＮＢ若しくはｇＮｏｄｅＢ、制御ユニット（control  unit,  CU）、又は分散型ユニット（distribute  unit,  DU）のようなネットワーク装置、将来の進化型ＰＬＭＮネットワークにおけるネットワーク装置、等であってよい。ネットワーク装置の特定の実装形式は、本願の実施形態で限定されない。
【０１２３】
例えば、本願の実施形態における添付の図面中に破線によりマークされた特徴又はコンテンツは、実施形態の任意的動作又は任意的構造として理解され得る。
【０１２４】
例えば、図１〜図２２において、第１端末装置又は第２端末装置は、車両装置であってよく、ネットワーク装置は基地局であってよい。
【０１２５】
例えば、本願において提供される方法は、図１又は図２に示される通信システムで使用されてよい。システムが実行するとき、端末装置間の通信は、以下のケースを含んでよい。
【０１２６】
ケース１。端末装置は、ネットワーク装置のカバレッジ範囲内に存在し、端末装置はネットワーク装置による転送を通じて互いに通信する。図１に示すように、第１端末装置及び第２端末装置は、ネットワーク装置による転送を通じて互いに通信する。例えば、第１端末装置とネットワーク装置との間のアップリンク方向（矢印により示される）の通信リンクは、アップリンク（uplink,  UL）である、ネットワーク装置と第２端末装置との間のダウンリンク方向（矢印により示される）の通信リンクは、ダウンリンク（downlink,  DL）である、第１端末装置又は第２端末装置は、Ｕｕインタフェースを通じてネットワーク装置と無線通信を実行する。
【０１２７】
ＵＬは、ＵＬの異なる規格に基づき、第１規格ＵＬ又は第２規格ＵＬとして分類されてよい。第１規格ＵＬは、以下：波形パラメータ、変調方式、帯域幅構成、無線フレーム構成モード、リソース多重化モード、又は符号化方式、のうちの任意の１つ以上により、第２規格ＵＬと区別される。例えば、第１規格ＵＬは、ＬＴＥ移動通信システムにおけるＵＬであってよく、第２規格ＵＬは、５Ｇ移動通信システムにおけるＵＬ又はＮＲシステムにおけるＵＬであってよい。代替として、第１規格ＵＬは、５Ｇ移動通信システムにおけるＵＬであり、第２規格ＵＬは、ＬＴＥ移動通信システムにおけるＵＬである。
【０１２８】
ケース２。端末装置は、ネットワーク装置のカバレッジ範囲内に存在し、又はネットワーク装置のカバレッジ範囲内に存在せず、端末装置は互いに直接通信を実行する。図２に示すように、第１端末装置及び第２端末装置は、互いに直接通信を実行する。例えば、第１端末装置と第２端末装置との間の通信リンクは、サイドリンク（sidelink,  SL）であってよく、第１端末装置及び第２端末装置は、ＰＣ５インタフェースを通じて無線通信を実行する。
【０１２９】
ＳＬは、ＳＬの異なる規格に基づき、第１規格ＳＬ又は第２規格ＳＬとして分類されてよい。第１規格ＳＬは、以下：波形パラメータ、変調方式、帯域幅構成、無線フレーム構成モード、リソース多重化モード、又は符号化方式、のうちの任意の１つ以上により、第２規格ＳＬと区別される。例えば、第１規格ＳＬは、ＬＴＥ移動通信システムにおけるＳＬであってよく、第２規格ＳＬは、５Ｇ移動通信システムにおけるＳＬ又はＮＲシステムにおけるＳＬであってよい。代替として、第１規格ＳＬは、５Ｇ移動通信システムにおけるＳＬであり、第２規格ＳＬは、ＬＴＥ移動通信システムにおけるＳＬである。
【０１３０】
第１端末装置と第２端末装置との間の無線直接通信の処理は、ネットワーク装置により制御されてよい。例えば、端末装置は、ネットワーク装置のカバレッジ範囲内に存在し、ＳＬを介する端末装置同士の無線直接通信の処理は、ネットワーク装置により制御される。データ送信端としてサービスする第１端末装置は、ネットワーク装置により構成されたＳＬ通信リソース（これは、例えば、ネットワーク側へバッファ状態レポートＢＳＲを報告することにより端末装置により取得される）で、制御信号及びデータ信号を、データ受信端としてサービスする第２端末装置へ送信してよい。このモードは第３モード（mode  ３）であってよい。
【０１３１】
代替として、第１端末装置と第２端末装置との間の無線直接通信の処理は、ネットワーク装置により制御されなくてよい。例えば、端末装置は、ネットワーク装置のカバレッジ範囲内に存在し、ネットワーク装置は、システム情報ブロードキャスト（System  Information  Broadcast,  SIB）メッセージ又は専用無線リソース制御（Dedicated  Radio  Resource  Control,  Dedicated  RRC）シグナリングを通じて、端末装置のために端末装置のＳＬ通信リソースプールを構成する。データ送信端としてサービスする第１端末装置は、制御信号及びデータ信号を、データ受信端としてサービスする第２端末装置へ送信するために、端末装置のＳＬ通信リソースプールから、ＳＬ通信リソースを自律的に取得してよい。代替として、例えば、端末装置はネットワーク装置の通信カバレッジ範囲の外側に存在し、データ送信端としてサービスする第１端末装置は、制御信号及び／又はデータ信号を、データ受信端としてサービスする第２端末装置へ送信するために、予め構成された端末装置のＳＬ通信リソースプールから、サイドリンク通信リソースを自律的に取得する。例えば、第１端末装置は、制御信号及び／又はデータ信号を送信するために、端末装置のＳＬ通信リソースプールの中で適切な端末装置を検索するためにチャネルのビジー／アイドル状態を検出する。任意的に、装置ベンダは、第２端末装置が工場から出荷される前に、端末装置のＳＬ通信リソースプールを、第１端末装置に格納してよい。代替として、ネットワーク装置は、第１端末装置がネットワークにアクセスするとき、端末装置のＳＬ通信リソースプールを取得する。このモードは第４モード（mode  ４）であってよい。
【０１３２】
理解されるべきことに、図１及び図２は、ネットワークアーキテクチャの単なる例示的な図である。ネットワークアーキテクチャは、別のネットワーク要素装置又は機能ユニットを更に含む。これは、本願において限定されない。
【０１３３】
例えば、本願の実施形態では、第１規格ＳＬ及び第２規格ＳＬは、第１端末装置と第２端末装置との間の無線通信リンクであり、第１規格ＵＬ及び第２規格ＵＬは、第１端末装置とネットワーク装置との間の無線通信リンクである。言い換えると、第１規格ＳＬ、第１規格ＵＬ、第２規格ＳＬ、及び第２規格ＵＬを含む４種類の無線通信リンクが定義されてよい。本願におけるＳＬの送信パラメータは、以下：サイドリンク媒体アクセス制御プロトコルデータユニットのＰｒｏＳｅパケット毎優先度（ProSe  per  packet  priority,  PPPP）又はＰｒｏＳｅパケット毎信頼度（ProSe  per  packet  reliability,  PPPR）のうちのいずれかを含んでよく、ＳＬの送信パラメータは、以下：被送信データの存在するサイドリンク論理チャネルの優先度、又は被送信サイドリンクデータのＱｏＳ要件における優先度レベル（priority  level）のうちのいずれかを含む。
【０１３４】
例えば、本願の実施形態における通信方法は、車両装置のＵＬ及びＳＬ送信が時間及び周波数の両方において重なり合う（言い換えると、車両装置の媒体アクセス制御エンティティが、同時イントラ周波数ＵＬ及びＳＬ送信をサポートする）シナリオで使用されてよく、或いは、車両装置のＵＬ及びＳＬ送信が時間において重なり合い及び／又は周波数において重なり合わない（例えば、媒体アクセス制御エンティティが同時ＵＬ及びＳＬ送信をサポートする）シナリオで使用されてよい。この場合、本願の実施形態の実装は、例えば、より低い優先度のＵＬ又はＳＬの送信パワーを低減するために再利用されてよい。例えば、周波数は、異なる成分搬送波、又は同じ成分搬送波上の異なる周波数、又は同じ成分搬送波上の異なる帯域幅部分（Bandwidth  Part,  BWP）であってよい。
【０１３５】
例えば、本願では、ＰＰＰＰ値、優先度レベル値、優先度値、第１ＰＰＰＰ値マッピング値、第２ＰＰＰＰ値マッピング値、優先度レベルマッピング値、優先度マッピング値、及び第１パラメータ値〜第１２パラメータ値、のようなデータ送信優先度を表すために使用され得るパラメータについて、値が大きいほど低い優先度に対応してよく、値が小さいほど高い優先度に対応してよく、或いは、値が小さいほど低い優先度に対応してよく、値が大きいほど高い優先度に対応してよい。本願における「値」は、特定の値であってよく、相対的な値又は間接的な値であってよく、情報識別子であってよく、情報インデックスであってよい、等である。これは、ここでは限定されない。
【０１３６】
例えば、本願におけるＰＰＰＰはＰＰＰＲ又はＳＬ送信品質要件を反映する別のパラメータにより等価的に置き換えられてよい。例えば、本願におけるＰＰＰＲは、ＰＰＰＰにより置き換えられてよく、又はＰＰＰＰはＰＰＰＲにより置き換えられてよい。
【０１３７】
例えば、本願の実施形態におけるＳＬデータ又は被送信ＳＬデータは、ＳＬ媒体アクセス制御プロトコルデータユニット又はＳＬバッファ状態レポート媒体アクセス制御制御要素を含んでよく、本願の実施形態におけるＵＬデータ又は被送信ＵＬデータは、ＵＬ媒体アクセス制御プロトコルデータユニット又はＵＬバッファ状態レポート媒体アクセス制御制御要素を含んでよい。
【０１３８】
図３Ａは、本願の一実施形態による通信方法の概略フローチャートである。以下は、具体的に、図３Ａを参照して、本発明の本実施形態における技術的ソリューションを説明する。例えば、図３Ａに対応する通信方法は以下のステップを含む。
【０１３９】
動作３０１ａ。第１端末装置は、第１パラメータ値及び第２パラメータ値を取得する。
【０１４０】
例えば、第１パラメータ値は、被送信アップリンク媒体アクセス制御プロトコルデータユニットの存在する少なくとも１つの論理チャネルの優先度マッピング値の中で最高優先度を有する優先度マッピング値であってよい。例えば、第２パラメータ値は、被送信サイドリンク媒体アクセス制御プロトコルデータユニットの、最高優先度を有するＰＰＰＰ値であってよい。
【０１４１】
例えば、ネットワーク装置は、第１情報を第１端末装置へ送信してよく、第１情報は、第１端末装置の各ＵＬ論理チャネルの優先度値の優先度マッピング値を含んでよい。任意的に、第１情報は、第１端末装置の各ＵＬ論理チャネルの優先度（priority）を更に含んでよい。
【０１４２】
例えば、優先度マッピング値の値範囲は、ＰＰＰＰ値の値範囲と同じである。優先度値と優先度マッピング値との間の対応は、多対１対応であってよい。例えば、各優先度値は、１つの優先度マッピング値に対応し、異なる優先度値が同じ優先度マッピング値に対応してよい。例えば、優先度値が４である論理チャネルの優先度マッピング値は、ユニークに２に設定されてよい。例えば、優先度値が３である論理チャネルの優先度マッピング値も、ユニークに２に設定されてよい。例えば、優先度値の範囲が１〜１６に設定され、ＰＰＰＰ値の範囲が１〜８に設定される場合、優先度値、優先度マッピング値、及びＰＰＰＰ値の間の対応は、表１に示され得る。
表１
【表１】
2021533690.tif 000003
【０１４３】
留意すべきことに、表１は、単に優先度値、優先度マッピング値、及びＰＰＰＰ値との間の可能な対応を示す。これは、本願の本実施形態において限定されない。
【０１４４】
第１情報は、ネットワーク装置により、システム構成情報ブロック（System  information  block,  SIB）、残存最小システム情報（Remaining  Minimum  System  Information,  RMSI）、他のシステム情報（Other  System  Information,  OSI）、無線リソース制御（Radio  Resource  Control,  RRC）再構成メッセージ、ＲＲＣ構成メッセージ、又は媒体アクセス制御制御要素（Media  Access  Control  Control  Element,  MAC  CE）シグナリングを通じて、送信されてよい。任意的に、第１情報を運ぶＲＲＣ再構成メッセージは、表１の優先度値、優先度マッピング値、及びＰＰＰＰ値の間の少なくとも１つの対応を運んでよい。
【０１４５】
任意的に、装置ベンダは、第１端末装置が工場から出荷される前に、各優先度の優先度マッピング値を、第１端末装置に格納してよい。代替として、ネットワーク装置は、第１端末装置がネットワークにアクセスできるとき、各優先度の優先度マッピング値を、第１端末装置に予め構成してよい。
【０１４６】
任意的に、各優先度について構成された優先度マッピング値は、第１端末装置のために構成された優先度マッピング値又は第１端末装置が位置するセルのために構成された優先度マッピング値を上書きしてよい。例えば、第１端末装置が、第１端末装置の位置するセルのために構成された優先度マッピング値を有し、ネットワーク装置から各優先度について構成された優先度マッピング値を受信する場合、第１端末装置は、各優先度について構成された優先度マッピング値を、優先度マッピング値として選択する。例えば、第１端末装置が、各優先度について構成された優先度マッピング値を有し、第１端末装置の位置するセルのために構成された優先度マッピング値をネットワーク装置から受信する場合、第１端末装置は、依然として各優先度について構成された優先度マッピング値を、優先度マッピング値として選択する。
【０１４７】
動作３０２ａ。第１端末装置は、第１パラメータ値及び第２パラメータ値に対応する優先度の間の関係に基づき、ＵＬ媒体アクセス制御プロトコルデータユニット（Uplink  Media  Access  Control  Protocol  Data  Unit,  UL  MAC  PDU）又はＳＬ媒体アクセス制御プロトコルデータユニット（Sidelink  Media  Access  Control  Protocol  Data  Unit,  SL  MAC  PDU）を送信する。
【０１４８】
任意的に、第１パラメータ値が第２パラメータ値より小さい場合、ＵＬ  ＭＡＣ  ＰＤＵが優先的に送信され、或いは、第１パラメータ値が第２パラメータ値より大きい又は等しい場合、ＳＬ  ＭＡＣ  ＰＤＵが優先的に送信される。
【０１４９】
任意的に、第１パラメータ値が第２パラメータ値より小さい又は等しい場合、ＵＬ  ＭＡＣ  ＰＤＵが優先的に送信され、或いは、第１パラメータ値が第２パラメータ値より大きい場合、ＳＬ  ＭＡＣ  ＰＤＵが優先的に送信される。
【０１５０】
任意的に、第１パラメータ値が第２パラメータ値より小さい場合、ＵＬ  ＭＡＣ  ＰＤＵが優先的に送信され、第１パラメータ値が第２パラメータ値より大きい場合、ＳＬ  ＭＡＣ  ＰＤＵが優先的に送信され、或いは、第１パラメータ値が第２パラメータ値と等しい場合、第１端末装置は、第１端末装置の実装に基づき、ＳＬ及びＵＬ送信優先度を決定してよい。例えば、第１パラメータ値が第２パラメータ値と等しい場合のＳＬ及びＵＬ送信優先度のルールは、第１端末装置が工場から出荷される前に、第１端末装置に予め定義される。例えば、第１端末装置がネットワークにアクセスできるとき、ネットワーク装置は、第１端末装置のために、第１パラメータ値が第２パラメータ値と等しい場合のＳＬ及びＵＬ送信優先度のルールを構成する。例えば、第１端末装置は、別の特定の条件に基づき、ＳＬ及びＵＬ送信優先度を決定する。例えば、ギャップ時間周波数リソースが送信のために使用される場合、ＳＬ  ＭＡＣ  ＰＤＵが送信され、その他の場合、ＵＬ  ＭＡＣ  ＰＤＵが送信される。
【０１５１】
任意的に、前述の比較は、絶対的比較又は相対的比較であってよい。比較が相対的比較である場合、第１端末装置が工場から出荷される前に、相対的比較のオフセット成分が第１端末装置に格納されてよく、或いは、第１端末装置がネットワークにアクセスできるとき、ネットワーク装置により第１端末装置に構成されてよい。
【０１５２】
任意的に、図３Ａにおいて、第１端末装置又は第２端末装置は、車両装置であってよく、ネットワーク装置は基地局であってよい。例えば、第１車両装置は、第１端末装置を表すために使用されてよく、第２車両装置は、第２端末装置を表すために使用されてよく、基地局はネットワーク装置を表すために使用されてよい。
【０１５３】
本願の本実施形態は、ＵＬ及びＳＬ通信方法を提供する。対応する優先度マッピング値は、被送信ＵＬ  ＭＡＣ  ＰＤＵの存在する少なくとも１つの論理チャネルの優先度値について構成され、少なくとも１つの優先度マッピング値の中の最小優先度マッピング値は、被送信ＳＬ  ＭＡＣ  ＰＤＵの最小ＰＰＰＰ値と比較され、比較結果は、被送信ＵＬ  ＭＡＣ  ＰＤＵ又はＳＬ  ＭＡＣ  ＰＤＵを送信することを決定するために使用される。本ソリューションに基づき、ＵＬ及びＳＬ送信優先度は、より正確に決定でき、遅延及び信頼性要件のようなＵＬ及びＳＬ送信要件のバランスが取れる。
【０１５４】
図３Ｂは、本願の一実施形態による通信方法の概略フローチャートである。以下は、具体的に、図３Ｂを参照して、本発明の本実施形態における技術的ソリューションを説明する。例えば、図３Ｂに対応する通信方法は以下のステップを含む。
【０１５５】
動作３０１ｂ。第１端末装置は、第４パラメータ値及び第５パラメータ値を取得する。
【０１５６】
例えば、第４パラメータ値は、被送信ＵＬ  ＭＡＣ  ＰＤＵの存在する少なくとも１つの論理チャネルの論理チャネル優先度値の中で最高優先度を有する優先度値であってよい。例えば、第５パラメータ値は、被送信ＳＬ  ＭＡＣ  ＰＤＵの少なくとも１つの第１ＰＰＰＰマッピング値の中で最高優先度を有するＰＰＰＰマッピング値であってよい。
【０１５７】
任意的に、ネットワーク装置は、情報を第１端末装置へ送信し、情報は、第１端末装置のＳＬ  ＭＡＣＰＤＵの各ＰＰＰＰ値に対応する第１ＰＰＰＰマッピング値を含んでよい。
【０１５８】
例えば、第１ＰＰＰＰマッピング値は、優先度値と比較されてよい。例えば、第１ＰＰＰＰマッピング値の値範囲は、優先度値の値範囲と同じである。ＰＰＰＰ値と第１ＰＰＰＰマッピング値との間の対応は、１対多対応であってよい。例えば、各ＰＰＰＰ値は、複数の第１ＰＰＰＰマッピング値に対応し、異なる第１ＰＰＰＰマッピング値が同じＰＰＰＰ値に対応してよい。例えば、ＰＰＰＰ値が１である被送信ＳＬ  ＭＡＣ  ＰＤＵの第１ＰＰＰＰマッピング値は、１又は２に設定されてよい。例えば、ＰＰＰＰ値が４である被送信ＳＬ  ＭＡＣ  ＰＤＵの第１ＰＰＰＰマッピング値は、７又は８に設定されてよい。例えば、ＰＰＰＰ値の範囲が１〜８に設定され、優先度値の範囲が１〜１６に設定される場合、ＰＰＰＰ値、第１ＰＰＰＰマッピング値、及び優先度値の間の対応は、表２に示され得る。
表２
【表２】
2021533690.tif 000004
【０１５９】
留意すべきことに、表２は、単にＰＰＰＰ値、優先度マッピング値、及び優先度値との間の可能な対応を示す。これは、本願の本実施形態において限定されない。
【０１６０】
情報は、ネットワーク装置により、ＳＩＢ、ＲＭＳＩ、ＯＳＩ、ＲＲＣ再構成メッセージ、ＲＲＣ構成メッセージ、ＭＡＣ  ＣＥ、等を通じて送信されてよい。任意的に、情報を運ぶＲＲＣ再構成メッセージは、表２のＰＰＰＰ値、優先度マッピング値、及び優先度値の間の少なくとも１つの対応を運んでよい。
【０１６１】
任意的に、装置ベンダは、第１端末装置が工場から出荷される前に、各ＰＰＰＰ値の第１ＰＰＰＰマッピング値を、第１端末装置に格納してよい。代替として、ネットワーク装置は、第１端末装置がネットワークにアクセスできるとき、各ＰＰＰＰ値の第１ＰＰＰＰマッピング値を、第１端末装置に予め構成してよい。
【０１６２】
任意的に、各ＰＰＰＰ値について構成された第１ＰＰＰＰマッピング値は、第１端末装置のために構成された第１ＰＰＰＰマッピング値又は第１端末装置が位置するセルのために構成された第１ＰＰＰＰマッピング値を上書きしてよい。
【０１６３】
動作３０２ｂ。第１端末装置は、第４パラメータ値及び第５パラメータ値に対応する優先度の間の関係に基づき、ＵＬ  ＭＡＣ  ＰＤＵ又はＳＬ  ＭＡＣ  ＰＤＵを送信する。
【０１６４】
任意的に、第５パラメータ値が第４パラメータ値より小さい場合、ＳＬ  ＭＡＣ  ＰＤＵが優先的に送信され、或いは、第５パラメータ値が第４パラメータ値より大きい又は等しい場合、ＵＬ  ＭＡＣ  ＰＤＵが優先的に送信される。
【０１６５】
任意的に、第５パラメータ値が第５パラメータ値より小さい又は等しい場合、ＳＬ  ＭＡＣ  ＰＤＵが優先的に送信され、或いは、第５パラメータ値が第４パラメータ値より大きい場合、ＵＬ  ＭＡＣ  ＰＤＵが優先的に送信される。
【０１６６】
任意的に、第５パラメータ値が第４パラメータ値より小さい場合、ＳＬ  ＭＡＣ  ＰＤＵが優先的に送信され、第５パラメータ値が第４パラメータ値より大きい場合、ＵＬ  ＭＡＣ  ＰＤＵが優先的に送信され、或いは、第５パラメータ値が第４パラメータ値と等しい場合、第１端末装置は、第１端末装置の実装に基づき、ＳＬ及びＵＬ送信優先度を決定してよい。例えば、第５パラメータ値が第４パラメータ値と等しい場合のＳＬ及びＵＬ送信優先度のルールは、第１端末装置が工場から出荷される前に、第１端末装置に予め定義される。例えば、第１端末装置がネットワークにアクセスできるとき、ネットワーク装置は、第１端末装置のために、第５パラメータ値が第４パラメータ値と等しい場合のＳＬ及びＵＬ送信優先度のルールを構成する。例えば、第１端末装置は、別の特定の条件に基づき、ＳＬ及びＵＬ送信優先度を決定する。例えば、ギャップ時間周波数リソースが送信のために使用される場合、ＳＬ  ＭＡＣ  ＰＤＵが送信され、その他の場合、ＵＬ  ＭＡＣ  ＰＤＵが送信される。
【０１６７】
任意的に、前述の比較は、絶対的比較又は相対的比較であってよい。比較が相対的比較である場合、相対的比較のオフセット成分が構成され又は予め構成されてよい。
【０１６８】
任意的に、図３Ｂにおいて、第１端末装置又は第２端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【０１６９】
本願の本実施形態は、ＵＬ及びＳＬ通信方法を提供する。対応する第１ＰＰＰＰマッピング値は、被送信ＳＬ  ＭＡＣ  ＰＤＵの少なくとも１つのＰＰＰＰ値について構成され、少なくとも１つの第１ＰＰＰＰ値の中の最小第１ＰＰＰＰマッピング値は、被送信ＵＬ  ＭＡＣ  ＰＤＵの存在する少なくとも１つの論理チャネルの最小優先度と比較され、比較結果は、被送信ＵＬ  ＭＡＣ  ＰＤＵ又はＳＬ  ＭＡＣ  ＰＤＵを送信することを決定するために使用される。本ソリューションに基づき、ＵＬ及びＳＬ送信優先度は、より正確に決定でき、遅延及び信頼性要件のようなＵＬ及びＳＬ送信要件のバランスが取れる。
【０１７０】
図４Ａは、本願の一実施形態による通信方法の概略フローチャートである。以下は、具体的に、図４Ａを参照して、本願の本実施形態における技術的ソリューションを説明する。例えば、図４Ａに対応する通信方法は以下のステップを含む。
【０１７１】
動作４０１ａ。第１端末装置は、第２パラメータ値及び第８パラメータ値を取得する。
【０１７２】
例えば、第８パラメータ値は、被送信ＵＬ  ＭＡＣ  ＰＤＵの少なくとも１つの優先度レベルマッピング値の中で最高優先度を有する優先度レベルマッピング値であってよい。例えば、第２パラメータ値は、被送信ＳＬ  ＭＡＣ  ＰＤＵの、最高優先度を有するＰＰＰＰ値であってよい。
【０１７３】
任意的に、ネットワーク装置は、情報を第１端末装置へ送信する。情報は、第１端末装置のＵＬ  ＭＡＣ  ＰＤＵの各優先度レベル（priority  level）値の優先度レベルマッピング値を含んでよい。任意的に、情報は、第１端末装置のＵＬ  ＭＡＣ  ＰＤＵの優先度レベル値を更に含んでよい。
【０１７４】
例えば、優先度レベル値は、ＰＰＰＰ値と比較されてよい。例えば、優先度レベルマッピング値の値範囲は、ＰＰＰＰ値の値範囲と同じである。優先度レベル値と優先度レベルマッピング値との間の対応は、多対１対応であってよい。例えば、各優先度レベル値は、１つの優先度レベルマッピング値に対応し、異なる優先度レベル値が同じ優先度レベルマッピング値に対応してよい。例えば、優先度レベル値が４である論理チャネルの優先度レベルマッピング値は、ユニークに２に設定されてよい。例えば、優先度レベル値が３である論理チャネルの優先度レベルマッピング値も、ユニークに２に設定されてよい。例えば、優先度レベル値の範囲が１〜１６に設定され、ＰＰＰＰ値の範囲が１〜８に設定される場合、優先度レベル値、優先度レベルマッピング値、及びＰＰＰＰ値の間の対応は、表３に示され得る。
表３
【表３】
2021533690.tif 000005
【０１７５】
留意すべきことに、表３は、単に優先度レベル値、優先度レベルマッピング値、及びＰＰＰＰ値との間の可能な対応を示す。
【０１７６】
情報は、ネットワーク装置により、ＳＩＢ、ＲＭＳＩ、ＯＳＩ、ＲＲＣ再構成メッセージ、ＲＲＣ構成メッセージ、ＭＡＣ  ＣＥ、等を通じて送信されてよい。任意的に、第３情報を運ぶＲＲＣ再構成メッセージは、表３の優先度レベル値、優先度レベルマッピング値、及びＰＰＰＰ値の間の少なくとも１つの対応を運んでよい。
【０１７７】
任意的に、装置ベンダは、第１端末装置が工場から出荷される前に、優先度レベル値及び優先度レベルマッピング値を、第１端末装置に格納してよい。代替として、ネットワーク装置は、第１端末装置がネットワークにアクセスできるとき、優先度レベル値及び優先度レベルマッピング値を、第１端末装置に予め構成してよい。
【０１７８】
任意的に、各優先度レベル値について構成された優先度レベルマッピング値は、第１端末装置のために構成された優先度レベルマッピング値又は第１端末装置が位置するセルのために構成された優先度レベルマッピング値を上書きしてよい。
【０１７９】
動作４０２ａ。第１端末装置は、第２パラメータ値及び第８パラメータ値に対応する優先度の間の関係に基づき、ＵＬ  ＭＡＣ  ＰＤＵ又はＳＬ  ＭＡＣ  ＰＤＵを送信する。
【０１８０】
任意的に、第８パラメータ値が第２パラメータ値より小さい場合、ＵＬ  ＭＡＣ  ＰＤＵが優先的に送信され、或いは、第８パラメータ値が第２パラメータ値より大きい又は等しい場合、ＳＬ  ＭＡＣ  ＰＤＵが優先的に送信される。
【０１８１】
任意的に、第８パラメータ値が第２パラメータ値より小さい又は等しい場合、ＵＬ  ＭＡＣ  ＰＤＵが優先的に送信され、或いは、第８パラメータ値が第２パラメータ値より大きい場合、ＳＬ  ＭＡＣ  ＰＤＵが優先的に送信される。
【０１８２】
任意的に、第８パラメータ値が第２パラメータ値より小さい場合、ＵＬ  ＭＡＣ  ＰＤＵが優先的に送信され、第８パラメータ値が第２パラメータ値より大きい場合、ＳＬ  ＭＡＣ  ＰＤＵが優先的に送信され、或いは、第８パラメータ値が第２パラメータ値と等しい場合、第１端末装置は、第１端末装置の実装に基づき、ＳＬ及びＵＬ送信優先度を決定してよい。例えば、第８パラメータ値が第２パラメータ値と等しい場合のＳＬ及びＵＬ送信優先度のルールは、第１端末装置が工場から出荷される前に、第１端末装置に予め定義される。例えば、第１端末装置がネットワークにアクセスできるとき、ネットワーク装置は、第１端末装置のために、第８パラメータ値が第２パラメータ値と等しい場合のＳＬ及びＵＬ送信優先度のルールを構成する。例えば、第１端末装置は、別の特定の条件に基づき、ＳＬ及びＵＬ送信優先度を決定する。例えば、ギャップ時間周波数リソースが送信のために使用される場合、ＳＬ  ＭＡＣ  ＰＤＵが送信され、その他の場合、ＵＬ  ＭＡＣ  ＰＤＵが送信される。
【０１８３】
任意的に、図４Ａにおいて、第１端末装置又は第２端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【０１８４】
本願の本実施形態は、ＵＬ及びＳＬ通信方法を提供する。対応する優先度レベルマッピング値は、被送信ＵＬ  ＭＡＣ  ＰＤＵの少なくとも１つの優先度レベル値について構成され、少なくとも１つの優先度レベルマッピング値の中の最小優先度レベルマッピング値は、被送信ＳＬ  ＭＡＣ  ＰＤＵの最小ＰＰＰＰ値と比較され、比較結果は、被送信ＵＬ  ＭＡＣ  ＰＤＵ又はＳＬ  ＭＡＣ  ＰＤＵを送信することを決定するために使用される。本ソリューションにおける比較結果に基づき、ＵＬ及びＳＬ送信優先度は、より正確に決定でき、遅延及び信頼性要件のようなＵＬ及びＳＬ送信要件のバランスが取れる。
【０１８５】
図４Ｂは、本願の一実施形態による通信方法の概略フローチャートである。以下は、具体的に、図４Ｂを参照して、本発明の本実施形態における技術的ソリューションを説明する。例えば、図４Ｂに対応する通信方法は以下のステップを含む。
【０１８６】
動作４０１ｂ。第１端末装置は、第６パラメータ値及び第７パラメータ値を取得する。
【０１８７】
例えば、第６パラメータ値は、被送信ＳＬ  ＭＡＣ  ＰＤＵの少なくとも１つの第２ＰＰＰＰマッピング値の中で最高優先度を有する第２ＰＰＰＰマッピング値であってよい。例えば、第７パラメータ値は、被送信ＵＬ  ＭＡＣ  ＰＤＵの少なくとも１つの優先度レベル値の中で最高優先度を有する優先度レベル値であってよい。
【０１８８】
任意的に、ネットワーク装置は、情報を第１端末装置へ送信し、情報は、第１端末装置のＳＬ  ＭＡＣＰＤＵの各ＰＰＰＰ値に対応する第２ＰＰＰＰマッピング値を含んでよい。
【０１８９】
例えば、第２ＰＰＰＰマッピング値は、優先度レベル値と比較されてよい。例えば、第２ＰＰＰＰマッピング値の値範囲は、優先度値の値範囲と同じである。ＰＰＰＰ値と第２ＰＰＰＰマッピング値との間の対応は、１対多対応であってよい。例えば、各ＰＰＰＰ値は、複数の第２ＰＰＰＰマッピング値に対応し、異なる第２ＰＰＰＰマッピング値が同じＰＰＰＰ値に対応してよい。例えば、第２ＰＰＰＰ値が１である被送信ＳＬ  ＭＡＣ  ＰＤＵの第１ＰＰＰＰマッピング値は、１又は２に設定されてよい。例えば、ＰＰＰＰ値が４である被送信ＳＬ  ＭＡＣ  ＰＤＵの第２ＰＰＰＰマッピング値は、７又は８に設定されてよい。例えば、ＰＰＰＰ値の範囲が１〜８に設定され、優先度レベル値の範囲が１〜１６に設定される場合、ＰＰＰＰ値、第２ＰＰＰＰマッピング値、及び優先度レベル値の間の対応は、表４に示され得る。
表４
【表４】
2021533690.tif 000006
【０１９０】
留意すべきことに、表４は、単にＰＰＰＰ値、第２ＰＰＰＰマッピング値、及び優先度レベル値との間の可能な対応を示す。
【０１９１】
情報は、ネットワーク装置により、ＳＩＢ、ＲＭＳＩ、ＯＳＩ、ＲＲＣ再構成メッセージ、ＲＲＣ構成メッセージ、ＭＡＣ  ＣＥ、等を通じて送信されてよい。任意的に、情報を運ぶＲＲＣ再構成メッセージは、表４のＰＰＰＰ値、第２ＰＰＰＰマッピング値、及び優先度レベル値の間の少なくとも１つの対応を運んでよい。
【０１９２】
任意的に、装置ベンダは、第１端末装置が工場から出荷される前に、ＰＰＰＰ値の第２ＰＰＰＰマッピング値を、第１端末装置に格納してよい。代替として、ネットワーク装置は、第１端末装置がネットワークにアクセスできるとき、ＰＰＰＰ値の第２ＰＰＰＰマッピング値を、第１端末装置に予め構成してよい。
【０１９３】
任意的に、各ＰＰＰＰ値について構成された第２ＰＰＰＰマッピング値は、第１端末装置のために構成された第２ＰＰＰＰマッピング値又は第１端末装置が位置するセルのために構成された第２ＰＰＰＰマッピング値を上書きしてよい。
【０１９４】
動作４０２ｂ：第１端末装置は、第６パラメータ値及び第７パラメータ値に対応する優先度の間の関係に基づき、ＵＬ  ＭＡＣ  ＰＤＵ又はＳＬ  ＭＡＣ  ＰＤＵを送信する。
【０１９５】
第６パラメータ値が第７パラメータ値より小さい場合、ＳＬ  ＭＡＣ  ＰＤＵが優先的に送信され、或いは、第６パラメータ値が第７パラメータ値より大きい又は等しい場合、ＵＬ  ＭＡＣ  ＰＤＵが優先的に送信される。
【０１９６】
任意的に、第６パラメータ値が第７パラメータ値より小さい又は等しい場合、ＳＬ  ＭＡＣ  ＰＤＵが優先的に送信され、或いは、第６パラメータ値が第７パラメータ値より大きい場合、ＵＬ  ＭＡＣ  ＰＤＵが優先的に送信される。
【０１９７】
任意的に、第６パラメータ値が第７パラメータ値より小さい場合、ＳＬ  ＭＡＣ  ＰＤＵが優先的に送信され、第６パラメータ値が第７パラメータ値より大きい場合、ＵＬ  ＭＡＣ  ＰＤＵが優先的に送信され、或いは、第６パラメータ値が第７パラメータ値と等しい場合、第１端末装置は、第１端末装置の実装に基づき、ＳＬ及びＵＬ送信優先度を決定してよい。例えば、第６パラメータ値が第７パラメータ値と等しい場合のＳＬ及びＵＬ送信優先度のルールは、第１端末装置が工場から出荷される前に、第１端末装置に予め定義される。例えば、第１端末装置がネットワークにアクセスできるとき、ネットワーク装置は、第１端末装置のために、第６パラメータ値が第７パラメータ値と等しい場合のＳＬ及びＵＬ送信優先度のルールを構成する。例えば、第１端末装置は、別の特定の条件に基づき、ＳＬ及びＵＬ送信優先度を決定する。例えば、ギャップ時間周波数リソースが送信のために使用される場合、ＳＬ  ＭＡＣ  ＰＤＵが送信され、その他の場合、ＵＬ  ＭＡＣ  ＰＤＵが送信される。
【０１９８】
任意的に、図４Ｂにおいて、第１端末装置又は第２端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【０１９９】
本願の本実施形態は、ＵＬ及びＳＬ通信方法を提供する。対応する第２ＰＰＰＰマッピング値は、被送信ＳＬ  ＭＡＣ  ＰＤＵの少なくとも１つのＰＰＰＰ値について構成され、少なくとも１つの第２ＰＰＰＰ値の中の最小第２ＰＰＰＰマッピング値は、被送信ＵＬ  ＭＡＣ  ＰＤＵの最小優先度レベル値と比較される。本ソリューションに基づき、ＵＬ及びＳＬ送信優先度は、より正確に決定でき、ＵＬ及びＳＬ送信遅延要件のバランスが取れる。
【０２００】
図５は、本願の一実施形態による通信方法の概略フローチャートである。以下は、具体的に、図５を参照して、本願の本実施形態における技術的ソリューションを説明する。例えば、図５に対応する通信方法は以下のステップを含む。
【０２０１】
動作５０１。第１端末装置は、各ＵＬ  ＭＡＣ  ＰＤＵの各ＰＰＰＰ値及び優先度レベル（priority  level）値の結合優先度シーケンステーブルを取得する。
【０２０２】
任意的に、以下の表５に示すように、ネットワーク装置は、各ＵＬ  ＭＡＣ  ＰＤＵの各ＰＰＰＰ値及び優先度レベル（priority  level）値の結合優先度シーケンステーブルを定義するために、端末装置へ情報を送信する。
表５
【表５】
2021533690.tif 000007
【０２０３】
留意すべきことに、表５は、単にエントリテーブルの特定のコンテンツを示す。
【０２０４】
情報は、ネットワーク装置により、ＳＩＢ、ＲＭＳＩ、ＯＳＩ、ＲＲＣ再構成メッセージ、ＲＲＣ構成メッセージ、ＭＡＣ  ＣＥ、等を通じて送信されてよい。
【０２０５】
任意的に、第１端末装置内の結合優先度シーケンステーブルは、予め構成されてよい。例えば、結合優先度シーケンステーブルは、プロトコルで指定されてよい。代替として、装置ベンダは、第１端末装置が工場から出荷される前に、結合優先度シーケンステーブルを、第１端末装置に格納してよい。代替として、ネットワーク装置は、第１端末装置がネットワークにアクセスできるとき、結合優先度シーケンステーブルを、第１端末装置に予め構成してよい。
【０２０６】
動作５０２。第１端末装置は、優先度シーケンステーブルに基づき、ＳＬ  ＭＡＣ  ＰＤＵの、最高優先度を有するＰＰＰＰ値の優先度と、ＵＬ  ＭＡＣ  ＰＤＵの、最高優先度を有する優先度レベル値との間の関係を決定する。ＰＰＰＰ値の優先度が優先度レベル値の優先度より高い場合、ＳＬ  ＭＡＣ  ＰＤＵが優先的に送信され、ＰＰＰＰ値の優先度が優先度レベル値の優先度より低い場合、ＵＬ  ＭＡＣ  ＰＤＵが送信され、又は、ＰＰＰＰ値の優先度が優先度レベル値の優先度と等しい場合、ユーザは、ユーザの実装に基づき、ＳＬ  ＭＡＣ  ＰＤＵ又はＵＬ  ＭＡＣ  ＰＤＵを送信することを決定してよい。例えば、ＳＬ  ＭＡＣ  ＰＤＵ又はＵＬ  ＭＡＣ  ＰＤＵが優先的に送信されるかは、ネットワーク装置により構成されるか、又は予め定義される。例えば、ユーザは、別の特別な条件に基づき、ＳＬ  ＭＡＣ  ＰＤＵ又はＵＬ  ＭＡＣ  ＰＤＵが優先的に送信されるかを決定する。例えば、ギャップ時間周波数リソースが送信のために使用される場合、ＳＬ  ＭＡＣ  ＰＤＵが送信され、その他の場合、ＵＬ  ＭＡＣ  ＰＤＵが送信される。
【０２０７】
任意的に、前述の比較は、絶対的比較又は相対的比較であってよい。比較が相対的比較である場合、相対的比較のオフセット成分が構成され又は予め構成されてよい。
【０２０８】
任意的に、図５において、第１端末装置又は第２端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【０２０９】
本願の本実施形態は、ＵＬ及びＳＬ通信方法を提供する。ＰＣ５  ＰＰＰＰ値及びＵｕ優先度レベル（priority  level）値の結合優先度シーケンステーブルが定義され、シーケンステーブルの中でＳＬ  ＭＡＣ  ＰＤＵの最大ＰＰＰＰ値とＵＬ  ＭＡＣ  ＰＤＵの最大優先度レベル値との間の関係が決定される必要があるだけである。本ソリューションにおける比較結果に基づき、ＵＬ及びＳＬ送信優先度は、より正確に決定でき、ＵＬ及びＳＬ送信遅延要件のバランスが取れる。
【０２１０】
図６は、本願の一実施形態による通信方法の概略フローチャートである。以下は、具体的に、図６を参照して、本願の本実施形態における技術的ソリューションを説明する。例えば、図６に対応する通信方法は以下のステップを含む。
【０２１１】
動作６０１。第１端末装置は、ＰＣ５  ＱｏＳパラメータテーブルを取得する。
【０２１２】
任意的に、ネットワーク装置は、第１端末装置へ情報を送信し、情報は、以下の表６に示すように、ＰＣ５  ＱｏＳパラメータ値を定義するために使用される情報を含んでよい。
表６
【表６】
2021533690.tif 000008
【０２１３】
留意すべきことに、表６は、単にエントリテーブルの特定のコンテンツを示す。
【０２１４】
任意的に、第１端末装置内のＰＣ５  ＱｏＳパラメータテーブルは、予め構成されてよい。例えば、ＰＣ５  ＱｏＳパラメータテーブルは、プロトコルで指定されてよい。代替として、装置ベンダは、第１端末装置が工場から出荷される前に、ＰＣ５  ＱｏＳパラメータテーブルを、第１端末装置に格納してよい。代替として、ネットワーク装置は、第１端末装置がネットワークにアクセスできるとき、ＰＣ５  ＱｏＳパラメータテーブルを、第１端末装置に予め構成してよい。
【０２１５】
動作６０２。第１端末装置は、ＱｏＳパラメータテーブルに基づき、ＳＬ  ＭＡＣ  ＰＤＵの、最高優先度を有する優先度レベル（priority  level）値及びＵＬ  ＭＡＣ  ＰＤＵの、最高優先度を有する優先度レベル値に対応する優先度の間の関係を決定する。ＳＬ  ＭＡＣ  ＰＤＵの優先度レベル値に対応する優先度がＵＬ  ＭＡＣ  ＰＤＵの優先度レベル値に対応する優先度より高い場合、ＳＬ  ＭＡＣ  ＰＤＵが優先的に送信され、ＳＬ  ＭＡＣ  ＰＤＵの優先度レベル値に対応する優先度がＵＬ  ＭＡＣ  ＰＤＵの優先度レベル値に対応する優先度より低い場合、ＵＬ  ＭＡＣ  ＰＤＵが送信され、又は、ＳＬ  ＭＡＣ  ＰＤＵの優先度レベル値に対応する優先度がＵＬ  ＭＡＣ  ＰＤＵの優先度レベル値に対応する優先度と等しい場合、ユーザは、ユーザの実装に基づき、ＳＬ  ＭＡＣ  ＰＤＵ又はＵＬ  ＭＡＣ  ＰＤＵを送信することを決定してよい。例えば、ＳＬ  ＭＡＣ  ＰＤＵ又はＵＬ  ＭＡＣ  ＰＤＵが優先的に送信されるかは、ネットワーク装置により構成されるか、又は予め定義される。例えば、ユーザは、別の特別な条件に基づき、ＳＬ  ＭＡＣ  ＰＤＵ又はＵＬ  ＭＡＣ  ＰＤＵが優先的に送信されるかを決定する。例えば、ギャップ時間周波数リソースが送信のために使用される場合、ＳＬ  ＭＡＣ  ＰＤＵが送信され、その他の場合、ＵＬ  ＭＡＣ  ＰＤＵが送信される。
【０２１６】
任意的に、前述の比較は、絶対的比較又は差分比較であってよく、差分比較はシグナリングを通じて構成されてよく又は予め定義されてよい。
【０２１７】
情報は、ネットワーク装置により、ＳＩＢ、ＲＭＳＩ、ＯＳＩ、ＲＲＣ再構成メッセージ、ＲＲＣ構成メッセージ、ＭＡＣ  ＣＥ、等を通じて送信されてよい。
【０２１８】
任意的に、図６において、第１端末装置又は第２端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【０２１９】
本願の本実施形態は、ＵＬ及びＳＬ通信方法を提供する。ＰＣ５  ＱｏＳパラメータテーブルが定義され、ＱｏＳパラメータテーブルは、優先度レベルパラメータ又は優先度パラメータを含み、ＱｏＳパラメータテーブル内の最高優先度レベルは、Ｕｕインタフェース上の優先度レベルパラメータと比較され、又はＱｏＳパラメータテーブル内の最高優先度はＵｕインタフェース上の優先度パラメータと比較される。本ソリューションにおける比較結果に基づき、ＵＬ及びＳＬ送信優先度は、より正確に決定でき、ＵＬ及びＳＬ送信遅延要件のバランスが取れる。
【０２２０】
図７は、本願の一実施形態による通信方法の概略フローチャートである。以下は、具体的に、図７を参照して、本願の本実施形態における技術的ソリューションを説明する。例えば、図７に対応する通信方法は以下のステップを含む。
【０２２１】
動作７０１。第１端末装置は、Ｕｕインタフェース上のＵｕ−５ＱＩ値及びＰＣ５インタフェース上のＰＣ５−５ＱＩ値の優先度シーケンスを取得する。
【０２２２】
任意的に、ネットワーク装置は、第１端末装置へ情報を送信し、情報は、Ｕｕ−５ＱＩ値及びＰＣ５−５ＱＩ値の優先度シーケンスを定義するために使用される情報を含んでよい。
【０２２３】
任意的に、Ｕｕ−５ＱＩ値及びＰＣ５−５ＱＩ値の優先度シーケンスは、５ＱＩ値に基づくシーケンスであってよい。
【０２２４】
情報は、ネットワーク装置により、ＳＩＢ、ＲＭＳＩ、ＯＳＩ、ＲＲＣ再構成メッセージ、ＲＲＣ構成メッセージ、ＭＡＣ  ＣＥ、等を通じて送信されてよい。
【０２２５】
任意的に、第１端末装置内の結合優先度シーケンスは、予め構成されてよい。例えば、優先度シーケンスは、プロトコルで指定される。代替として、装置ベンダは、第１端末装置が工場から出荷される前に、優先度シーケンスを、第１端末装置に格納してよい。代替として、ネットワーク装置は、第１端末装置がネットワークにアクセスできるとき、優先度シーケンスを、第１端末装置に予め構成してよい。
【０２２６】
動作７０２。第１端末装置は、優先度シーケンスに基づき、ＳＬ  ＭＡＣ  ＰＤＵの、最高優先度を有する５ＱＩ値が、ＵＬ  ＭＡＣ  ＰＤＵの、最高優先度を有する５ＱＩ値より大きいか否かを決定する。ＳＬ  ＭＡＣ  ＰＤＵの５ＱＩ値がＵＬ  ＭＡＣ  ＰＤＵの５ＱＩ値より高い場合、ＳＬ  ＭＡＣ  ＰＤＵが送信され、ＳＬ  ＭＡＣ  ＰＤＵの５ＱＩ値がＵＬ  ＭＡＣ  ＰＤＵの５ＱＩ値より小さい又は等しい場合、ＵＬ  ＭＡＣ  ＰＤＵが送信され、又は、ＳＬ  ＭＡＣ  ＰＤＵの５ＱＩ値がＵＬ  ＭＡＣ  ＰＤＵの５ＱＩ値よりと等しい場合、ユーザは、ユーザの実装に基づき、ＳＬ  ＭＡＣ  ＰＤＵ又はＵＬ  ＭＡＣ  ＰＤＵを送信することを決定してよい。代替として、ＳＬ  ＭＡＣ  ＰＤＵ又はＵＬ  ＭＡＣ  ＰＤＵが優先的に送信されるかは、予め定義されるか又は予め構成される。代替として、ＳＬ  ＭＡＣ  ＰＤＵ又はＵＬ  ＭＡＣ  ＰＤＵが優先的に送信されるかは、別の特別な条件に基づき決定されてよい。例えば、ギャップ時間周波数リソースが送信のために使用される場合、ＳＬ  ＭＡＣ  ＰＤＵが送信され、その他の場合、ＵＬ  ＭＡＣ  ＰＤＵが送信される。
【０２２７】
任意的に、前述の比較は、絶対的比較又は差分比較であってよく、差分比較はシグナリングを通じて構成されてよく又は予め定義されてよい。
【０２２８】
任意的に、図７において、第１端末装置又は第２端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【０２２９】
本願の本実施形態は、ＵＬ及びＳＬ通信方法を提供する。Ｕｕ−５ＱＩ値及びＰＣ５−５ＱＩ値の優先度シーケンスが定義され、最高優先度値に対応するＳＬ  ５ＱＩ値は、最高優先度値に対応するＵＬ  ５ＱＩ値と比較されてよい。本ソリューションにおける比較結果に基づき、ＵＬ及びＳＬ送信優先度は、より正確に決定でき、ＵＬ及びＳＬ送信遅延要件のバランスが取れる。
【０２３０】
図８Ａは、本願の一実施形態による通信方法の概略フローチャートである。以下は、具体的に、図８Ａを参照して、本願の本実施形態における技術的ソリューションを説明する。例えば、図８Ａに対応する通信方法は以下のステップを含む。
【０２３１】
動作８０１ａ。第１端末装置は、第１種類サービスの定義を取得する。
【０２３２】
任意的に、ネットワーク装置は、第１端末装置へ情報を送信し、情報は、Ｕｕ無線インタフェース上の第１種類サービスを定義するために使用される情報を含んでよい。第１種類サービスの送信処理において、ＵＬ及びＳＬ優先度を決定するためのルールは無視されてよく、ＵＬ送信が優先的に送信される。
【０２３３】
情報は、ネットワーク装置により、ＳＩＢ、ＲＭＳＩ、ＯＳＩ、ＲＲＣ再構成メッセージ、ＲＲＣ構成メッセージ、ＭＡＣ  ＣＥ、等を通じて送信されてよい。
【０２３４】
任意的に、第１端末装置内の第１種類サービスは、予め構成されてよい。例えば、第１種類サービスは、プロトコルで指定される。代替として、装置ベンダは、第１端末装置が工場から出荷される前に、第１種類サービスを、第１端末装置に予め定義してよい。代替として、ネットワーク装置は、第１端末装置がネットワークにアクセスできるとき、第１種類サービスを、第１端末装置に予め定義してよい。
【０２３５】
任意的に、第１種類サービスは、Ｕｕ無線インタフェース上のＵＲＬＬＣサービス、Ｕｕ無線インタフェース上のＵＬランダムアクセスチャネル（Random  Access  Channel,  RACH）サービス、又は特定の５ＱＩ値を有するＱｏＳサービスであってよい。
【０２３６】
動作８０２ａ。第１端末装置は、Ｕｕインタフェース上のサービスの種類を取得する。
【０２３７】
動作８０３ａ。第１端末装置は、第１種類サービスの定義に基づき、取得したサービスが第１種類サービスであるか否かを決定する。取得したサービスが第１種類サービスであると決定した場合、第１端末装置は、第１種類サービスを優先度にアップロードし、その他の場合、第１端末装置は動作８０２ａに戻る。
【０２３８】
任意的に、車両装置が、シグナリングを通じて、被送信アップリンクサービスが第１種類サービスであると示されるとき、車両装置は、ＵＬ及びＳＬ優先度を決定するためのルールを無視し、ＵＬ送信を優先的に実行してよい。シグナリングは、ダウンリンク制御情報（Downlink  Control  Information,  DCI）又はアップリンクスケジューリングのために使用される媒体アクセス制御制御要素（MAC  Control  Element,  MAC  CE）であってよい。代替として、シグナリングは、半永久的アップリンクスケジューリング周期が特定の閾値より小さいときトリガされる指示であってよい。
【０２３９】
任意的に、図８Ａにおいて、第１端末装置又は第２端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【０２４０】
本願の本実施形態は、ＵＬ及びＳＬ通信方法を提供する。Ｕｕインタフェース上のサービスが第１種類サービスとして定義され、その結果、ＵＲＬＬＣサービス又はＲＡＣＨサービスのようなサービスは、ＰＣ５インタフェース及びＵｕインタフェース上の全部のサービスの中で最高優先度を有する。従って、第１種類サービスの遅延要件が保証される。
【０２４１】
図８Ｂは、本願の一実施形態による通信方法の概略フローチャートである。以下は、具体的に、図８Ｂを参照して、本発明の本実施形態における技術的ソリューションを説明する。例えば、図８Ｂに対応する通信方法は以下のステップを含む。
【０２４２】
動作８０１ｂ。第１端末装置は、第２パラメータ値及び異なるサービスによりトリガされるＲＡＣＨ処理に対応するＲＡＣＨマッピング値を取得する。
【０２４３】
例えば、ネットワーク装置は、情報を第１端末装置へ送信し、情報は、各異なるサービスによりトリガされるＵＬ  ＲＡＣＨ処理に対応するＲＡＣＨマッピング値を含んでよい。例えば、第２パラメータ値は、ＳＬ  ＭＡＣ  ＰＤＵの、最高優先度を有するＰＰＰＰ値であってよい。
【０２４４】
例えば、ＲＡＣＨマッピング値は、ＰＰＰＰ値と比較されてよい。例えば、ＲＡＣＨマッピング値の値範囲は、ＰＰＰＰ値の値範囲と同じである。ＲＡＣＨマッピング値と各異なるサービスによりトリガされるＲＡＣＨ処理との間の対応は、１対１対応であってよい。例えば、あるイベントによりトリガされるＲＡＣＨ処理は１つのＲＡＣＨマッピング値に対応し、異なるサービスによりトリガされるＲＡＣＨ処理は異なるＲＡＣＨマッピング値に対応する。例えば、第１種類イベントによりトリガされるＲＡＣＨ処理のＲＡＣＨマッピング値は１に設定されてよい。例えば、第２種類イベントによりトリガされるＲＡＣＨ処理のＲＡＣＨマッピング値は２に設定されてよい。例えば、ＰＰＰＰ値の範囲が１〜８に設定され得場合、ＲＡＣＨ処理をトリガするイベントの種類の数は、８に設定される。この場合、各異なるサービスによりトリガされるＲＡＣＨ処理、ＲＡＣＨマッピング値、及びＰＰＰＰ値の間の対応は、表７に示され得る。
表７
【表７】
2021533690.tif 000009
【０２４５】
留意すべきことに、表７は、単に各異なるサービスによりトリガされるＲＡＣＨ処理、ＲＡＣＨマッピング値、及びＰＰＰＰ値との間の可能な対応を示す。
【０２４６】
情報は、ネットワーク装置により、ＳＩＢ、ＲＭＳＩ、ＯＳＩ、ＲＲＣ再構成メッセージ、ＲＲＣ構成メッセージ、ＭＡＣ  ＣＥ、等を通じて送信されてよい。
【０２４７】
任意的に、装置ベンダは、第１端末装置が工場から出荷される前に、ＲＡＣＨマッピング値を、第１端末装置に格納してよい。代替として、ネットワーク装置は、第１端末装置がネットワークにアクセスできるとき、ＲＡＣＨマッピング値を、第１端末装置に予め構成してよい。
【０２４８】
任意的に、各ＲＡＣＨ処理について構成されたＲＡＣＨマッピング値は、第１端末装置のために構成されたＲＡＣＨマッピング値又は第１端末装置が位置するセルのために構成されたＲＡＣＨマッピング値を上書きしてよい。
【０２４９】
動作８０２ｂ。第１端末装置は、第２パラメータ値と被送信サービスによりトリガされるＲＡＣＨ処理に対応するＲＡＣＨマッピング値との間の関係に基づき、ＳＬ  ＭＡＣ  ＰＤＵ又はアップリンクＲＡＣＨサービスを送信する。
【０２５０】
任意的に、第２パラメータ値が被送信サービスによりトリガされるＲＡＣＨ処理に対応するＲＡＣＨマッピング値より小さい場合、ＳＬ  ＭＡＣ  ＰＤＵが優先的に送信され、又は、第２パラメータ値が被送信サービスによりトリガされるＲＡＣＨ処理に対応するＲＡＣＨマッピング値より大きい又は等しい場合、アップリンクＲＡＣＨサービスが優先的に送信される。
【０２５１】
任意的に、前述の比較は、絶対的比較又は相対的比較であってよい。比較が相対的比較である場合、相対的比較のオフセット成分が構成され又は予め構成されてよい。
【０２５２】
任意的に、図８Ｂにおいて、第１端末装置又は第２端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【０２５３】
本願の本実施形態は、ＲＡＣＨサービスを送信するための通信方法を提供する。ＲＡＣＨサービスの優先度に対応するＲＡＣＨマッピング値が定義され、その結果、異なるサービスによりトリガされるＲＡＣＨサービスの優先度は、ＳＬサービスの優先度と比較されてよい。これは、ＲＡＣＨサービスが常に最高優先度を有するという欠点を克服する。
【０２５４】
現在、ＵＬ  Ｕｕ  ＬＣＨデータの優先度はＳＬ  ＢＳＲ  ＭＡＣ  ＣＥの優先度より低く、ＳＬ  ＢＳＲ  ＭＡＣ  ＣＥの優先度はＵＬ  ＢＳＲ  ＭＡＣ  ＣＥの優先度より低い。Ｖ２Ｘモードでは、ＰＣ５インタフェース上の送信リソースを取得するために、ＰＣ５インタフェース上のＬＣＧのＢＳ情報が、ＳＬ  ＢＳＲ  ＭＡＣ  ＣＥを通じて報告される必要がある。例えば、ＰＣ５インタフェース上の高優先度サービスがＳＬ  ＢＳＲ  ＭＡＣ  ＣＥをトリガし、ＵＬ  ＢＳＲ  ＭＡＣ  ＣＥがアップロードされる場合、ＵＬ許可がＰＣ５インタフェース上の高優先度サービスのＢＳＲ情報を優先的に報告するために使用されることが保証できない。代替として、Ｕｕインタフェース上のＵＲＬＬＣサービスのような高優先度サービスがアップロードされ、ＳＬ  ＢＳＲ  ＭＡＣ  ＣＥがアップロードされる場合、ＵＬ許可がＵｕインタフェース上の高優先度サービスを優先的に送信するために使用されることが保証できない。
【０２５５】
図９Ａは、本願の一実施形態による通信方法の概略フローチャートである。以下は、具体的に、図９Ａを参照して、本願の本実施形態における技術的ソリューションを説明する。例えば、図９Ａに対応する通信方法は以下のステップを含む。
【０２５６】
動作９０１ａは、動作３０１ａと同じであり、動作９０１ａの任意的動作も動作３０１ａのものと同じである。詳細はここで再び記載されない。
【０２５７】
動作９０２ａ。第１端末装置は、第１パラメータ値及び第２パラメータ値に対応する優先度の間の関係に基づき、ＵＬ  ＢＳＲ  ＭＡＣ  ＣＥ又はＳＬ  ＢＳＲ  ＭＡＣ  ＣＥの優先度を調整する。
【０２５８】
任意的に、第２パラメータ値が第１パラメータ値より小さい場合、ＳＬ  ＢＳＲ  ＭＡＣ  ＣＥの優先度は、ＵＬ  ＢＳＲ  ＭＡＣ  ＣＥの優先度より高くなるよう調整され、第２パラメータ値が第１パラメータ値より大きい場合、ＳＬ  ＢＳＲ  ＭＡＣ  ＣＥの優先度は、ＵＬ  ＢＳＲ  ＭＡＣ  ＣＥの優先度より低くなるよう調整され、又は、第２パラメータ値が第１パラメータ値と等しい場合、ＳＬ  ＢＳＲ  ＭＡＣ  ＣＥの優先度は、ＵＬ  ＢＳＲ  ＭＡＣ  ＣＥの優先度と等しくなるよう調整される。
【０２５９】
任意的に、第２パラメータ値が第１パラメータ値より小さい又は等しい場合、ＳＬ  ＢＳＲ  ＭＡＣ  ＣＥの優先度は、ＵＬ  ＢＳＲ  ＭＡＣ  ＣＥの優先度より高くなるよう調整され、又は、第２パラメータ値が第１パラメータ値より小さい場合、ＳＬ  ＢＳＲ  ＭＡＣ  ＣＥの優先度は、ＵＬ  ＢＳＲ  ＭＡＣ  ＣＥの優先度より低くなるよう調整される。
【０２６０】
任意的に、第２パラメータ値が第１パラメータ値より小さい場合、ＳＬ  ＢＳＲ  ＭＡＣ  ＣＥの優先度は、ＵＬ  ＢＳＲ  ＭＡＣ  ＣＥの優先度より高くなるよう調整され、又は、第２パラメータ値が第１パラメータ値より大きい又は等しい場合、ＳＬ  ＢＳＲ  ＭＡＣ  ＣＥの優先度は、ＵＬ  ＢＳＲ  ＭＡＣ  ＣＥの優先度より低くなるよう調整される。
【０２６１】
動作９０３ａ。ＵＬ  ＢＳＲ  ＭＡＣ  ＣＥの優先度がＳＬ  ＢＳＲ  ＭＡＣ  ＣＥの優先度と等しいか否かを決定し、等しい場合、動作９０４ａを実行し、等しくない場合、動作９０５ａを実行する。
【０２６２】
動作９０３ａは任意的動作である。
【０２６３】
動作９０４ａ。ＵＬ  ＢＳＲ  ＭＡＣ  ＣＥの優先度がＳＬ  ＢＳＲ  ＭＡＣ  ＣＥの優先度と等しく、全部の論理チャネルグループ（logic  channel  group,  LCG）のバッファ状態（Buffer  Status,  BS）情報を報告するためにＵＬ許可（Uplink  grant,  UL  grant）が使用できる場合、第１端末装置は、ＵＬ  ＢＳＲ  ＭＡＣ  ＣＥ及びＳＬ  ＢＳＲ  ＭＡＣ  ＣＥ内の全部のＬＣＧのＢＳ情報を報告する。
【０２６４】
ＵＬ  ＢＳＲ  ＭＡＣ  ＣＥの優先度がＳＬ  ＢＳＲ  ＭＡＣ  ＣＥの優先度と等しく、全部のＬＣＧのＢＳ情報を報告するためにＵＬ許可が使用できない場合、第１端末装置は、第１端末装置の実装に基づき、ＵＬ  ＢＳＲ  ＭＡＣ  ＣＥ又はＳＬ  ＢＳＲ  ＭＡＣ  ＣＥを送信することを決定してよい。例えば、被送信データの存在する、Ｕｕインタフェース上のＬＣＧがソートされてよく、ソーティングルールは、ＬＣＧに含まれるＬＣＨに対応する優先度値に対応する優先度の降順にＬＣＧをソートすることであり、被送信データの存在する、ＳＬインタフェース上のＬＣＧがソートされてよく、ソーティングルールは、ＬＣＧに含まれるＬＣＨに対応するＰＰＰＰ値に対応する優先度の降順にＬＣＧをソーティングすることである。第１端末装置は、ＵＬ許可が別のＬＣＧのＢＳ情報を収容できなくなるまで、ＵＬ  ＢＳＲ  ＭＡＣ  ＣＥをＵＬ  ＬＣＧのＢＳ情報により順次満たし、ＳＬ  ＢＳＲ  ＭＡＣ  ＣＥをＳＬ  ＬＣＧのＢＳ情報により順次満たす。
【０２６５】
動作９０４ａは任意的動作である。
【０２６６】
動作９０５ａ。ＵＬ  ＢＳＲ  ＭＡＣ  ＣＥの優先度がＳＬ  ＢＳＲ  ＭＡＣ  ＣＥの優先度より高いか低いかを決定し、ＵＬ  ＢＳＲ  ＭＡＣ  ＣＥの優先度がＳＬ  ＢＳＲ  ＭＡＣ  ＣＥの優先度より高い場合、Ｕｕインタフェース上でＬＣＧのＢＳ情報を優先的に報告するか、或いは、ＵＬ  ＢＳＲ  ＭＡＣ  ＣＥの優先度がＳＬ  ＢＳＲ  ＭＡＣ  ＣＥの優先度より低い場合、ＰＣ５インタフェース上でＬＣＧのＢＳ情報を優先的に報告する。
【０２６７】
図９Ｂは、本願の一実施形態による通信方法の概略フローチャートである。以下は、具体的に、図９Ｂを参照して、本発明の本実施形態における技術的ソリューションを説明する。例えば、図９Ｂに対応する通信方法は以下のステップを含む。
【０２６８】
動作９０１ｂは、動作３０１ｂと同じであり、動作９０１ｂの任意的動作も動作３０１ｂのものと同じである。詳細はここで再び記載されない。
【０２６９】
動作９０２ｂ。第１端末装置は、第４パラメータ値及び第５パラメータ値に対応する優先度の間の関係に基づき、ＵＬ  ＢＳＲ  ＭＡＣ  ＣＥ又はＳＬ  ＢＳＲ  ＭＡＣ  ＣＥの優先度を調整する。
【０２７０】
任意的に、第４パラメータ値が第５パラメータ値より小さい場合、ＳＬ  ＢＳＲ  ＭＡＣ  ＣＥの優先度は、ＵＬ  ＢＳＲ  ＭＡＣ  ＣＥの優先度より低くなるよう調整され、第４パラメータ値が第５パラメータ値より大きい場合、ＳＬ  ＢＳＲ  ＭＡＣ  ＣＥの優先度は、ＵＬ  ＢＳＲ  ＭＡＣ  ＣＥの優先度より高くなるよう調整され、又は、第４パラメータ値が第５パラメータ値と等しい場合、ＳＬ  ＢＳＲ  ＭＡＣ  ＣＥの優先度は、ＵＬ  ＢＳＲ  ＭＡＣ  ＣＥの優先度と等しくなるよう調整される。
【０２７１】
任意的に、第４パラメータ値が第５パラメータ値より小さい又は等しい場合、ＳＬ  ＢＳＲ  ＭＡＣ  ＣＥの優先度は、ＵＬ  ＢＳＲ  ＭＡＣ  ＣＥの優先度より低くなるよう調整され、又は、第４パラメータ値が第５パラメータ値より大きい場合、ＳＬ  ＢＳＲ  ＭＡＣ  ＣＥの優先度は、ＵＬ  ＢＳＲ  ＭＡＣ  ＣＥの優先度より高くなるよう調整される。
【０２７２】
任意的に、第４パラメータ値が第５パラメータ値より小さい場合、ＳＬ  ＢＳＲ  ＭＡＣ  ＣＥの優先度は、ＵＬ  ＢＳＲ  ＭＡＣ  ＣＥの優先度より低くなるよう調整され、又は、第４パラメータ値が第５パラメータ値より大きい又は等しい場合、ＳＬ  ＢＳＲ  ＭＡＣ  ＣＥの優先度は、ＵＬ  ＢＳＲ  ＭＡＣ  ＣＥの優先度より高くなるよう調整される。
【０２７３】
動作９０３ｂ〜９０５ｂは、相応して動作９０３ａ〜９０５ａと同じであり、動作９０３ｂ〜９０５ｂの任意的動作も、相応して動作９０３ａ〜９０５ａの任意的動作と同じである。詳細はここで再び記載されない。
【０２７４】
同様に、本実施形態では、動作９０３ｂ及び動作９０４ｂは任意的動作である。
【０２７５】
図９Ｃは、本願の一実施形態による通信方法の概略フローチャートである。以下は、具体的に、図９Ｃを参照して、本発明の本実施形態における技術的ソリューションを説明する。例えば、図９Ｃに対応する通信方法は以下のステップを含む。
【０２７６】
動作９０１ｃ。第１端末装置は、ＳＬ  ＢＳＲ  ＭＡＣ  ＣＥの優先度を、ＵＬ  ＢＳＲ  ＭＡＣ  ＣＥの優先度と等しくなるよう調整する。
【０２７７】
任意的に、ネットワーク装置は、第１端末装置へ情報を送信し、情報は、ＳＬ  ＢＳＲ  ＭＡＣ  ＣＥ及びＵＬ  ＢＳＲ  ＭＡＣ  ＣＥの優先度を等しくなるよう直接調整するよう、第１端末装置に示すために使用されてよい。
【０２７８】
情報は、ネットワーク装置により、ＳＩＢ、ＲＭＳＩ、ＯＳＩ、ＲＲＣ再構成メッセージ、ＲＲＣ構成メッセージ、ＭＡＣ  ＣＥ、等を通じて送信されてよい。
【０２７９】
任意的に、装置ベンダは、第１端末装置が工場から出荷される前に、第１端末装置のＳＬ  ＢＳＲ  ＭＡＣ  ＣＥ及びＵＬ  ＢＳＲ  ＭＡＣ  ＣＥの優先度を等しくなるよう調整してよい。代替として、第１端末装置がネットワークにアクセスできるとき、ネットワーク装置は、第１端末装置に、ＳＬ  ＢＳＲ  ＭＡＣ  ＣＥ及びＵＬ  ＢＳＲ  ＭＡＣ  ＣＥの優先度を等しくなるよう調整することを示す情報を予め構成してよい。
【０２８０】
動作９０２ｃ。第１端末装置は、全部のＬＣＧのＢＳ情報を報告するためにＵＬ許可が使用できるか否かを決定し、使用できる場合、全部のＬＣＧのＢＳ情報をネットワーク装置に報告し、又は使用できない場合、動作９０３ｃを実行する。
【０２８１】
動作９０３ｃ。第１端末装置は、ＰＰＰＰ閾値及び優先度閾値を取得する。
【０２８２】
任意的に、ネットワーク装置は、第１端末装置に情報を送信し、情報は、ＰＰＰＰ閾値及び優先度閾値を含んでよい。情報は、ネットワーク装置により、ＳＩＢ、ＲＭＳＩ、ＯＳＩ、ＲＲＣ再構成メッセージ、ＲＲＣ構成メッセージ、ＭＡＣ  ＣＥ、等を通じて送信されてよい。
【０２８３】
任意的に、装置ベンダは、第１端末装置が工場から出荷される前に、ＰＰＰＰ閾値及び優先度閾値を、第１端末装置に格納してよい。代替として、ネットワーク装置は、第１端末装置がネットワークにアクセスできるとき、ＰＰＰＰ閾値及び優先度閾値を、第１端末装置に予め構成してよい。
【０２８４】
動作９０４ｃ。第１端末装置は、ＬＣＧのＢＳ情報を報告する。
【０２８５】
任意的に、第１端末装置は、高優先度ＬＣＧのＢＳ情報を優先的に報告する。高優先度ＬＣＧは、ＰＰＰＰ値がＰＰＰＰ閾値より低い被送信データの存在するサイドリンクＬＣＨ、及び優先度値が優先度閾値より低い被送信データの存在するアップリンクＬＣＨを含む。
【０２８６】
図９Ｄは、本願の一実施形態による通信方法の概略フローチャートである。以下は、具体的に、図９Ｄを参照して、本発明の本実施形態における技術的ソリューションを説明する。例えば、図９Ｄに対応する通信方法は以下のステップを含む。
【０２８７】
動作９０１ｄ。第１端末装置は、第２パラメータ値及び第４パラメータ値を取得する。
【０２８８】
例えば、第２パラメータ値は、被送信ＳＬ  ＭＡＣ  ＰＤＵの、最高優先度を有するＰＰＰＰ値であってよい。例えば、第４パラメータ値は、被送信ＵＬ  ＭＡＣ  ＰＤＵの存在する少なくとも１つの論理チャネルの論理チャネル優先度値の中で最高優先度を有する優先度値であってよい。
【０２８９】
任意的に、ネットワーク装置は、第１端末装置へ情報を送信し、情報は、ＳＬデータのＰＰＰＰ値、ＳＬデータのＰＰＰＰ閾値、ＵＬ論理チャネルの優先度値、及びＵＬ論理チャネルの優先度閾値を含んでよい。
【０２９０】
情報は、ネットワーク装置により、ＳＩＢ、ＲＭＳＩ、ＯＳＩ、ＲＲＣ再構成メッセージ、ＲＲＣ構成メッセージ、ＭＡＣ  ＣＥ、等を通じて送信されてよい。
【０２９１】
任意的に、装置ベンダは、第１端末装置が工場から出荷される前に、ＰＰＰＰ閾値及び優先度閾値を、第１端末装置に格納してよい。代替として、ネットワーク装置は、第１端末装置がネットワークにアクセスできるとき、ＰＰＰＰ閾値及び優先度閾値を、第１端末装置に予め構成してよい。
【０２９２】
動作９０２ｄ。第１端末装置は、第２パラメータ値及びＰＰＰＰ閾値に対応する優先度の間の関係、及び第４パラメータ値及び優先度閾値に対応する優先度の間の関係に基づき、ＵＬ  ＢＳＲ  ＭＡＣ  ＣＥ又はＳＬ  ＢＳＲ  ＭＡＣ  ＣＥの優先度を調整する。
【０２９３】
第２パラメータ値がＰＰＰＰ閾値より小さく、第４パラメータ値が優先度閾値と等しくない場合、ＳＬ  ＢＳＲ  ＭＡＣ  ＣＥの優先度は、ＵＬ  ＢＳＲ  ＭＡＣ  ＣＥの優先度と等しくなるよう調整され、又は、第２パラメータ値がＰＰＰＰ閾値より小さく、第４パラメータ値が優先度閾値より大きい場合、ＳＬ  ＢＳＲ  ＭＡＣ  ＣＥの優先度は、ＵＬ  ＢＳＲ  ＭＡＣ  ＣＥの優先度より高くなるよう調整される。
【０２９４】
動作９０３ｄ。第１端末装置は、ＵＬ  ＢＳＲ  ＭＡＣ  ＣＥ及びＳＬ  ＢＳＲ  ＭＡＣ  ＣＥの優先度が等しいか否かを決定し、等しくない場合、ＰＣ５インタフェース上でＬＣＧのＢＳ情報を優先的に報告し、又は等しい場合、９０４ｄを実行する。
【０２９５】
動作９０４ｄ。ＵＬ  ＢＳＲ  ＭＡＣ  ＣＥの優先度がＳＬ  ＢＳＲ  ＭＡＣ  ＣＥの優先度と等しく、全部のＬＣＧのＢＳ情報を報告するためにＵＬ許可が使用できる場合、第１端末装置は、ＵＬ  ＢＳＲ  ＭＡＣ  ＣＥ及びＳＬ  ＢＳＲ  ＭＡＣ  ＣＥ内の全部のＬＣＧのＢＳ情報を報告する。
【０２９６】
ＵＬ  ＢＳＲ  ＭＡＣ  ＣＥの優先度がＳＬ  ＢＳＲ  ＭＡＣ  ＣＥの優先度と等しく、ＵＬ許可が全部のＬＣＧのＢＳ情報を報告するために使用できない場合、第１端末装置は、高優先度ＬＣＧのＢＳ情報を優先的に報告する。高優先度ＬＣＧは、ＰＰＰＰ値がＰＰＰＰ閾値より低い被送信データの存在するＬＣＨ、及び優先度値が優先度閾値より低い被送信データの存在するＬＣＨを含む。
【０２９７】
図９Ｅは、本願の一実施形態による通信方法の概略フローチャートである。以下は、具体的に、図９Ｅを参照して、本発明の本実施形態における技術的ソリューションを説明する。例えば、図９Ｅに対応する通信方法は以下のステップを含む。
【０２９８】
動作９０１eは、動作４０１ａと同じであり、動作９０１eの任意的動作も動作４０１ａのものと同じである。詳細はここで再び記載されない。
【０２９９】
動作９０２ｅ。第１端末装置は、第８パラメータ値及び第２パラメータ値に対応する優先度の間の関係に基づき、ＵＬ  ＢＳＲ  ＭＡＣ  ＣＥ又はＳＬ  ＢＳＲ  ＭＡＣ  ＣＥの優先度を調整する。
【０３００】
任意的に、第２パラメータ値が第８パラメータ値より小さい場合、ＳＬ  ＢＳＲ  ＭＡＣ  ＣＥの優先度は、ＵＬ  ＢＳＲ  ＭＡＣ  ＣＥの優先度より高くなるよう調整され、第２パラメータ値が第８パラメータ値より大きい場合、ＳＬ  ＢＳＲ  ＭＡＣ  ＣＥの優先度は、ＵＬ  ＢＳＲ  ＭＡＣ  ＣＥの優先度より低くなるよう調整され、又は、第２パラメータ値が第８パラメータ値と等しい場合、ＳＬ  ＢＳＲ  ＭＡＣ  ＣＥの優先度は、ＵＬ  ＢＳＲ  ＭＡＣ  ＣＥの優先度と等しくなるよう調整される。
【０３０１】
任意的に、第２パラメータ値が第８パラメータ値より小さい又は等しい場合、ＳＬ  ＢＳＲ  ＭＡＣ  ＣＥの優先度は、ＵＬ  ＢＳＲ  ＭＡＣ  ＣＥの優先度より高くなるよう調整され、又は、第２パラメータ値が第８パラメータ値より小さい場合、ＳＬ  ＢＳＲ  ＭＡＣ  ＣＥの優先度は、ＵＬ  ＢＳＲ  ＭＡＣ  ＣＥの優先度より低くなるよう調整される。
【０３０２】
任意的に、第２パラメータ値が第８パラメータ値より小さい場合、ＳＬ  ＢＳＲ  ＭＡＣ  ＣＥの優先度は、ＵＬ  ＢＳＲ  ＭＡＣ  ＣＥの優先度より高くなるよう調整され、又は、第２パラメータ値が第８パラメータ値より大きい又は等しい場合、ＳＬ  ＢＳＲ  ＭＡＣ  ＣＥの優先度は、ＵＬ  ＢＳＲ  ＭＡＣ  ＣＥの優先度より低くなるよう調整される。
【０３０３】
動作９０３ｅ〜９０５ｅは、相応して動作９０３ａ〜９０５ａと同じであり、動作９０３ｅ〜９０５ｅの任意的動作も、相応して動作９０３ａ〜９０５ａの任意的動作と同じである。詳細はここで再び記載されない。
【０３０４】
同様に、本実施形態では、動作９０３ｅ及び動作９０４ｅは任意的動作である。
【０３０５】
任意的に、図９Ａ〜図９Ｅにおいて、第１端末装置又は第２端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【０３０６】
本願の本実施形態は、以下を含むＵＬ及びＳＬ通信方法を提供する。（１）対応する優先度マッピング値は、Ｕｕインタフェース上の、被送信データの存在する少なくとも１つの論理チャネルの優先度値について構成され、少なくとも１つの優先度マッピング値の中の最小優先度マッピング値は、被送信ＳＬ  ＭＡＣ  ＰＤＵの最小ＰＰＰＰ値と比較される。（２）対応する第１ＰＰＰＰマッピング値は、ＰＣ５インタフェース上のの少なくとも１つのＰＰＰＰ値について構成され、少なくとも１つの第１ＰＰＰＰマッピング値の中の最小ＰＰＰＰマッピング値は、Ｕｕインタフェースの最小優先度値と比較される。（３）ＰＰＰＰ閾値及び優先度閾値は、それぞれ、ＰＣ５インタフェース上のＰＰＰＰ値及びＵｕインタフェース上の論理チャネルの優先度値について構成され、ＰＣ５インタフェース上の最小ＰＰＰＰ値はＰＰＰＰ閾値と比較され、Ｕｕインタフェース上の論理チャネルの最小優先度値は優先度閾値と比較される。（４）対応する優先度レベルマッピング値は、被送信ＵＬ  ＭＡＣ  ＰＤＵの少なくとも１つの優先度レベル値について構成され、少なくとも１つの優先度レベルマッピング値の中の最小優先度レベルマッピング値は、被送信ＳＬ  ＭＡＣ  ＰＤＵの最小ＰＰＰＰ値と比較される。ソリューション（１）、（２）、（３）、及び（４）における比較に基づき、ＵＬ  ＢＳＲ  ＭＡＣ  ＣＥ及びＳＬ  ＢＳＲ  ＭＡＣ  ＣＥの優先度の送信は、より正確に決定でき、ＵＬ  ＢＳＲ  ＭＡＣ  ＣＥ及びＳＬ  ＢＳＲ  ＭＡＣ  ＣＥの遅延及び信頼性要件のような送信要件は、バランスが取れる。
【０３０７】
図１０Ａは、本願の一実施形態による通信方法の概略フローチャートである。以下は、具体的に、図１０Ａを参照して、本願の本実施形態における技術的ソリューションを説明する。例えば、図１０Ａに対応する通信方法は以下のステップを含む。
【０３０８】
動作１００１ａは、動作３０１ａと同じであり、動作１００１ａの任意的動作も動作３０１ａのものと同じである。詳細はここで再び記載されない。
【０３０９】
動作１００２ａ。第１端末装置は、第１パラメータ値及び第２パラメータ値に対応する優先度の間の関係に基づき、ＵＬ  ＭＡＣ  ＰＤＵ又はＳＬ  ＢＳＲ  ＭＡＣ  ＣＥの優先度を調整する。
【０３１０】
任意的に、第２パラメータ値が第１パラメータ値より小さい場合、ＳＬ  ＢＳＲ  ＭＡＣ  ＣＥの優先度は、ＵＬ  ＭＡＣ  ＰＤＵの優先度より高くなるよう調整され、第２パラメータ値が第１パラメータ値より大きい場合、ＳＬ  ＢＳＲ  ＭＡＣ  ＣＥの優先度は、ＵＬ  ＭＡＣ  ＰＤＵの優先度より低くなるよう調整され、又は、第２パラメータ値が第１パラメータ値と等しい場合、ＳＬ  ＢＳＲ  ＭＡＣ  ＣＥの優先度は、ＵＬ  ＭＡＣ  ＰＤＵの優先度と等しくなるよう調整される。
【０３１１】
任意的に、第２パラメータ値が第１パラメータ値より小さい又は等しい場合、ＳＬ  ＢＳＲ  ＭＡＣ  ＣＥの優先度は、ＵＬ  ＭＡＣ  ＰＤＵの優先度より高くなるよう調整され、又は、第２パラメータ値が第１パラメータ値より小さい場合、ＳＬ  ＢＳＲ  ＭＡＣ  ＣＥの優先度は、ＵＬ  ＭＡＣ  ＰＤＵの優先度より低くなるよう調整される。
【０３１２】
任意的に、第２パラメータ値が第１パラメータ値より小さい場合、ＳＬ  ＢＳＲ  ＭＡＣ  ＣＥの優先度は、ＵＬ  ＭＡＣ  ＰＤＵの優先度より高くなるよう調整され、又は、第２パラメータ値が第１パラメータ値より大きい又は等しい場合、ＳＬ  ＢＳＲ  ＭＡＣ  ＣＥの優先度は、ＵＬ  ＭＡＣ  ＰＤＵの優先度より低くなるよう調整される。
【０３１３】
動作１００３ａ。ＵＬ  ＭＡＣ  ＰＤＵの優先度がＳＬ  ＢＳＲ  ＭＡＣ  ＣＥの優先度と等しいか否かを決定し、等しい場合、動作１００４ａを実行し、等しくない場合、動作１００５ａを実行する。
【０３１４】
動作１００３ａは任意的動作である。
【０３１５】
動作１００４ａ。ＵＬ  ＭＡＣ  ＰＤＵの優先度がＳＬ  ＢＳＲ  ＭＡＣ  ＣＥの優先度と等しい場合、第１端末装置は、第１端末装置の実装に基づき、ＵＬ  ＭＡＣ  ＰＤＵ又はＳＬ  ＢＳＲ  ＭＡＣ  ＣＥを送信することを決定してよい。例えば、被送信データの存在する、Ｕｕインタフェース上のＬＣＧがソートされてよく、ソーティングルールは、ＬＣＧに含まれるＬＣＨに対応する優先度値に対応する優先度の降順にＬＣＧをソートすることであり、被送信データの存在する、ＳＬインタフェース上のＬＣＧがソートされてよく、ソーティングルールは、ＬＣＧに含まれるＬＣＨに対応するＰＰＰＰ値に対応する優先度の降順にＬＣＧをソーティングすることである。第１端末装置は、ＵＬ  ＭＡＣ  ＰＤＵ及びＳＬ  ＢＳＲ  ＭＡＣ  ＣＥを順次送信する。
【０３１６】
動作１００４ａは任意的動作である。
【０３１７】
動作１００５ａ。ＵＬ  ＭＡＣ  ＰＤＵの優先度がＳＬ  ＢＳＲ  ＭＡＣ  ＣＥの優先度より高いか低いかを決定し、ＵＬ  ＭＡＣ  ＰＤＵの優先度がＳＬ  ＢＳＲ  ＭＡＣ  ＣＥの優先度より高い場合、Ｕｕインタフェース上のＬＣＨデータを優先的に報告するか、或いは、ＵＬ  ＭＡＣ  ＰＤＵの優先度がＳＬ  ＢＳＲ  ＭＡＣ  ＣＥの優先度より低い場合、ＰＣ５インタフェース上のＬＣＧのＢＳ情報を優先的に報告する。
【０３１８】
図１０Ｂは、本願の一実施形態による通信方法の概略フローチャートである。以下は、具体的に、図１０Ｂを参照して、本発明の本実施形態における技術的ソリューションを説明する。例えば、図１０Ｂに対応する通信方法は以下のステップを含む。
【０３１９】
動作１００１ｂは、動作３０１ｂと同じであり、動作１００１ｂの任意的動作も動作３０１ｂのものと同じである。詳細はここで再び記載されない。
【０３２０】
動作１００２ｂ。第１端末装置は、第４パラメータ値及び第５パラメータ値に対応する優先度の間の関係に基づき、ＵＬ  ＭＡＣ  ＰＤＵ又はＳＬ  ＢＳＲ  ＭＡＣ  ＣＥの優先度を調整する。
【０３２１】
任意的に、第４パラメータ値が第５パラメータ値より小さい場合、ＳＬ  ＢＳＲ  ＭＡＣ  ＣＥの優先度は、ＵＬ  ＭＡＣ  ＰＤＵの優先度より低くなるよう調整され、第４パラメータ値が第５パラメータ値より大きい場合、ＳＬ  ＢＳＲ  ＭＡＣ  ＣＥの優先度は、ＵＬ  ＭＡＣ  ＰＤＵの優先度より高くなるよう調整され、又は、第４パラメータ値が第５パラメータ値と等しい場合、ＳＬ  ＢＳＲ  ＭＡＣ  ＣＥの優先度は、ＵＬ  ＭＡＣ  ＰＤＵの優先度と等しくなるよう調整される。
【０３２２】
任意的に、第４パラメータ値が第５パラメータ値より小さい又は等しい場合、ＳＬ  ＢＳＲ  ＭＡＣ  ＣＥの優先度は、ＵＬ  ＭＡＣ  ＰＤＵの優先度より低くなるよう調整され、又は、第４パラメータ値が第５パラメータ値より大きい場合、ＳＬ  ＢＳＲ  ＭＡＣ  ＣＥの優先度は、ＵＬ  ＭＡＣ  ＰＤＵの優先度より高くなるよう調整される。
【０３２３】
任意的に、第４パラメータ値が第５パラメータ値より小さい場合、ＳＬ  ＢＳＲ  ＭＡＣ  ＣＥの優先度は、ＵＬ  ＭＡＣ  ＰＤＵの優先度より低くなるよう調整され、又は、第４パラメータ値が第５パラメータ値より大きい又は等しい場合、ＳＬ  ＢＳＲ  ＭＡＣ  ＣＥの優先度は、ＵＬ  ＭＡＣ  ＰＤＵの優先度より高くなるよう調整される。
【０３２４】
動作１００３ｂ〜１００５ｂは、相応して動作１００３ａ〜１００５ａと同じであり、動作１００３ｂ〜１００５ｂの任意的動作も、相応して動作１００３ａ〜１００５ａの任意的動作と同じである。詳細はここで再び記載されない。
【０３２５】
同様に、本実施形態では、動作１００３ｂ及び動作１００４ｂは任意的動作である。
【０３２６】
図１０Ｃは、本願の一実施形態による通信方法の概略フローチャートである。以下は、具体的に、図１０Ｃを参照して、本発明の本実施形態における技術的ソリューションを説明する。例えば、図１０Ｃに対応する通信方法は以下のステップを含む。
【０３２７】
動作１００１ｃ。第１端末装置は、第４パラメータ値及びＵｕインタフェース上の優先度閾値を取得する。
【０３２８】
例えば、第４パラメータ値は、被送信ＵＬ  ＭＡＣ  ＰＤＵの存在する少なくとも１つの論理チャネルの論理チャネル優先度値の中で最高優先度を有する優先度値であってよい。
【０３２９】
例えば、ネットワーク装置は、第１端末装置に情報を送信し、情報は、Ｕｕインタフェース上の優先度閾値を含んでよい。
【０３３０】
情報は、ネットワーク装置により、ＳＩＢ、ＲＭＳＩ、ＯＳＩ、ＲＲＣ再構成メッセージ、ＲＲＣ構成メッセージ、ＭＡＣ  ＣＥ、等を通じて送信されてよい。
【０３３１】
任意的に、装置ベンダは、第１端末装置が工場から出荷される前に、優先度閾値を、第１端末装置に格納してよい。代替として、ネットワーク装置は、第１端末装置がネットワークにアクセスできるとき、優先度閾値を、第１端末装置に予め構成してよい。
【０３３２】
動作１００２ｃ。第１端末装置は、第４パラメータ値及びＵｕインタフェース上の優先度閾値に対応する優先度の間の関係に基づき、ＵＬ  ＭＡＣ  ＰＤＵ又はＳＬ  ＢＳＲ  ＭＡＣ  ＣＥの優先度を調整する。
【０３３３】
第１端末装置は、第４パラメータ値及び優先度閾値に対応する優先度の間の関係に基づき、ＵＬ  ＭＡＣ  ＰＤＵ又はＳＬ  ＢＳＲ  ＭＡＣ  ＣＥの優先度を調整する。
【０３３４】
任意的に、第４パラメータ値が優先度閾値より小さい場合、ＵＬ  ＭＡＣ  ＰＤＵの優先度は、ＳＬ  ＢＳＲ  ＭＡＣ  ＣＥの優先度より高くなるよう調整され、又は、第４パラメータ値が優先度閾値より大きい又は等しい場合、ＳＬ  ＢＳＲ  ＭＡＣ  ＣＥの優先度は、ＵＬ  ＭＡＣ  ＰＤＵの優先度より高くなるよう調整される。
【０３３５】
動作１００３ｃ。ＵＬ  ＭＡＣ  ＰＤＵの優先度がＳＬ  ＢＳＲ  ＭＡＣ  ＣＥの優先度より高いか否かを決定し、ＵＬ  ＭＡＣ  ＰＤＵの優先度がＳＬ  ＢＳＲ  ＭＡＣ  ＣＥの優先度より高い場合、Ｕｕインタフェース上のＵＬ  ＭＡＣ  ＰＤＵを優先的に報告するか、或いは、ＵＬ  ＭＡＣ  ＰＤＵの優先度がＳＬ  ＢＳＲ  ＭＡＣ  ＣＥの優先度より低い又は等しい場合、ＰＣ５インタフェース上のＬＣＧのＢＳ情報を優先的に報告する。
【０３３６】
図１０Ｄは、本願の一実施形態による通信方法の概略フローチャートである。以下は、具体的に、図１０Ｄを参照して、本発明の本実施形態における技術的ソリューションを説明する。例えば、図１０Ｄに対応する通信方法は以下のステップを含む。
【０３３７】
動作１００１ｄ。第１端末装置は、ＳＬデータのＰＰＰＰ閾値、ＵＬ論理チャネルの優先度閾値、第２パラメータ値、及び第４パラメータ値を取得する。
【０３３８】
例えば、第２パラメータ値は、被送信ＳＬ  ＭＡＣ  ＰＤＵの、最高優先度を有するＰＰＰＰ値であってよい。例えば、第４パラメータ値は、被送信ＵＬ  ＭＡＣ  ＰＤＵの存在する少なくとも１つの論理チャネルの論理チャネル優先度値の中で最高優先度を有する優先度値であってよい。
【０３３９】
任意的に、ネットワーク装置は、第１端末装置へ情報を送信し、情報は、ＳＬデータのＰＰＰＰ値、ＳＬデータのＰＰＰＰ閾値、ＵＬ論理チャネルの優先度値、及びＵＬ論理チャネルの優先度閾値を含んでよい。
【０３４０】
情報は、ネットワーク装置により、ＳＩＢ、ＲＭＳＩ、ＯＳＩ、ＲＲＣ再構成メッセージ、ＲＲＣ構成メッセージ、ＭＡＣ  ＣＥ、等を通じて送信されてよい。
【０３４１】
任意的に、装置ベンダは、第１端末装置が工場から出荷される前に、ＰＰＰＰ閾値及び優先度閾値を、第１端末装置に格納してよい。代替として、ネットワーク装置は、第１端末装置がネットワークにアクセスできるとき、ＰＰＰＰ閾値及び優先度閾値を、第１端末装置に予め構成してよい。
【０３４２】
動作１００２ｄ。第１端末装置は、第２パラメータ値及びＰＰＰＰ閾値に対応する優先度の間の関係、及び第４パラメータ値及び優先度閾値に対応する優先度の間の関係に基づき、ＵＬ  ＭＡＣ  ＰＤＵ又はＳＬ  ＢＳＲ  ＭＡＣ  ＣＥの優先度を調整する。
【０３４３】
任意的に、第２パラメータ値がＰＰＰＰ閾値より小さく、第４パラメータ値が優先度閾値より小さい場合、ＳＬ  ＢＳＲ  ＭＡＣ  ＣＥの優先度は、ＵＬ  ＢＳＲ  ＭＡＣ  ＣＥの優先度より低くなるよう調整され、又は、優先度値が優先度閾値より低いＵＬ  ＭＡＣ  ＰＤＵの優先度は、ＳＬ  ＢＳＲ  ＭＡＣ  ＣＥの優先度より高くなるよう調整され、又は、第２パラメータ値がＰＰＰＰ閾値より小さく、第４パラメータ値が優先度閾値より大きい場合、ＳＬ  ＢＳＲ  ＭＡＣ  ＣＥの優先度は、ＵＬ  ＭＡＣ  ＰＤＵの優先度より高くなるよう調整される。
【０３４４】
動作１００３ｄ。第１端末装置は、ＵＬ  ＭＡＣ  ＰＤＵ及びＳＬ  ＢＳＲ  ＭＡＣ  ＣＥの優先度が等しいか否かを決定する。等しくない場合、第１端末装置は、Ｕｕインタフェース上のＵＬ  ＭＡＣ  ＰＤＵを優先的に報告するか、又は第１端末装置は、優先度値が優先度閾値より低いＵＬ  ＭＡＣ  ＰＤＵを優先的に報告する。或いは、等しい場合、第１端末装置は」動作１００４ｄを実行する。
【０３４５】
動作１００４ｄ。第１端末装置は、高優先度ＵＬ  ＭＡＣ  ＰＤＵ及び高優先度ＳＬ  ＬＣＧのＢＳ情報を優先的に報告する。ここで、高優先度ＵＬ  ＭＡＣ  ＰＤＵは、優先度値が優先度閾値より低いＵＬ  ＭＡＣ  ＰＤＵを含み、高優先度ＳＬ  ＬＣＧは、ＰＰＰＰ値がＰＰＰＰ閾値より低い被送信データの存在するＬＣＨを含む。
【０３４６】
任意的に、図１０Ａ〜図１０Ｄにおいて、第１端末装置又は第２端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【０３４７】
本願の本実施形態は、以下を含むＵＬ及びＳＬ通信方法を提供する。（１）対応する優先度マッピング値は、Ｕｕインタフェース上の、被送信データの存在する少なくとも１つの論理チャネルの優先度値について構成され、優先度マッピング値は、ＰＣ５インタフェース上の最小ＰＰＰＰ値と比較される。（２）対応する第１ＰＰＰＰマッピング値は、ＰＣ５インタフェース上の少なくとも１つのＰＰＰＰ値について構成され、少なくとも１つの第１ＰＰＰＰマッピング値の中の最小ＰＰＰＰマッピング値は、Ｕｕインタフェース上の最小優先度値と比較される。（３）優先度閾値は、Ｕｕインタフェース上の論理チャネルの優先度値について構成され、被送信データの存在するアップリンクＬＣＨの最小優先度値は優先度閾と比較される。（４）優先度閾値は、Ｕｕインタフェース上の論理チャネルの優先度値について構成され、ＰＰＰＰ閾値は、ＰＣ５インタフェース上のＰＰＰＰ値について構成され、Ｕｕインタフェース上の、被送信データの存在する論理チャネルの最小優先度値は、優先度閾値と比較され、ＰＣ５インタフェース上の被送信データの最小ＰＰＰＰ値はＰＰＰＰ閾値と比較される。ソリューション（１）、（２）、（３）、及び（４）における比較に基づき、ＵＬ  ＭＡＣ  ＰＤＵ及びＳＬ  ＢＳＲ  ＭＡＣ  ＣＥの優先度の送信は、より正確に決定でき、ＵＬ  ＭＡＣ  ＰＤＵ及びＳＬ  ＢＳＲ  ＭＡＣ  ＣＥの送信遅延要件は、バランスが取れる。
【０３４８】
端末装置の被送信データがＵＬ  ＢＳＲ又はＳＬ  ＢＳＲをトリガした後に、ＢＳＲを送信するためにＵＬ許可が使用されない場合、端末装置は、ＢＳＲを送信するためのＵＬ許可をネットワーク装置に申し出るために、スケジューリング要求（Scheduling  Request,  SR）をネットワーク装置へ送信する。現在の技術では、各端末装置の全部のサイドリンク論理チャネルは、１つのＳＲ構成のみを共有する。従って、２つの異なる端末装置の異なるＳＲを受信すると、ネットワーク装置は、異なる端末装置のサービス優先度を区別できず、サービス識別及びスケジューリングを実行できない。
【０３４９】
図１１Ａは、本願の一実施形態による通信方法の概略フローチャートである。以下は、具体的に、図１１Ａを参照して、本願の本実施形態における技術的ソリューションを説明する。例えば、図１１Ａに対応する通信方法は以下のステップを含む。
【０３５０】
動作１１０１ａ：第１端末装置は、各ＰＰＰＰ値のＳＲ構成を取得する。
【０３５１】
任意的に、ネットワーク装置は、第１端末装置に情報を送信し、情報は、各ＰＰＰＰ値のＳＲ構成を提供するために使用されてよい。情報は、ネットワーク装置により、ＳＩＢ、ＲＭＳＩ、ＯＳＩ、ＲＲＣ再構成メッセージ、ＲＲＣ構成メッセージ、ＭＡＣ  ＣＥ、等を通じて送信されてよい。
【０３５２】
任意的に、装置ベンダは、第１端末装置が工場から出荷される前に、各ＰＰＰＰ値のＳＲ構成を、第１端末装置に格納してよい。代替として、ネットワーク装置は、第１端末装置がネットワークにアクセスできるとき、各ＰＰＰＰ値のＳＲ構成を、第１端末装置に予め構成してよい。
【０３５３】
動作１１０２ａ。第１端末装置の、ＰＣ５インタフェース上のＬＣＨは、ＳＬ  ＢＳＲをトリガし、更にＳＲをトリガする。
【０３５４】
動作１１０３ａ。ＬＣＨのＰＰＰＰ値に関連付けられたＳＲ構成を検索する。
【０３５５】
動作１１０４ａ。関連付けられたＳＲ構成を使用することにより、ネットワーク装置へＳＲを送信する。ネットワーク装置は、車両装置により送信されたＰＰＰＰ値情報を導出を通じて取得するために、ＳＲを受信するための位置に関する情報を決定する。従って、ネットワーク装置は、車両装置のサービス状態が分かり、第１端末装置及び第２車両装置のスケジューリング優先度シーケンスを決定し得る。
【０３５６】
図１１Ｂは、本願の一実施形態による通信方法の概略フローチャートである。以下は、具体的に、図１１Ｂを参照して、本発明の本実施形態における技術的ソリューションを説明する。例えば、図１１Ｂに対応する通信方法は以下のステップを含む。
【０３５７】
動作１１０１ｂ。第１端末装置は、各ＰＰＰＰ値及びＵｕ論理チャネルアイデンティティ（logical  channel  identity,  LCID）との間の関連付け関係を取得する。
【０３５８】
任意的に、ネットワーク装置は、第１端末装置に情報を送信し、情報は、各ＰＰＰＰ値及びＵｕ論理チャネルアイデンティティ（logical  channel  identity,  LCID）との間の関連付け関係を提供するために使用されてよい。情報は、ネットワーク装置により、ＳＩＢ、ＲＭＳＩ、ＯＳＩ、ＲＲＣ再構成メッセージ、ＲＲＣ構成メッセージ、ＭＡＣ  ＣＥ、等を通じて送信されてよい。
【０３５９】
任意的に、装置ベンダは、第１端末装置が工場から出荷される前に、各ＰＰＰＰ値及びＵｕ論理チャネルアイデンティティ（logical  channel  identity,  LCID）との間の関連付け関係を、第１端末装置に格納してよい。代替として、ネットワーク装置は、第１端末装置がネットワークにアクセスできるとき、各ＰＰＰＰ値及びＵｕ論理チャネルアイデンティティ（logical  channel  identity,  LCID）との間の関連付け関係を、第１端末装置に予め構成してよい。
【０３６０】
動作１１０２ｂ。第１端末装置の、ＰＣ５インタフェース上のＬＣＨは、ＳＬ  ＢＳＲをトリガし、更にＳＲをトリガする。
【０３６１】
動作１１０３ｂ。ＬＣＨのＰＰＰＰ値に関連付けられたＬＣＩＤのスケジューリング要求（Scheduling  Request,  SR）構成を検索する。
【０３６２】
ＳＲ構成は、ＳＲリソース、ＳＲ送信停止タイマ、及び最大ＳＲ再送数、のうちの少なくとも任意の１つ以上を含む。
【０３６３】
動作１１０４ｂ。ＬＣＩＤに対応するＳＲ構成を使用することにより、ネットワーク装置へＳＲを送信する。
【０３６４】
任意的に、関連付けられたＳＲ構成がＳＲをトリガするＬＣＨについて見付けることができなかった場合、言い換えると、ＬＣＨについて対応するＳＲ構成が構成されていない場合、アップリンクリソースを要求するために、ＲＡＣＨがトリガされる。
【０３６５】
任意的に、図１１Ａ及び図１１Ｂにおいて、第１端末装置又は第２端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【０３６６】
本願の実施形態は、スケジューリング要求方法を提供する。ネットワーク装置は、ＰＣ５インタフェース上の異なるサイドリンク論理チャネルについて複数のＳＲ構成を構成する。このソリューションは、より良いサービス識別及びスケジューリングにより、ネットワーク装置を助けることができる。例えば、２つの異なる端末装置の異なるＳＲ構成を受信すると、ネットワーク装置は、異なる端末装置のサービス優先度を区別できる。
【０３６７】
現在の技術では、Ｖ２Ｘモードで、端末装置は、リソースを検知することにより（sensing）及びリソース除外閾値を使用することにより、データを送信すべき適切な目標端末装置を選択する。しかしながら、現在の技術では、ＰＰＰＰ値の影響だけが、リソース除外閾値のために考慮される。高信頼度サービスは、高信頼度サービスのより高い送信信頼性を保証するために、より良好なチャネル条件を有するリソースを使用することにより送信される必要がある。従って、異なる信頼性要件を有するサービスについて、リソース除外閾値の異なる処理方法が使用されるべきである。
【０３６８】
図１２は、本願の一実施形態による通信方法の概略フローチャートである。以下は、具体的に、図１２を参照して、本願の本実施形態における技術的ソリューションを説明する。例えば、図１２に対応する通信方法は以下のステップを含む。
【０３６９】
動作１２０１。ＰＰＰＲ関連パラメータを取得する。
【０３７０】
第１の任意的実装では、検知（sensing）処理におけるソース端末装置及び目標端末装置に対応するＰＰＰＲ値の間の差が、取得される。次に、現在の技術におけるリソース除外閾値の調整値が、ソース端末装置及び目標端末装置に対応するＰＰＰＲ値の間の差を用いて取得される。
【０３７１】
任意的に、ソース端末装置及び目標端末装置に対応するＰＰＰＲ値の間の差により調整係数を乗算することにより取得される積値が、調整値として使用されてよい。調整係数は、ＲＲＣ再構成メッセージ又は他のシグナリングを通じて、ネットワーク装置により端末装置のために構成されてよい。
【０３７２】
第２の任意的な実装では、リソース除外閾値は、各ＰＰＰＲ値について定義され／構成される。
【０３７３】
第３の任意的な実装では、ＰＰＰＰ値テーブルと同様のＰＰＰＲ値テーブルがＰＰＰＲ値について構成される。４つのＰＰＰＲ値の例が使用される。以下の表８に示すように、表８の行の値は目標端末装置のサービスのＰＰＰＲ値を表し、表８の列の値はソース端末装置のサービスのＰＰＰＲ値を表す。
表８
【表８】
2021533690.tif 000010
【０３７４】
第４の任意的な実装では、現在の技術におけるＰＰＰＰ値テーブルを置き換えるために、包括的ＰＰＰＰ及びＰＰＰＲ値テーブルが定義される。この場合、２つのＰＰＰＰ値及び２つのＰＰＰＲ値が存在し、各ＰＰＰＰ値は２つのＰＰＰＲ値に対応し、対応する行の数、及び対応する列の数は、両方とも４である。表９に示すように、表９の行の値は目標端末装置のサービスのＰＰＰＲ値を表し、表９の列の値はソース端末装置のサービスのＰＰＰＲ値を表す。
表９
【表９】
2021533690.tif 000011
【０３７５】
表９における方法によると、４個のＰＰＰＰ値及び８個のＰＰＰＲ値が存在し、各ＰＰＰＰ値は８個のＰＰＰＲ値に対応し、対応する行の数、及び対応する列の数は、両方とも３２である。８個のＰＰＰＰ値及び８個のＰＰＰＲ値が存在し、各ＰＰＰＰ値が８個のＰＰＰＲ値に対応し、対応する行の数、及び対応する列の数は、両方とも６４である。
【０３７６】
任意的に、調整係数／リソース除外閾値／ＰＰＰＲ値テーブル／包括的ＰＰＰＰ及びＰＰＰＲ値テーブルのような前述の定義され／構成される情報は、予め定義されてよい。例えば、定義され／構成される情報は、プロトコルで定義される。代替として、装置ベンダは、第１端末装置が工場から出荷される前に、定義され／構成される情報を、第１端末装置に予め格納してよい。代替として、ネットワーク装置は、第１端末装置がネットワークにアクセスできるとき、定義され／構成される情報を、第１端末装置へ送信してよい。
【０３７７】
任意的に、ネットワーク装置と第１端末装置との間の定義され／構成される情報は、ブロードキャスト信号、ＲＲＣシグナリング、ＭＡＣ  ＣＥ、ＤＣＩ、等を通じて構成されてよい。
【０３７８】
動作１２０２。取得されたＰＰＰＲ関連パラメータを用いて、リソース除外方法を確立する。
【０３７９】
動作１２０１の第１の任意的な実装に基づく任意的な実装では、現在の技術におけるリソース除外閾値は、動作１２０１で取得された調整値を用いて調整される。ソース送信車両装置が、比較的高い信頼性要件を有するとき（つまり、ＰＰＰＲ値が比較的低い）、現在の技術におけるリソース除外閾値は、調整値を用いて低減される。或いは、ソース送信車両装置が比較的低い信頼性要件を有するとき（つまり、ＰＰＰＲ値が比較的高い）、現在の技術におけるリソース除外閾値は、調整値を用いて増大される。
【０３８０】
動作１２０１の第２の任意的な実装に基づく任意的な実装では、リソース除外中、各ＰＰＰＲ値について構成されたリソース除外閾値及び現在の技術におけるＰＰＰＰ閾値テーブルの両方が考慮される必要がある。第１端末装置により検知された参照信号受信電力（Reference  signal  received  power,  RSRP）が構成されたリソース除外閾値より大きい、又はＰＰＰＰ閾値テーブルの中の対応する閾値より大きいとき、リソースプールの中の検知されたリソースは、除外される。
【０３８１】
動作１２０１の第３の任意的な実装に基づく任意的な実装では、リソース除外閾値が決定されると、構成されたＰＰＰＲ値テーブルの中の閾値、及び構成されたＰＰＰＰ値テーブルの中の閾値、の両方が考慮される。例えば、ＲＳＲＰが２つのテーブルの中の両方の閾値より大きいときのみ、検知されたリソースが除外できることが指定されてよい。
【０３８２】
動作１２０１の第４の任意的な実装に基づく任意的な実装では、リソース除外閾値は、定義された包括的ＰＰＰＰ及びＰＰＰＲ値テーブルに基づき予め定義される。
【０３８３】
任意的に、図１２において、第１端末装置又は第２端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【０３８４】
本願の本実施形態は、リソース除外方法を提供する。リソース除外閾値を決定するとき、第１端末装置は、２つのパラメータ：ＰＰＰＰ値及びＰＰＰＲ値を考慮する。本ソリューションは、高信頼性要件を有するサービスの送信信頼性を更に保証できる。
【０３８５】
図１３は、本願の一実施形態による通信方法の概略フローチャートである。以下は、具体的に、図１３を参照して、本願の本実施形態における技術的ソリューションを説明する。例えば、図１３に対応する通信方法は以下のステップを含む。
【０３８６】
動作１３０１。第１端末装置は、第１規格ＳＬの第３パラメータ値、及び第２規格ＳＬの第９パラメータ値を取得する。
【０３８７】
例えば、第３パラメータ値は、第１端末装置の第１規格ＳＬ媒体アクセス制御プロトコルデータユニット（Long  Term  Evolution  Sidelink  Media  Access  Control  Protocol  Data  Unit,  first-standard  SL  MAC  PDU）の少なくとも１つのＰＰＰＰ値の中で最高優先度を有するＰＰＰＰ値であってよい。
【０３８８】
例えば、第９パラメータ値は、第１端末装置の第２規格ＳＬ媒体アクセス制御プロトコルデータユニット（New  Radio  Sidelink  Media  Access  Control  Protocol  Data  Unit,  second-standard  SL  MAC  PDU）の少なくとも１つのＰＰＰＰ値の中で最高優先度を有するＰＰＰＰ値であってよい。
【０３８９】
動作１３０２。第１端末装置は、第３パラメータ値及び第９パラメータ値に対応する優先度の間の関係に基づき、第１規格ＳＬ  ＭＡＣ  ＰＤＵ又は第２規格ＳＬ  ＭＡＣ  ＰＤＵを送信する。
【０３９０】
任意的に、第３パラメータ値に対応する優先度が第９パラメータ値に対応する優先度より高い場合、第１規格ＳＬ  ＭＡＣ  ＰＤＵが優先的に送信され、或いは、第３パラメータ値に対応する優先度が第２パラメータ値に対応する優先度より低い又は等しい場合、第２規格ＳＬ  ＭＡＣ  ＰＤＵが優先的に送信される。
【０３９１】
任意的に、第３パラメータ値に対応する優先度が第９パラメータ値に対応する優先度より高い又は等しい場合、第１規格ＳＬ  ＭＡＣ  ＰＤＵが優先的に送信され、或いは、第３パラメータ値に対応する優先度が第２パラメータ値に対応する優先度より低い場合、第２規格ＳＬ  ＭＡＣ  ＰＤＵが優先的に送信される。
【０３９２】
任意的に、第３パラメータ値に対応する優先度が第９パラメータ値に対応する優先度より高い場合、第２規格ＳＬ  ＭＡＣ  ＰＤＵの送信優先度は第１規格ＳＬ  ＭＡＣ  ＰＤＵの送信優先度より低く、第１規格ＳＬ  ＭＡＣ  ＰＤＵが優先的に送信され、第３パラメータ値に対応する優先度が第９パラメータ値に対応する優先度より低い場合、第２規格ＳＬ  ＭＡＣ  ＰＤＵの送信優先度は第１規格ＳＬ  ＭＡＣ  ＰＤＵの送信優先度より高く、第２規格ＳＬ  ＭＡＣ  ＰＤＵが優先的に送信され、又は、第３パラメータ値に対応する優先度が第９パラメータ値に対応する優先度と等しい場合、第１端末装置は、第１端末装置の実装に基づき、第１規格ＳＬ  ＭＡＣ  ＰＤＵの送信優先度を第２規格ＳＬ  ＭＡＣ  ＰＤＵの送信優先度と比較してよい。例えば、第３パラメータ値に対応する優先度が第２パラメータ値に対応する優先度と等しい場合の第１規格ＳＬ  ＭＡＣ  ＰＤＵ及び第２規格ＳＬ  ＭＡＣ  ＰＤＵの送信優先度についてのルールは、第１端末装置が工場から出荷される前に、第１端末装置に予め定義される。例えば、第１端末装置がネットワークにアクセスできるとき、ネットワーク装置は、第１端末装置のために、第３パラメータ値に対応する優先度が第２パラメータ値に対応する優先度と等しい場合の第１規格ＳＬ  ＭＡＣ  ＰＤＵ及び第２規格ＳＬ  ＭＡＣ  ＰＤＵの送信優先度についてのルールを構成する。例えば、第１端末装置は、別の特別な条件に基づき、第１規格ＳＬ  ＭＡＣ  ＰＤＵの送信優先度を第２規格ＳＬ  ＭＡＣ  ＰＤＵの送信優先度と比較する。
【０３９３】
任意的に、図１３において、第１端末装置又は第２端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【０３９４】
図１４は、本願の一実施形態による通信方法の概略フローチャートである。以下は、具体的に、図１４を参照して、本願の本実施形態における技術的ソリューションを説明する。例えば、図１４に対応する通信方法は以下のステップを含む。
【０３９５】
動作１４０１。第１端末装置は、第３パラメータ値及び第１０パラメータ値を取得する。
【０３９６】
例えば、第３パラメータ値は、第１端末装置の第１規格ＳＬ  ＭＡＣ  ＰＤＵの少なくとも１つのＰＰＰＰ値の中で最高優先度を有するＰＰＰＰ値であってよい。例えば、第１０パラメータ値は、第１端末装置の第２規格ＳＬ  ＭＡＣ  ＰＤＵの少なくとも１つの優先度レベルマッピング値の中で最高優先度を有する優先度レベルマッピング値であってよい。
【０３９７】
例えば、ネットワーク装置は、情報を第１端末装置へ送信し、情報は、第１端末装置のＳＬ  ＭＡＣＰＤＵの優先度レベル（priority  level）値に対応する優先度レベルマッピング値を含んでよい。
【０３９８】
例えば、優先度レベル値は、ＰＰＰＰ値と比較されてよい。例えば、優先度レベルマッピング値の値範囲は、ＰＰＰＰ値の値範囲と同じである。優先度レベル値と優先度レベルマッピング値との間の対応は、多対１対応であってよい。例えば、各優先度レベル値は、１つの優先度レベルマッピング値に対応し、異なる優先度レベル値が同じ優先度レベルマッピング値に対応してよい。例えば、優先度レベル値４の優先度レベルマッピング値は、ユニークに２に設定されてよい。例えば、優先度レベル値３の優先度レベルマッピング値も、ユニークに２に設定されてよい。例えば、優先度レベル値の範囲が１〜１１４であり、ＰＰＰＰ値の範囲が１〜８である場合、優先度レベル値、優先度レベルマッピング値、及びＰＰＰＰ値の間の対応は、表１に示され得る。例えば、代替として、優先度レベルマッピング値について、優先度レベル値はＰＰＰＰ値に直接マッピングされてよく、表１の第２列は省略されてよい。
表１０
【表１０】
2021533690.tif 000012
【０３９９】
留意すべきことに、表１０は、単に優先度レベル値、優先度レベルマッピング値、及びＰＰＰＰ値との間の可能な対応を示す。実際に、優先度レベル値の値範囲は１〜１１４より大きくてよい。
【０４００】
情報は、ネットワーク装置により、システム構成情報ブロック（System  information  block,  SIB）、残存最小システム情報（Remaining  Minimum  System  Information,  RMSI）、他のシステム情報（Other  System  Information,  OSI）、無線リソース制御（Radio  Resource  Control,  RRC）再構成メッセージ、ＲＲＣ構成メッセージ、又は媒体アクセス制御制御要素（Media  Access  Control  Control  Element,  MAC  CE）シグナリングを通じて、送信されてよい。任意的に、情報を運ぶＲＲＣ再構成メッセージは、表１の優先度レベル値、優先度レベルマッピング値、及びＰＰＰＰ値の間の少なくとも１つの対応を運んでよい。
【０４０１】
任意的に、装置ベンダは、第１端末装置が工場から出荷される前に、各優先度レベル値の優先度レベルマッピング値を、第１端末装置に格納してよい。代替として、ネットワーク装置は、第１端末装置がネットワークにアクセスできるとき、各優先度レベル値の優先度レベルマッピング値を、第１端末装置に予め構成してよい。
【０４０２】
任意的に、各優先度レベル値について構成された優先度レベルマッピング値は、第１端末装置のために構成された優先度レベルマッピング値又は第１端末装置が位置するセルのために構成された優先度レベルマッピング値を上書きしてよい。
【０４０３】
動作１４０２。第１端末装置は、第３パラメータ値及び第１０パラメータ値に対応する優先度の間の関係に基づき、第１規格ＳＬ  ＭＡＣ  ＰＤＵ又は第２規格ＳＬ  ＭＡＣ  ＰＤＵを送信する。
【０４０４】
任意的に、第３パラメータ値に対応する優先度が第１０パラメータ値に対応する優先度より高い場合、第１規格ＳＬ  ＭＡＣ  ＰＤＵが優先的に送信され、或いは、第３パラメータ値に対応する優先度が第１０パラメータ値に対応する優先度より低い又は等しい場合、第２規格ＳＬ  ＭＡＣ  ＰＤＵが優先的に送信される。
【０４０５】
任意的に、第３パラメータ値に対応する優先度が第１０パラメータ値に対応する優先度より高い又は等しい場合、第１規格ＳＬ  ＭＡＣ  ＰＤＵが優先的に送信され、或いは、第３パラメータ値に対応する優先度が第１０パラメータ値に対応する優先度より低い場合、第２規格ＳＬ  ＭＡＣ  ＰＤＵが優先的に送信される。
【０４０６】
任意的に、第３パラメータ値に対応する優先度が第１０パラメータ値に対応する優先度より高い場合、第２規格ＳＬ  ＭＡＣ  ＰＤＵの送信優先度は第１規格ＳＬ  ＭＡＣ  ＰＤＵの送信優先度より低く、第１規格ＳＬ  ＭＡＣ  ＰＤＵが優先的に送信され、第３パラメータ値に対応する優先度が第１０パラメータ値に対応する優先度より低い場合、第２規格ＳＬ  ＭＡＣ  ＰＤＵの送信優先度は第１規格ＳＬ  ＭＡＣ  ＰＤＵの送信優先度より高く、第２規格ＳＬ  ＭＡＣ  ＰＤＵが優先的に送信され、又は、第３パラメータ値に対応する優先度が第１０パラメータ値に対応する優先度と等しい場合、第１端末装置は、第１端末装置の実装に基づき、第１規格ＳＬ  ＭＡＣ  ＰＤＵの送信優先度を第２規格ＳＬ  ＭＡＣ  ＰＤＵの送信優先度と比較してよい。例えば、第３パラメータ値に対応する優先度が第１０パラメータ値に対応する優先度と等しい場合の第１規格ＳＬ  ＭＡＣ  ＰＤＵ及び第２規格ＳＬ  ＭＡＣ  ＰＤＵの送信優先度についてのルールは、第１端末装置が工場から出荷される前に、第１端末装置に予め定義される。例えば、第１端末装置がネットワークにアクセスできるとき、ネットワーク装置は、第１端末装置のために、第３パラメータ値に対応する優先度が第１０パラメータ値に対応する優先度と等しい場合の第１規格ＳＬ  ＭＡＣ  ＰＤＵ及び第２規格ＳＬ  ＭＡＣ  ＰＤＵの送信優先度についてのルールを構成する。
【０４０７】
任意的に、図１４において、第１端末装置又は第２端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【０４０８】
図１５は、本願の一実施形態による通信方法の概略フローチャートである。以下は、具体的に、図１５を参照して、本願の本実施形態における技術的ソリューションを説明する。例えば、図１５に対応する通信方法は以下のステップを含む。
【０４０９】
動作１５０１。第１端末装置は、第１１パラメータ値及び第１２パラメータ値を取得する。
【０４１０】
例えば、第１１パラメータ値は、第１規格ＳＬ  ＭＡＣ  ＰＤＵの少なくとも１つのＰＰＰＰマッピング値の中で最高優先度を有するＰＰＰＰマッピング値であってよい。例えば、第１２パラメータ値は、第２規格ＳＬ  ＭＡＣ  ＰＤＵの少なくとも１つの優先度レベル値の中で最高優先度を有する優先度レベル値であってよい。
【０４１１】
任意的に、ネットワーク装置は、情報を第１端末装置へ送信し、情報は、第１端末装置の第１規格ＳＬ  ＭＡＣ  ＰＤＵの各ＰＰＰＰ値に対応するＰＰＰＰマッピング値を含んでよい。
【０４１２】
例えば、ＰＰＰＰマッピング値は、第２規格ＳＬ  ＭＡＣ  ＰＤＵの優先度レベル値と比較されてよい。例えば、ＰＰＰＰマッピング値の値範囲は、優先度レベル値の値範囲と同じである。ＰＰＰＰ値とＰＰＰＰマッピングレベル値との間の対応は、１対多対応であってよい。例えば、各ＰＰＰＰ値は、複数のＰＰＰＰマッピング値に対応してよく、異なるＰＰＰＰマッピング値が同じＰＰＰＰ値に対応してよい。例えば、各ＰＰＰＰ値は、代替として、１つのＰＰＰＰマッピング値に対応してよく、異なるＰＰＰＰマッピング値が同じＰＰＰＰ値に対応してよい。例えば、ＰＰＰＰ値が１である第１規格ＳＬ  ＭＡＣ  ＰＤＵのＰＰＰＰマッピング値は、１又は２に設定されてよい。例えば、ＰＰＰＰ値が４である第１規格ＳＬ  ＭＡＣ  ＰＤＵのＰＰＰＰマッピング値は、１５又は８に設定されてよい。例えば、ＰＰＰＰ値の範囲が１〜８に設定され、優先度レベル値の範囲が１〜１６に設定される場合、ＰＰＰＰ値、ＰＰＰＰマッピング値、及び優先度レベル値の間の対応は、表２に示され得る。例えば、代替として、ＰＰＰＰマッピング値について、ＰＰＰＰ値は優先度レベル値に直接マッピングされてよく、表２の第２列は省略されてよい。
表１１
【表１１】
2021533690.tif 000013
【０４１３】
留意すべきことに、表１１は、単にＰＰＰＰ値、ＰＰＰＰマッピング値、及び優先度レベル値との間の可能な対応を示す。
【０４１４】
情報は、ネットワーク装置により、ＳＩＢ、ＲＭＳＩ、ＯＳＩ、ＲＲＣ再構成メッセージ、ＲＲＣ構成メッセージ、ＭＡＣ  ＣＥ、等を通じて送信されてよい。任意的に、情報を運ぶＲＲＣ再構成メッセージは、表２のＰＰＰＰ値、ＰＰＰＰマッピング値、及び優先度レベル値の間の少なくとも１つの対応を運んでよい。
【０４１５】
任意的に、装置ベンダは、第１端末装置が工場から出荷される前に、ＰＰＰＰ値のＰＰＰＰマッピング値を、第１端末装置に格納してよい。代替として、ネットワーク装置は、第１端末装置がネットワークにアクセスできるとき、ＰＰＰＰ値のＰＰＰＰマッピング値を、第１端末装置に予め構成してよい。
【０４１６】
任意的に、各ＰＰＰＰ値について構成されたＰＰＰＰマッピング値は、第１端末装置のために構成されたＰＰＰＰマッピング値又は第１端末装置が位置するセルのために構成されたＰＰＰＰマッピング値を上書きしてよい。
【０４１７】
動作１５０２。第１端末装置は、第１１パラメータ値及び第１２パラメータ値に対応する優先度の間の関係に基づき、第１規格ＳＬ  ＭＡＣ  ＰＤＵ又は第２規格ＳＬ  ＭＡＣ  ＰＤＵを送信する。
【０４１８】
任意的に、第１１パラメータ値に対応する優先度が第１２パラメータ値に対応する優先度より高い場合、第１規格ＳＬ  ＭＡＣ  ＰＤＵが優先的に送信され、或いは、第１１パラメータ値に対応する優先度が第１２パラメータ値に対応する優先度より低い又は等しい場合、第２規格ＳＬ  ＭＡＣ  ＰＤＵが優先的に送信される。
【０４１９】
任意的に、第１１パラメータ値に対応する優先度が第１２パラメータ値に対応する優先度より高い又は等しい場合、第１規格ＳＬ  ＭＡＣ  ＰＤＵが優先的に送信され、或いは、第１１パラメータ値に対応する優先度が第１２パラメータ値に対応する優先度より低い場合、第２規格ＳＬ  ＭＡＣ  ＰＤＵが優先的に送信される。
【０４２０】
任意的に、第１１パラメータ値に対応する優先度が第１２パラメータ値に対応する優先度より高い場合、第２規格ＳＬ  ＭＡＣ  ＰＤＵの送信優先度は第１規格ＳＬ  ＭＡＣ  ＰＤＵの送信優先度より低く、第１規格ＳＬ  ＭＡＣ  ＰＤＵが優先的に送信され、第１１パラメータ値に対応する優先度が第１２パラメータ値に対応する優先度より低い場合、第２規格ＳＬ  ＭＡＣ  ＰＤＵの送信優先度は第１規格ＳＬ  ＭＡＣ  ＰＤＵの送信優先度より高く、第２規格ＳＬ  ＭＡＣ  ＰＤＵが優先的に送信され、又は、第１１パラメータ値に対応する優先度が第１２パラメータ値に対応する優先度と等しい場合、第１端末装置は、第１端末装置の実装に基づき、第１規格ＳＬ  ＭＡＣ  ＰＤＵの送信優先度を第２規格ＳＬ  ＭＡＣ  ＰＤＵの送信優先度と比較してよい。例えば、第１１パラメータ値に対応する優先度が第１２パラメータ値に対応する優先度と等しい場合の第１規格ＳＬ  ＭＡＣ  ＰＤＵ及び第２規格ＳＬ  ＭＡＣ  ＰＤＵの送信優先度についてのルールは、第１端末装置が工場から出荷される前に、第１端末装置に予め定義される。例えば、第１端末装置がネットワークにアクセスできるとき、ネットワーク装置は、第１端末装置のために、第１１パラメータ値に対応する優先度が第１２パラメータ値に対応する優先度と等しい場合の第１規格ＳＬ  ＭＡＣ  ＰＤＵ及び第２規格ＳＬ  ＭＡＣ  ＰＤＵの送信優先度についてのルールを構成する。
【０４２１】
任意的に、図１５において、第１端末装置又は第２端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【０４２２】
図１６は、本願の一実施形態による通信方法の概略フローチャートである。以下は、具体的に、図１６を参照して、本願の本実施形態における技術的ソリューションを説明する。例えば、図１６に対応する通信方法は以下のステップを含む。
【０４２３】
動作１６０１。第１端末装置は、第３パラメータ値及び第１規格ＳＬ  ＭＡＣ  ＰＤＵのＰＰＰＰ閾値を取得する。
【０４２４】
例えば、第３パラメータ値は、第１規格ＳＬ  ＭＡＣ  ＰＤＵの少なくとも１つのＰＰＰＰ値の中で最高優先度を有するＰＰＰＰ値であってよい。
【０４２５】
例えば、ネットワーク装置は、第１端末装置に第２情報を送信し、第２情報は、第１規格ＳＬ  ＭＡＣ  ＰＤＵのＰＰＰＰ閾値を含んでよい。第２情報は、ネットワーク装置により、ＳＩＢ、ＲＭＳＩ、ＯＳＩ、ＲＲＣ再構成メッセージ、ＲＲＣ構成メッセージ、ＭＡＣ  ＣＥ、等を通じて送信されてよい。
【０４２６】
任意的に、装置ベンダは、第１端末装置が工場から出荷される前に、第１規格ＳＬ  ＭＡＣ  ＰＤＵのＰＰＰＰ閾値を、第１端末装置に格納してよい。代替として、ネットワーク装置は、第１端末装置がネットワークにアクセスできるとき、第１規格ＳＬ  ＭＡＣ  ＰＤＵのＰＰＰＰ閾値を、第１端末装置に予め構成してよい。
【０４２７】
動作１６０２。第１端末装置は、第３パラメータ値及び第１規格ＳＬ  ＭＡＣ  ＰＤＵのＰＰＰＰ閾値に基づき、第１規格ＳＬ  ＭＡＣ  ＰＤＵ又は第２規格ＳＬ  ＭＡＣ  ＰＤＵを送信する。
【０４２８】
第３パラメータ値に対応する優先度がＰＰＰＰ閾値に対応する優先度より高い場合、第１規格ＳＬ  ＭＡＣ  ＰＤＵが優先的に送信され、或いは、第３パラメータ値に対応する優先度がＰＰＰＰ閾値に対応する優先度より低い又は等しい場合、第２規格ＳＬ  ＭＡＣ  ＰＤＵが優先的に送信される。
【０４２９】
任意的に、第３パラメータ値に対応する優先度がＰＰＰＰ閾値に対応する優先度より高い又は等しい場合、第１規格ＳＬ  ＭＡＣ  ＰＤＵが優先的に送信され、或いは、第３パラメータ値に対応する優先度がＰＰＰＰ閾値に対応する優先度より低い場合、第２規格ＳＬ  ＭＡＣ  ＰＤＵが優先的に送信される。
【０４３０】
任意的に、第３パラメータ値に対応する優先度がＰＰＰＰ閾値に対応する優先度より高い場合、第２規格ＳＬ  ＭＡＣ  ＰＤＵの送信優先度は第１規格ＳＬ  ＭＡＣ  ＰＤＵの送信優先度より低く、第１規格ＳＬ  ＭＡＣ  ＰＤＵが優先的に送信され、第３パラメータ値に対応する優先度がＰＰＰＰ閾値に対応する優先度より低い場合、第２規格ＳＬ  ＭＡＣ  ＰＤＵの送信優先度は第１規格ＳＬ  ＭＡＣ  ＰＤＵの送信優先度より高く、第２規格ＳＬ  ＭＡＣ  ＰＤＵが優先的に送信され、又は、第３パラメータ値に対応する優先度がＰＰＰＰ閾値に対応する優先度と等しい場合、第１端末装置は、第１端末装置の実装に基づき、第１規格ＳＬ  ＭＡＣ  ＰＤＵの送信優先度を第２規格ＳＬ  ＭＡＣ  ＰＤＵの送信優先度と比較してよい。例えば、第３パラメータ値に対応する優先度がＰＰＰＰ閾値に対応する優先度と等しい場合の第１規格ＳＬ  ＭＡＣ  ＰＤＵ及び第２規格ＳＬ  ＭＡＣ  ＰＤＵの送信優先度についてのルールは、第１端末装置が工場から出荷される前に、第１端末装置に予め定義される。例えば、第１端末装置がネットワークにアクセスできるとき、ネットワーク装置は、第１端末装置のために、第３パラメータ値に対応する優先度がＰＰＰＰ閾値に対応する優先度と等しい場合の第１規格ＳＬ  ＭＡＣ  ＰＤＵ及び第２規格ＳＬ  ＭＡＣ  ＰＤＵの送信優先度についてのルールを構成する。
【０４３１】
任意的に、図１６において、第１端末装置又は第２端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【０４３２】
図１７は、本願の一実施形態による通信方法の概略フローチャートである。以下は、具体的に、図１７を参照して、本願の本実施形態における技術的ソリューションを説明する。例えば、図１７に対応する通信方法は以下のステップを含む。
【０４３３】
動作１７０１。第１端末装置は、第１２パラメータ値及び第２規格ＳＬ  ＭＡＣ  ＰＤＵの優先度閾値を取得する。
【０４３４】
例えば、第１２パラメータ値は、第２規格ＳＬ  ＭＡＣ  ＰＤＵの少なくとも１つの優先度値の中で最高優先度を有する優先度値であってよい。
【０４３５】
例えば、ネットワーク装置は、第１端末装置に情報を送信し、情報は、第２規格ＳＬ  ＭＡＣ  ＰＤＵの優先度閾値を含んでよい。情報は、ネットワーク装置により、ＳＩＢ、ＲＭＳＩ、ＯＳＩ、ＲＲＣ再構成メッセージ、ＲＲＣ構成メッセージ、ＭＡＣ  ＣＥ、等を通じて送信されてよい。
【０４３６】
任意的に、装置ベンダは、第１端末装置が工場から出荷される前に、第２規格ＳＬ  ＭＡＣ  ＰＤＵの優先度閾値を、第１端末装置に格納してよい。代替として、ネットワーク装置は、第１端末装置がネットワークにアクセスできるとき、第２規格ＳＬ  ＭＡＣ  ＰＤＵの優先度閾値を、第１端末装置に予め構成してよい。
【０４３７】
動作１７０２。第１端末装置は、第１２パラメータ値及び第２規格ＳＬ  ＭＡＣ  ＰＤＵの優先度閾値に基づき、第１規格ＳＬ  ＭＡＣ  ＰＤＵ又は第２規格ＳＬ  ＭＡＣ  ＰＤＵを送信する。
【０４３８】
第１２パラメータ値に対応する優先度が優先度閾値に対応する優先度より高い場合、第２規格ＳＬ  ＭＡＣ  ＰＤＵが優先的に送信され、或いは、第１２パラメータ値に対応する優先度が優先度閾値に対応する優先度より低い又は等しい場合、第１規格ＳＬ  ＭＡＣ  ＰＤＵが優先的に送信される。
【０４３９】
任意的に、第１２パラメータ値に対応する優先度が優先度閾値に対応する優先度より高い又は等しい場合、第２規格ＳＬ  ＭＡＣ  ＰＤＵが優先的に送信され、或いは、第１２パラメータ値に対応する優先度が優先度閾値に対応する優先度より低い場合、第１規格ＳＬ  ＭＡＣ  ＰＤＵが優先的に送信される。
【０４４０】
任意的に、第１２パラメータ値に対応する優先度が優先度閾値に対応する優先度より高い場合、第２規格ＳＬ  ＭＡＣ  ＰＤＵの送信優先度は第１規格ＳＬ  ＭＡＣ  ＰＤＵの送信優先度より高く、第２規格ＳＬ  ＭＡＣ  ＰＤＵが優先的に送信され、第１２パラメータ値に対応する優先度が優先度閾値に対応する優先度より低い場合、第２規格ＳＬ  ＭＡＣ  ＰＤＵの送信優先度は第１規格ＳＬ  ＭＡＣ  ＰＤＵの送信優先度より低く、第１規格ＳＬ  ＭＡＣ  ＰＤＵが優先的に送信され、又は、第１２パラメータ値に対応する優先度が優先度閾値に対応する優先度と等しい場合、第１端末装置は、第１端末装置の実装に基づき、第１規格ＳＬ  ＭＡＣ  ＰＤＵの送信優先度を第２規格ＳＬ  ＭＡＣ  ＰＤＵの送信優先度と比較してよい。例えば、第１２パラメータ値に対応する優先度が優先度閾値に対応する優先度と等しい場合の第１規格ＳＬ  ＭＡＣ  ＰＤＵ及び第２規格ＳＬ  ＭＡＣ  ＰＤＵの送信優先度についてのルールは、第１端末装置が工場から出荷される前に、第１端末装置に予め定義される。例えば、第１端末装置がネットワークにアクセスできるとき、ネットワーク装置は、第１端末装置のために、第１２パラメータ値に対応する優先度が優先度閾値に対応する優先度と等しい場合の第１規格ＳＬ  ＭＡＣ  ＰＤＵ及び第２規格ＳＬ  ＭＡＣ  ＰＤＵの送信優先度についてのルールを構成する。
【０４４１】
任意的に、図１７において、第１端末装置又は第２端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【０４４２】
図１８Ａは、本願の一実施形態による通信方法の概略フローチャートである。以下は、具体的に、図１８Ａを参照して、本願の本実施形態における技術的ソリューションを説明する。例えば、図１８Ａに対応する通信方法は以下のステップを含む。
【０４４３】
動作１８０１ａ。第１規格ＵＬ、第１規格ＳＬ、第２規格ＵＬ、及び第２規格ＳＬのうちの少なくとも２つが同じチェーンを共有するとき、第１規格ＵＬ、第１規格ＳＬ、第２規格ＵＬ、及び第２規格ＳＬのうちの任意の２つの送信優先度を比較するために、以下の比較ルール（１）及び／又は比較ルール（２）が使用される。
【０４４４】
例えば、比較ルール（１）は以下を含む。異なる規格のＳＬ又はＵＬの送信優先度が先ず比較され、次に、第１規格又は第２規格ＳＬの送信優先度が、第１規格又は第２規格ＵＬの送信優先度と比較される。例えば、第１規格ＵＬ、第１規格ＳＬ、第２規格ＵＬ、及び第２規格ＳＬがチェーンを共有する場合、第１規格ＵＬ及び第２規格ＵＬの送信優先度が先ず比較され、次に、第１規格ＳＬ及び第２規格ＳＬの送信優先度が比較される。第１規格ＵＬの送信優先度が第２規格ＵＬの送信優先度より高く、第２規格ＳＬの送信優先度が第１規格ＳＬの送信優先度より高いことが分かった場合、第１規格ＵＬ及び第２規格ＳＬの送信優先度が最終的に比較される。例えば、第１規格ＵＬ、第１規格ＳＬ、及び第２規格ＳＬがチェーンを共有する場合、第１規格ＳＬ及び第２規格ＳＬの送信優先度が先ず比較されてよい。第２規格ＳＬの送信優先度が第１規格ＳＬの送信優先度より高いことが分かった場合、第１規格ＵＬ及び第２規格ＳＬの送信優先度が最終的に比較される。
【０４４５】
例えば、比較ルール（２）は以下を含む。同じ規格の異なるリンクの送信優先度が先ず比較され、次に異なる規格のリンクの送信優先度が比較される。例えば、第１規格ＵＬ、第１規格ＳＬ、第２規格ＵＬ、及び第２規格ＳＬがチェーンを共有する場合、第１規格ＳＬ及び第１規格ＵＬの送信優先度が先ず比較されてよく、次に、第２規格ＳＬ及び第２規格ＵＬの送信優先度が比較される。第１規格ＳＬの送信優先度が第１規格ＵＬの送信優先度より高く、第２規格ＳＬの送信優先度が第２規格ＵＬの送信優先度より高いことが分かった場合、第１規格ＳＬ及び第２規格ＳＬの送信優先度が最終的に比較される。例えば、第１規格ＳＬ、第２規格ＵＬ、及び第２規格ＳＬがチェーンを共有する場合、第２規格ＵＬ及び第２規格ＳＬの送信優先度が先ず比較されてよい。第２規格ＵＬの送信優先度が第２規格ＳＬの送信優先度より高いことが分かった場合、第１規格ＳＬ及び第２規格ＵＬの送信優先度が最終的に比較される。
【０４４６】
任意的に、比較ルール（１）及び比較ルール（２）における送信優先度の間の比較は、以下の６個の比較ケース（ｉ）〜（ｖｉ）を含んでよい。（ｉ）第１規格ＵＬの送信優先度が、第２規格ＵＬの送信優先度と比較される。（ｉｉ）第１規格ＵＬの送信優先度が、第１規格ＳＬの送信優先度と比較される。（ｉｉｉ）第１規格ＵＬの送信優先度が、第２規格ＳＬの送信優先度と比較される。（ｉｖ）第２規格ＵＬの送信優先度が、第１規格ＳＬの送信優先度と比較される。（ｖ）第２規格ＵＬの送信優先度が、第２規格ＳＬの送信優先度と比較される。（ｖｉ）第１規格ＳＬの送信優先度が、第２規格ＳＬの送信優先度と比較される。
【０４４７】
任意的に、比較ルール（１）及び比較ルール（２）で、第１規格ＳＬの送信優先度が第２規格ＳＬの送信優先度と比較されるとき、第１規格ＳＬの送信優先度は、方法５００〜方法９００の中の任意の方法を用いて、第２規格ＳＬの送信優先度と比較されてよい。
【０４４８】
動作１８０２ａ。第１端末装置は、動作１８０１ａで決定された、最高優先度を有する無線通信リンクでデータを送信する。
【０４４９】
任意的に、比較ルール（１）及び／又は比較ルール（２）を用いて決定された、最高送信優先度を有する無線通信リンクでデータを送信した後に、第１端末装置は、比較ルール（１）及び／又は比較ルール（２）を再利用して、残りの異なる無線通信リンクの送信優先度を比較し、残りの異なる無線通信リンクの中で最高優先度を有する無線通信リンクを決定し、最高優先度を有する決定した無線通信リンクでデータを送信してよい。
【０４５０】
任意的に、図１８Ａにおいて、第１端末装置又は第２端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【０４５１】
図１８Ｂは、本願の一実施形態による通信方法の概略フローチャートである。以下は、具体的に、図１８Ｂを参照して、本発明の本実施形態における技術的ソリューションを説明する。例えば、図１８Ｂに対応する通信方法は以下のステップを含む。
【０４５２】
動作１８０１ｂ。第１規格ＵＬ、第１規格ＳＬ、第２規格ＵＬ、及び第２規格ＳＬのうちの少なくとも２つが同じチェーンを共有するとき、先ず、第１規格ＵＬ、第１規格ＳＬ、第２規格ＵＬ、及び第２規格ＳＬの、同じチェーンを共有しない少なくとも２つの無線通信リンクでデータを送信する。
【０４５３】
例えば、第１規格ＵＬ、第１規格ＳＬ、第２規格ＵＬ、及び第２規格ＳＬのうちの少なくとも２つが同じチェーンを共有するとき、第１規格ＵＬ、第１規格ＳＬ、第２規格ＵＬ、及び第２規格ＳＬの３つの無線通信リンクが同じチェーンを共有しないならば、第１端末装置は、先ず、同じチェーンを共有しない３つの無線通信リンクでデータを別個に送信し、次に、残りの無線通信リンクでデータを送信してよい。例えば、第１規格ＵＬ、第１規格ＳＬ、第２規格ＵＬ、及び第２規格ＳＬのうちの少なくとも２つが同じチェーンを共有するとき、第１規格ＵＬ、第１規格ＳＬ、第２規格ＵＬ、及び第２規格ＳＬの２つの無線通信リンクが同じチェーンを共有しないならば、第１端末装置は、先ず、同じチェーンを共有しない２つの無線通信リンクでデータを別個に送信し、次に、方法１８００ａを用いて２つの残りの無線通信リンクの送信優先度を比較してよい。第１端末装置は、先ず、より高い優先度を有する決定された無線通信リンクでデータを送信する。
【０４５４】
動作１８０２ｂ：第１規格ＵＬ、第１規格ＳＬ、第２規格ＵＬ、及び第２規格ＳＬのうちの少なくとも２つが同じチェーンを共有し、第１規格ＵＬ、第１規格ＳＬ、第２規格ＵＬ、及び第２規格ＳＬのうちの任意の２つの無線通信リンクが同じチェーンを共有するとき、第１端末装置は、方法１８００ａを用いてデータを送信する。
【０４５５】
任意的に、図１８Ｂにおいて、第１端末装置又は第２端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【０４５６】
同様の技術的概念に基づき、本願の一実施形態は、通信機器を提供する。機器は、前述の実施形態における方法３００ａ〜１８００ｂにおいて提供された通信方法／通信システムにおける任意の可能な設計ソリューションの中の第１端末装置又はネットワーク装置であってよい。通信機器は、３００ａ〜１８００ｂで提供された通信方法／通信システムの中の第１端末装置又はネットワーク装置により実行される方法のステップ、工程、又は動作を実行するよう構成される少なくとも１つの対応するユニットを含む。少なくとも１つのユニットは、ネットワーク装置により実行される方法のステップ、工程、又は動作と１対１対応で配置されてよい。これらのユニットは、コンピュータプログラムを用いて実装されてよく、ハードウェア回路を用いて実装されてよく、又はハードウェア回路と組み合わされてコンピュータプログラムを用いて実装されてよい。
【０４５７】
例えば、以下は、本願の実施形態における図１９を参照して端末装置１９００の構造及び機能を具体的に説明する。図１９は、本願の一実施形態による端末装置１９００の概略ブロック図である。図１９に示すように、端末装置１９００は、少なくとも以下のモジュール：取得モジュール１９０２、処理モジュール１９０３、及び送信モジュール１９０４、を含み、任意的に記憶モジュール１９０１を含む。任意的に、取得モジュール１９０２は、ネットワーク装置から情報の任意の１つ以上のピース（例えば、第１情報及び第２情報）を受信するよう構成されてよい。取得モジュール１９０２は、関連情報の任意の１つ以上のピース（例えば、第１情報及び第２情報）から、本願の実施形態における方法３００ａ〜１８００ｂの中の第１パラメータ値〜第１２パラメータ値、優先度閾値、及びＰＰＰＰ値閾値のうちの任意の１つ以上を取得してよい。任意的に、記憶モジュール１９０１は、第１パラメータ値〜第１２パラメータ値、優先度閾値、及びＰＰＰＰ値閾値、のうちの少なくとも１つを格納するよう構成されてよい。取得モジュール１９０２は、第１パラメータ値〜第７パラメータ値、優先度閾値、及びＰＰＰＰ値閾値、のうちの任意の１つ以上を、記憶モジュール１９０１から読み出す。
【０４５８】
処理モジュール１９０３は、取得モジュール１９０２により取得された、第１パラメータ値〜第１２パラメータ値、優先度閾値、及びＰＰＰＰ値閾値、のうちの任意の１つ以上に基づき、以下：ＵＬ  ＭＡＣ  ＰＤＵ、ＳＬ  ＭＡＣ  ＰＤＵ、ＳＬバッファ状態レポート媒体アクセス制御制御要素、又はＵＬバッファ状態レポート媒体アクセス制御制御要素、のうちの任意の１つを送信することを決定してよい。送信モジュール１９０４は、以下：ＵＬ  ＭＡＣ  ＰＤＵ、ＳＬ  ＭＡＣ  ＰＤＵ、ＳＬバッファ状態レポート媒体アクセス制御制御要素、又はＵＬバッファ状態レポート媒体アクセス制御制御要素、のうちの任意の１つを送信する。
【０４５９】
例えば、本願は、第１端末装置を提供する。第１端末装置１９００は、少なくとも以下のモジュール：ＳＬの第１パラメータ値及び第２パラメータ値を取得するよう構成され得る取得モジュール１９０２、取得モジュール１９０２により取得された第１パラメータ値及び第２パラメータ値に基づき、以下：ＵＬ  ＭＡＣ  ＰＤＵ、ＳＬ  ＭＡＣ  ＰＤＵ、ＳＬバッファ状態レポート媒体アクセス制御制御要素、又はＵＬバッファ状態レポート媒体アクセス制御制御要素のうちの任意の１つを送信することを決定するよう構成され得る処理モジュール１９０４、及び以下：ＵＬ  ＭＡＣ  ＰＤＵ、ＳＬ  ＭＡＣ  ＰＤＵ、ＳＬバッファ状態レポート媒体アクセス制御制御要素、又はＵＬバッファ状態レポート媒体アクセス制御制御要素のうちの任意の１つを送信するよう構成され得る送信モジュール１９０４、を含む。ＵＬは、第１端末装置からネットワーク装置への方向の無線通信リンクであり、ＳＬは、第１端末装置と第２端末装置との間の無線送信リンクである。
【０４６０】
任意的に、取得モジュール１９０２は、第１情報をネットワーク装置から受信するよう更に構成されてよく、第１情報は第１パラメータ値を含んでよい。任意的に、第１情報は、ＵＬの論理チャネルの優先度を更に含んでよい。
【０４６１】
任意的に、第１情報は、ネットワーク装置により第１端末装置へ送信された無線リソース制御再構成メッセージ内で運ばれる。任意的に、第１端末装置は、第１パラメータ値を格納するよう構成され得る記憶モジュール１９０１を含む。
【０４６２】
任意的に、処理モジュール１９０３は、第１パラメータ値に対応する優先度が第２パラメータ値に対応する優先度より低い又は等しいとき、送信モジュール１９０４を、以下：ＳＬ  ＭＡＣ  ＰＤＵ又はＳＬバッファ状態レポート媒体アクセス制御制御要素を送信可能にするよう構成されてよく、又は、処理モジュール１９０３は、第１パラメータ値に対応する優先度が第２パラメータ値に対応する優先度より高いとき、送信モジュール１９０４を、以下：ＵＬ  ＭＡＣ  ＰＤＵ又はＵＬバッファ状態レポート媒体アクセス制御制御要素のうちのいずれかを送信可能にするよう構成されてよい。
【０４６３】
任意的に、第１パラメータ値は、少なくとも１つのパラメータ値の中で最高優先度を有するパラメータ値であり、少なくとも１つのパラメータ値と被送信データの存在する少なくとも１つのＵＬ論理チャネルの優先度との間にはマッピング関係がある。任意的に、第２パラメータ値は、以下：被送信ＳＬデータの少なくとも１つのＰｒｏＳｅパケット毎優先度値の中で最高優先度を有するＰｒｏＳｅパケット毎優先度値、又は被送信ＳＬデータの少なくとも１つのＰｒｏＳｅパケット毎信頼度値の中で最高優先度を有するＰｒｏＳｅパケット毎信頼度値、のいずれかを含む。
【０４６４】
例えば、本願は、第１端末装置を提供する。第１端末装置１９００は、少なくとも以下のモジュール：ＳＬの第８パラメータ値及び第２パラメータ値を取得するよう構成され得る取得モジュール１９０２、取得モジュール１９０２により取得された第８パラメータ値及び第２パラメータ値に基づき、ＵＬ  ＭＡＣ  ＰＤＵ又はＳＬ  ＭＡＣ  ＰＤＵを送信することを決定するよう構成され得る処理モジュール１９０３、及びＵＬ  ＭＡＣ  ＰＤＵ又はＳＬ  ＭＡＣ  ＰＤＵを送信するよう構成され得る送信モジュール１９０４、を含む。ＵＬは、第１端末装置からネットワーク装置への方向の無線通信リンクであり、ＳＬは、第１端末装置と第２端末装置との間の無線送信リンクである。
【０４６５】
任意的に、取得モジュール１９０２は、情報をネットワーク装置から受信するよう更に構成されてよく、情報は第８パラメータ値を含む。任意的に、情報は、ＵＬ  ＭＡＣ  ＰＤＵの優先度レベル値を更に含んでよい。
【０４６６】
任意的に、情報は、ネットワーク装置により第１端末装置へ送信された無線リソース制御再構成メッセージ内で運ばれる。任意的に、第１端末装置は、第８パラメータ値を格納するよう構成され得る記憶モジュール１９０１を含む。
【０４６７】
任意的に、処理モジュール１９０３は、第８パラメータ値に対応する優先度が第２パラメータ値に対応する優先度より低い又は等しいとき、送信モジュール１９０４を、ＳＬ  ＭＡＣ  ＰＤＵを送信可能にするよう構成されてよく、又は、処理モジュール１９０３は、第８パラメータ値に対応する優先度が第２パラメータ値に対応する優先度より高いとき、送信モジュール１９０４を、ＵＬ  ＭＡＣ  ＰＤＵを送信可能にするよう構成されてよい。
【０４６８】
任意的に、第８パラメータ値は、少なくとも１つのパラメータ値の中で最高優先度を有するパラメータ値であり、少なくとも１つのパラメータ値とＵＬ  ＭＡＣ  ＰＤＵの少なくとも１つの優先度レベル値との間にはマッピング関係がある。任意的に、第２パラメータ値は、以下：被送信ＳＬデータの少なくとも１つのＰｒｏＳｅパケット毎優先度値の中で最高優先度を有するＰｒｏＳｅパケット毎優先度値、又は被送信ＳＬデータの少なくとも１つのＰｒｏＳｅパケット毎信頼度値の中で最高優先度を有するＰｒｏＳｅパケット毎信頼度値、のいずれかを含む。
【０４６９】
例えば、本願は、第１端末装置を提供する。第１端末装置１９００は、少なくとも以下のモジュール：ＵＬの論理チャネルの優先度閾値、ＳＬデータのＰＰＰＰ値、ＵＬの第４パラメータ値及びＳＬの第２パラメータ値を取得するよう構成され得る取得モジュール１９０２、取得モジュール１９０２により取得された第４パラメータ値、優先度閾値、第２パラメータ値、及びＰＰＰＰ値に基づき、ＳＬバッファ状態レポート媒体アクセス制御制御要素又はＵＬ  ＭＡＣ  ＰＤＵを送信することを決定するよう構成され得る処理モジュール１９０３、及びＳＬバッファ状態レポート媒体アクセス制御制御要素又はＵＬ  ＭＡＣ  ＰＤＵを送信するよう構成され得る送信モジュール１９０４、を含む。
【０４７０】
ＵＬは、第１端末装置からネットワーク装置への方向の無線通信リンクであり、ＳＬは、第１端末装置と第２端末装置との間の無線送信リンクである。
【０４７１】
任意的に、取得モジュール１９０２は、ネットワーク装置から情報を受信するよう構成されてよく、情報は、ＳＬデータのＰＰＰＰ閾値、及びＵＬの論理チャネルの優先度閾値を含む。任意的に、情報は、ＳＬデータＰＰＰＰ値、及びＵＬの論理チャネルの優先度値を更に含んでよい。
【０４７２】
任意的に、情報は、ネットワーク装置により第１端末装置へ送信された無線リソース制御再構成メッセージ内で運ばれる。任意的に、第１端末装置は、優先度閾値及びＰＰＰＰ値を格納するよう構成され得る記憶モジュール１９０１を含む。
【０４７３】
任意的に、処理モジュール１９０３は、第２パラメータ値に対応する優先度がＰＰＰＰ値に対応する優先度より高く、第４パラメータ値に対応する優先度が優先度閾値に対応する優先度より低いとき、送信モジュール１９０４を、ＳＬバッファ状態媒体アクセス制御制御要素を送信可能にするよう構成されてよく、又は、処理モジュール１９０３は、第２パラメータ値に対応する優先度がＰＰＰＰ値に対応する優先度より高く、第４パラメータ値に対応する優先度が優先度閾値に対応する優先度より高いとき、送信モジュール１９０４を、ＵＬ  ＭＡＣ  ＰＤＵを送信可能にするよう構成されてよい。
【０４７４】
任意的に、ＳＬの送信パラメータは、以下：被送信ＳＬデータのＰｒｏＳｅパケット毎優先度、又は被送信ＳＬデータのＰｒｏＳｅパケット毎信頼度、のいずれかを含む。任意的に、第２パラメータ値は、以下：被送信ＳＬデータの少なくとも１つのＰｒｏＳｅパケット毎優先度値の中で最高優先度を有するＰｒｏＳｅパケット毎優先度値、又は被送信ＳＬデータの少なくとも１つのＰｒｏＳｅパケット毎信頼度値の中で最高優先度を有するＰｒｏＳｅパケット毎信頼度値、のいずれかを含む。任意的に、第４パラメータ値は、被送信データの存在する少なくとも１つのＵＬ論理チャネルの優先度の中で最高優先度である。
【０４７５】
例えば、本願は、第１端末装置を提供する。第１端末装置１９００は、少なくとも以下のモジュール：第１規格サイドリンクの第３パラメータ値及び第１規格サイドリンクの送信パラメータ閾値を取得するよう構成される取得モジュール１９０２と、
第３パラメータ値と送信パラメータ閾値との間の比較に基づき、以下：第１規格サイドリンク媒体アクセス制御プロトコルデータユニット又は第２規格サイドリンク媒体アクセス制御プロトコルデータユニットのうちのいずれかを送信することを決定するよう構成される処理モジュール１９０３と、
以下：第１規格サイドリンク媒体アクセス制御プロトコルデータユニット又は第２規格サイドリンク媒体アクセス制御プロトコルデータユニットのうちのいずれかを送信するよう構成される送信モジュール１９０４と、
を含み、第１規格サイドリンク及び第２規格サイドリンクは、それぞれ、第１端末装置と第２端末装置との間の無線送信リンクである。
【０４７６】
任意的に、取得モジュール１９０２は、ネットワーク装置から第２情報を受信するよう更に構成され、第２情報は送信パラメータ閾値を含み、又は、第１端末装置は、送信パラメータ閾値を格納するよう構成される記憶モジュール１９０１を更に含む。
【０４７７】
処理モジュール１９０３は、第３パラメータ値に対応する優先度が送信パラメータ閾値に対応する優先度より高いとき、送信モジュール１９０４を、第１規格サイドリンク媒体アクセス制御プロトコルデータユニットを送信可能にするよう構成されるか、又は、処理モジュール１９０３は、第３パラメータ値に対応する優先度が送信パラメータ閾値に対応する優先度より低い又は等しいとき、送信モジュール１９０４を、第２規格サイドリンク媒体アクセス制御プロトコルデータユニットを送信可能にするよう構成される。
【０４７８】
例えば、第１規格サイドリンクの送信パラメータ閾値は、以下：第１規格のサイドリンク媒体アクセス制御プロトコルデータユニットのＰｒｏＳｅパケット毎優先度閾値、又は第１規格のサイドリンク媒体アクセス制御プロトコルデータユニットのＰｒｏＳｅパケット毎信頼度閾値、のうちのいずれかを含む。
【０４７９】
例えば、第３パラメータ値は、以下：第１規格のサイドリンク媒体アクセス制御プロトコルデータユニットの少なくとも１つのＰｒｏＳｅパケット毎優先度値の中で最高優先度を有するＰｒｏＳｅパケット毎優先度値、又は第１規格のサイドリンク媒体アクセス制御プロトコルデータユニットの少なくとも１つのＰｒｏＳｅパケット毎信頼度値の中で最高優先度を有するＰｒｏＳｅパケット毎信頼度値、のいずれかを含む。
【０４８０】
同じ技術的概念に基づき、本願の実施形態は、前述の方法の実施形態におけるネットワーク装置により実行される機能を実施するよう構成され得るネットワーク装置を更に提供する。以下は、本願の実施形態における図２０を参照して端末装置２０００の構造及び機能を具体的に説明する。図２０は、本願の一実施形態によるネットワーク装置２０００の概略ブロック図である。図２０に示すように、ネットワーク装置２０００は、少なくとも以下のモジュール：送信モジュール２００１と、受信モジュール２００２とを含む。送信モジュール２００１は、方法３００ａ〜１２００の中情報の任意の１つ以上のピース（例えば、第１情報及び第２情報）を第１端末装置へ送信するよう構成されてよい。受信モジュール２００２は、以下：ＵＬ  ＭＡＣ  ＰＤＵ、ＳＬ  ＭＡＣ  ＰＤＵ、ＳＬバッファ状態レポート媒体アクセス制御制御要素、又はＵＬバッファ状態レポート媒体アクセス制御制御要素、のうちの任意の１つを受信するよう構成されてよい。
【０４８１】
例えば、本願の一実施形態は、ネットワーク装置を更に提供する。ネットワーク装置２０００は、少なくとも以下のモジュール：送信モジュール２００１と、受信モジュール２００２とを含む。送信モジュール２００１は、第１情報を第１端末装置へ送信するよう構成されてよく、第１情報は第１パラメータ値を含む。任意的に、第１情報は、ＵＬの論理チャネルの優先度を更に含んでよく、ＵＬは、第１端末装置からネットワーク装置への方向の無線通信リンクである。任意的に、第１情報は、ネットワーク装置により第１端末装置へ送信された無線リソース制御再構成メッセージ内で運ばれる。任意的に、第１パラメータ値は、少なくとも１つのパラメータ値の中で最高優先度を有するパラメータ値であり、少なくとも１つのパラメータ値と被送信データの存在する少なくとも１つのＵＬ論理チャネルの優先度との間にはマッピング関係がある。受信モジュール２００２は、ＵＬ  ＭＡＣ  ＰＤＵ、ＳＬ  ＭＡＣ  ＰＤＵ、ＳＬバッファ状態レポート媒体アクセス制御制御要素、又はＵＬバッファ状態レポート媒体アクセス制御制御要素、のうちの任意の１つを受信するよう構成されてよい。
【０４８２】
例えば、本願の一実施形態は、ネットワーク装置を更に提供する。ネットワーク装置２０００は、少なくとも以下のモジュール：送信モジュール２００１と、受信モジュール２００２とを含む。送信モジュール２００１は、情報を第１端末装置へ送信するよう構成されてよく、情報は第８パラメータ値を含んでよい。任意的に、情報は、ＵＬ  ＭＡＣ  ＰＤＵの優先度レベル値を更に含んでよい。ＵＬは、第１端末装置からネットワーク装置への方向の無線通信リンクである。任意的に、情報は、ネットワーク装置により第１端末装置へ送信された無線リソース制御再構成メッセージ内で運ばれる。任意的に、第８パラメータ値は、少なくとも１つのパラメータ値の中で最高優先度を有するパラメータ値であり、少なくとも１つのパラメータ値とＵＬ  ＭＡＣ  ＰＤＵの少なくとも１つの優先度レベル値との間にはマッピング関係がある。受信モジュール２００２は、ＵＬ  ＭＡＣ  ＰＤＵ、ＳＬ  ＭＡＣ  ＰＤＵ、ＳＬバッファ状態レポート媒体アクセス制御制御要素、又はＵＬバッファ状態レポート媒体アクセス制御制御要素、のうちの任意の１つを受信するよう構成されてよい。
【０４８３】
例えば、本願の一実施形態は、ネットワーク装置を更に提供する。ネットワーク装置２０００は、少なくとも以下のモジュール：送信モジュール２００１と、受信モジュール２００２とを含む。送信モジュール２００１は、第１端末装置へ情報を送信するよう構成されてよく、情報はＳＬの送信パラメータ閾値とＵＬの論理チャネルの優先度閾値とを含んでよい。任意的に、第３メッセージは、ＳＬの送信パラメータ値、及びＵＬの論理チャネルの優先度を更に含んでよい。ＵＬは、第１端末装置からネットワーク装置への方向の無線通信リンクであり、ＳＬは、第１端末装置と第２端末装置との間の無線送信リンクである。任意的に、情報は、ネットワーク装置により第１端末装置へ送信された無線リソース制御再構成メッセージ内で運ばれる。任意的に、ＳＬの送信パラメータは、以下：被送信ＳＬデータのＰｒｏＳｅパケット毎優先度、又は被送信ＳＬデータのＰｒｏＳｅパケット毎信頼度、のいずれかを含む。受信モジュール２００２は、ＵＬ  ＭＡＣ  ＰＤＵ、ＳＬ  ＭＡＣ  ＰＤＵ、ＳＬバッファ状態レポート媒体アクセス制御制御要素、又はＵＬバッファ状態レポート媒体アクセス制御制御要素、のうちの任意の１つを受信するよう構成されてよい。
【０４８４】
例えば、本願は、ネットワーク装置を提供する。ネットワーク装置２０００は、送信モジュール２００１及び受信モジュール２００２を含む。送信モジュール２００１は、第２情報を第１端末装置へ送信するよう構成され、第２情報は第１規格サイドリンクの送信パラメータ閾値を含む。アップリンクは、第１端末装置からネットワーク装置への方向の無線通信リンクであり、サイドリンクは、第１端末装置と第２端末装置との間の無線送信リンクである。例えば、第２情報は、ネットワーク装置により第１端末装置へ送信された無線リソース制御再構成メッセージ内で運ばれる。例えば、第１規格サイドリンクの送信パラメータ閾値は、以下：第１規格のサイドリンク媒体アクセス制御プロトコルデータユニットのＰｒｏＳｅパケット毎優先度閾値、又は第１規格のサイドリンク媒体アクセス制御プロトコルデータユニットのＰｒｏＳｅパケット毎信頼度閾値、のうちのいずれかを含む。受信モジュール２００２は、第１規格サイドリンクＭＡＣ  ＰＤＵ又は第２規格サイドリンクＭＡＣ  ＰＤＵを受信するよう構成されてよい。
【０４８５】
同じ技術的概念に基づき、本願の実施形態は、前述の方法の実施形態における任意の第１端末装置又は任意のネットワーク装置により実行される機能を実施するよう構成され得る通信機器を更に提供する。以下は、本願の実施形態における図２１を参照して通信機器２１００の構造及び機能を具体的に説明する。図２１は、本願の一実施形態による通信機器２１００の概略ブロック図である。通信機器は、少なくとも１つのプロセッサ２１０１を含む。少なくとも１つのプロセッサ２１０１内でプログラム命令が実行されると、方法３００ａ〜１８００ｂの中で提供された通信方法／通信システムの任意の設計における第１端末装置又はネットワーク装置の機能が、実施される。任意的に、通信機器２１００は、少なくとも１つのメモリ２１０２を更に含んでよく、メモリ２１０３は、プログラム命令及び／又は必要なデータを格納するよう構成されてよい。簡略化のために、詳細はここで再び説明されない。任意的に、通信機器２１００は、トランシーバ機器２１０３を更に含んでよい。トランシーバ機器２１０３は、通信機器２１００と別の通信装置と（例えば、無線アクセスネットワーク装置又は端末装置、これはここで限定されない）の間で通信相互作用を実行するよう、例えば制御シグナリング及び／又はサービスデータを交換するよう構成されてよい。トランシーバ機器２１０２は、通信トランシーバ機能を有する回路を用いて実装されてよい。任意的に、図２１に示すように、通信機器２１００は、バス２０１４を更に含み、通信機器２１００内のコンポーネントは、バス２０１４を使用して相互接続されてよい。
【０４８６】
本願の一実施形態は、チップシステム２２００を提供する。以下は、本願の実施形態における図２２を参照してシステムチップ２２００の構造及び機能を具体的に説明する。図２２は、本願の本実施形態によるシステムチップ２２００の概略ブロック図である。システムチップ２２００は、前述の第１端末装置又はネットワーク装置内で使用されてよい。システムチップによる処理は、第１端末装置又はネットワーク装置を、本願の実施形態における方法３００ａ〜１８００ｂで提供された通信方法／通信システムの任意の可能な設計ソリューションの中の第１端末装置又はネットワーク装置の動作を実行可能にする。図２２に示すように、システムチップ２２００は、少なくとも１つのプロセッサ２２０１を含む。少なくとも１つのプロセッサ２２０１内でプログラム命令が実行されると、本願の実施形態における方法３００ａ〜１８００ｂの中で提供された通信方法／通信システムの任意の可能な設計ソリューションにおける第１端末装置又はネットワーク装置の動作が、実施される。任意的に、システムチップ２２００は、少なくとも１つのメモリ２２０２を更に含んでよく、メモリ２２０２は関連するプログラム命令を格納する。任意的に、システムチップ２２００は、インタフェース回路２２０３及びバス２２０４を更に含んでよい。少なくとも１つのプロセッサ２２０１、少なくとも１つのメモリ２２０２、及びインタフェース回路２２０３は、バス２２０４を用いて接続される。システムチップ２２００は、無線アクセスネットワーク装置／ネットワーク内の別の装置と、インタフェース回路２２０３を通じて相互作用する。任意で、プロセッサ２２０１及びメモリ２２０２は、１つの処理機器へと結合されてよい。例えば、特定の実装の間、メモリ２２０２は、プロセッサ２２０１内に統合されてよく、又はプロセッサ２２０１と独立であってよい。
【０４８７】
当業者は、便宜上及び簡単な説明のために、前述の機能モジュールの分割は説明のための一例として使用されることを、明らかに理解し得る。実際の適用では、前述の機能は、要件に基づき実装のために異なる機能モジュールに割り当てられてよい。つまり、機器の内部構造は、上述の機能の全部又は一部を実施するために、異なる機能モジュールに分割される。前述のシステム、機器、及びユニットの詳細な作動プロセスについては、前述の方法の実施形態における対応するプロセスを参照し、詳細はここで再び説明されない。
【０４８８】
本願における実施形態では、理解されるべきことに、開示のシステム、機器、及び方法は他の方法で実装されてよい。例えば、記載の機器の実施形態は単なる例である。例えば、モジュール又はユニットへの分割は、単なる論理的機能分割であり、実際の実装では他の分割であってよい。例えば、複数のユニット又はコンポーネントは、結合され又は別のシステムに統合されてよく、或いは、幾つかの機能は、無視され又は実行されなくてよい。更に、示された又は議論された相互結合又は直接結合又は通信接続は、幾つかのインタフェースを通じて実装されてよい。機器又はユニット間の間接結合又は通信接続は、電子的形式、機械的形式、又は他の形式で実装されてよい。
【０４８９】
理解されるべきことに、本願の実施形態におけるプロセッサは、中央処理ユニット（Central  Processing  Unit,  CPU）であってよく、又はプロセッサは、別の汎用プロセッサ、デジタル信号プロセッサ（Digital  Signal  Processor,  DSP）、特定用途向け集積回路（Application-Specific  Integrated  Circuit,  ASIC）、フィールドプログラマブルゲートアレイ（Field  Programmable  Gate  Array,  FPGA）、又は別のプログラマブル論理素子、個別ゲート若しくはトランジスタ論理素子、個別ハードウェアコンポーネント、等であってよい。汎用プロセッサはマイクロプロセッサであってよく、又はプロセッサは任意の従来のプロセッサ等であってよい。
【０４９０】
本願の実施形態におけるメモリは、揮発性メモリ又は不揮発性メモリであってよく、又は揮発性メモリ及び不揮発性メモリを含んでよいことが更に理解され得る。不揮発性メモリは、読み出し専用メモリ（Read-Only  Memory,  ROM）、プログラマブル読み出し専用メモリ（Programmable  ROM,  PROM）、消去可能プログラマブル読み出し専用メモリ（Erasable  PROM,  EPROM）、電気的消去可能プログラマブル読み出し専用メモリ（Electrically  EPROM,  EEPROM）、又はフラッシュメモリであってよい。揮発性メモリは、外部キャッシュとして使用されるランダムアクセスメモリ（Random  Access  Memory,  RAM）であってよい。限定ではなく例として、ランダムアクセスメモリ（random  access  memory,  RAM）、例えば、静的ランダムアクセスメモリ（Static  RAM,  SRAM）、動的ランダムアクセスメモリ（Dynamic  RAM,  DRAM）、同期動的ランダムアクセスメモリ（Synchronous  DRAM,  SDRAM）、ダブルデータレート同期動的ランダムアクセスメモリ（Double  Data  Rate  SDRAM,  DDR  SDRAM）、拡張同期動的ランダムアクセスメモリ（Enhanced  SDRAM,  ESDRAM）、シンクリンク動的ランダムアクセスメモリ（Synchlink  DRAM,  SLDRAM）、及び直接ランバスランダムアクセスメモリ（Direct  Rambus  RAM,  DR  RAM）が使用されてよい。
【０４９１】
当業者は、本願明細書に開示された実施形態を参照して説明された例の中のユニット、アルゴリズム、及びステップが、電子的ハードウェア又はコンピュータソフトウェアと電子的ハードウェアとの組み合わせにより実装できることを容易に理解し得る。機能がハードウェア又はソフトウェアにより実行されるかは、技術的ソリューションの特定の適用及び設計制約条件に依存する。当業者は、特定の適用毎に、記載の機能を実施するために異なる方法を使用してよいが、実装が本願の範囲を超えると考えられるべきではない。
【０４９２】
本願の実施形態では、別個のコンポーネントとして記載されたユニットは、物理的に分離していてよく又はそうでなくてよい。ユニットとして示されたコンポーネントは、物理的ユニットであってよく又はそうでなくてよく、１つの場所に置かれてよく、又は複数のネットワークユニットに分配されてよい。ユニットのうちの一部又は全部は、本願の実施形態のソリューションの目的を達成するために、実際の要件に基づき選択されてよい。
【０４９３】
更に、本願の実施形態における機能ユニットは、１つの処理ユニットに統合されてよく、又は、ユニットの各々は物理的に単独で存在してよく、又は、２つ以上のユニットが１つのユニットに統合される。統合されたユニットは、ハードウェアの形式で実装されてよく、又はソフトウェア機能ユニットの形式で実装されてよい。
【０４９４】
統合されたユニットがソフトウェア機能ユニットの形式で実装され、独立した製品として販売され又は使用されるとき、統合されたユニットは、コンピュータ可読記憶媒体に格納されてよい。このような理解に基づき、基本的に本願の技術的ソリューションは、又は現在の技術に貢献する部分は、又は技術的ソリューションのうちの全部又は一部は、ソフトウェアプロダクトの形式で実装されてよい。コンピュータソフトウェアプロダクトは、記憶媒体に格納され、本願の実施形態における方法の動作のうちの全部又は一部を実行するようコンピュータ装置（これは、パーソナルコンピュータ、サーバ、ネットワーク装置、等であってよい）又はプロセッサ（processor）に指示するための幾つかの命令を含む。前述の記憶媒体は、プログラムコードを格納できる、ＵＳＢフラッシュドライブ、取り外し可能ハードディスク、読み出し専用メモリ（ROM,  Read-Only  Memory）、ランダムアクセスメモリ（RAM,  Random  Access  Memory）、磁気ディスク、又は光ディスクのような、任意の媒体又はコンピュータ記憶媒体を含む。
【０４９５】
前述の説明は、単に本願の特定の実装であり、本願の保護範囲を限定することを意図しない。本願で開示された技術的範囲の範囲内にある、当業者により直ちに考案される任意の変形又は置換は、本願の保護範囲の中に包含されるべきである。したがって、本願の保護範囲は、特許請求の範囲の保護範囲に従うべきである。
【図１】
2021533690.tif 000014
【図２】
2021533690.tif 000015
【図３Ａ】
2021533690.tif 000016
【図３Ｂ】
2021533690.tif 000017
【図４Ａ】
2021533690.tif 000018
【図４Ｂ】
2021533690.tif 000019
【図５】
2021533690.tif 000020
【図６】
2021533690.tif 000021
【図７】
2021533690.tif 000022
【図８Ａ】
2021533690.tif 000023
【図８Ｂ】
2021533690.tif 000024
【図９Ａ】
2021533690.tif 000025
【図９Ｂ】
2021533690.tif 000026
【図９Ｃ】
2021533690.tif 000027
【図９Ｄ】
2021533690.tif 000028
【図９Ｅ】
2021533690.tif 000029
【図１０Ａ】
2021533690.tif 000030
【図１０Ｂ】
2021533690.tif 000031
【図１０Ｃ】
2021533690.tif 000032
【図１０Ｄ】
2021533690.tif 000033
【図１１Ａ】
2021533690.tif 000034
【図１１Ｂ】
2021533690.tif 000035
【図１２】
2021533690.tif 000036
【図１３】
2021533690.tif 000037
【図１４】
2021533690.tif 000038
【図１５】
2021533690.tif 000039
【図１６】
2021533690.tif 000040
【図１７】
2021533690.tif 000041
【図１８Ａ】
2021533690.tif 000042
【図１８Ｂ】
2021533690.tif 000043
【図１９】
2021533690.tif 000044
【図２０】
2021533690.tif 000045
【図２１】
2021533690.tif 000046
【図２２】
2021533690.tif 000047
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
端末装置で使用するための通信方法であって、
前記端末装置により、アップリンクの第１パラメータ値を取得するステップと、
前記端末装置により、サイドリンクの第２パラメータ値を取得するステップと、
前記端末装置により、前記第１パラメータ値と前記第２パラメータ値との間の比較に基づき、アップリンク媒体アクセス制御プロトコルデータユニット又はサイドリンク媒体アクセス制御プロトコルデータユニットを送信するステップと、
を含み、
前記アップリンクは、前記端末装置からネットワーク装置への方向の無線通信リンクであり、前記サイドリンクは、前記端末装置と別の端末装置との間の無線直接送信リンクである、方法。
【請求項２】
前記第１パラメータ値に対応する優先度が、前記第２パラメータ値に対応する優先度より低い又は等しいとき、前記端末装置により、前記サイドリンク媒体アクセス制御プロトコルデータユニットを送信する、又は、
前記第１パラメータ値に対応する優先度が、前記第２パラメータ値に対応する優先度より高い又は等しいとき、前記端末装置により、前記アップリンク媒体アクセス制御プロトコルデータユニットを送信する、
請求項１に記載の方法。
【請求項３】
前記第１パラメータ値は、前記アップリンク媒体アクセス制御プロトコルデータユニットを運ぶ少なくとも１つの論理チャネルの論理チャネル優先度値の中で、最高優先度を有する論理チャネル優先度値である、請求項１又は２に記載の方法。
【請求項４】
前記第２パラメータ値は、前記サイドリンク媒体アクセス制御プロトコルデータユニットを運ぶ少なくとも１つの論理チャネルの論理チャネル優先度値の中で、最高優先度を有する論理チャネル優先度値である、請求項１又は２に記載の方法。
【請求項５】
前記第１パラメータ値は、少なくとも１つのパラメータ値の中で最高優先度を有するパラメータ値であり、前記少なくとも１つのパラメータ値と前記アップリンク媒体アクセス制御プロトコルデータユニットを運ぶ少なくとも１つの論理チャネルの優先度との間にはマッピング関係がある、請求項１又は２に記載の方法。
【請求項６】
前記第２パラメータ値は、以下：前記サイドリンク媒体アクセス制御プロトコルデータユニットの少なくとも１つのＰｒｏＳｅパケット毎優先度値の中で最高優先度を有するＰｒｏＳｅパケット毎優先度値、又は前記サイドリンク媒体アクセス制御プロトコルデータユニットの少なくとも１つのＰｒｏＳｅパケット毎信頼度値の中で最高優先度を有するＰｒｏＳｅパケット毎信頼度値、のいずれかを含む、請求項１又は２に記載の方法。
【請求項７】
前記端末装置により、第１パラメータ値を取得する前記ステップは、
前記端末装置により、前記ネットワーク装置から第１情報を受信するステップであって、前記第１情報は前記第１パラメータ値を含む、ステップ、又は、
前記端末装置により、前記端末装置に格納された前記第１パラメータ値を読み出すステップ、
を含む、請求項１〜６のいずれか一項に記載の方法。
【請求項８】
端末装置で使用するための通信方法であって、
前記端末装置により、アップリンクの第１パラメータ値を取得するステップと、
前記端末装置により、サイドリンクの第２パラメータ値を取得するステップと、
前記端末装置により、前記第１パラメータ値と前記第２パラメータ値との間の比較に基づき、サイドリンクバッファ状態レポート媒体アクセス制御制御要素の送信優先度とアップリンクバッファ状態レポート媒体アクセス制御制御要素の送信優先度との間の関係を決定するステップと、
を含み、
前記アップリンクは、前記端末装置からネットワーク装置への方向の無線通信リンクであり、前記サイドリンクは、前記端末装置と別の端末装置との間の無線直接送信リンクである、方法。
【請求項９】
前記第１パラメータ値に対応する優先度が前記第２パラメータ値に対応する優先度より低い又は等しいとき、前記端末装置により、前記サイドリンクバッファ状態レポート媒体アクセス制御制御要素の前記送信優先度は、前記アップリンクバッファ状態レポート媒体アクセス制御制御要素の前記送信優先度より高いと決定する、又は、
前記第１パラメータ値に対応する優先度が前記第２パラメータ値に対応する優先度より高い又は等しいとき、前記端末装置により、前記サイドリンクバッファ状態レポート媒体アクセス制御制御要素の前記送信優先度は、前記アップリンクバッファ状態レポート媒体アクセス制御制御要素の前記送信優先度より低いと決定する、
請求項８に記載の方法。
【請求項１０】
前記第１パラメータ値は、前記アップリンクバッファ状態レポート媒体アクセス制御制御要素をトリガする少なくとも１つの論理チャネルの論理チャネル優先度値の中で、最高優先度を有する論理チャネル優先度値である、請求項８又は９に記載の方法。
【請求項１１】
前記第２パラメータ値は、前記サイドリンクバッファ状態レポート媒体アクセス制御制御要素をトリガする少なくとも１つの論理チャネルの論理チャネル優先度値の中で最高優先度を有する論理チャネル優先度値である、請求項８又は９に記載の方法。
【請求項１２】
前記第１パラメータ値は、少なくとも１つのパラメータ値の中で最高優先度を有するパラメータ値であり、前記少なくとも１つのパラメータ値と前記サイドリンクバッファ状態レポート媒体アクセス制御制御要素をトリガする少なくとも１つの論理チャネルの論理チャネル優先度との間にはマッピング関係がある、請求項８又は９に記載の方法。
【請求項１３】
前記第２パラメータ値は、以下：前記サイドリンクバッファ状態レポート媒体アクセス制御制御要素をトリガする被送信サイドリンクデータの少なくとも１つのＰｒｏＳｅパケット毎優先度値の中で最高優先度を有するＰｒｏＳｅパケット毎優先度値、又は前記サイドリンクバッファ状態レポート媒体アクセス制御制御要素をトリガする被送信サイドリンクデータの少なくとも１つのＰｒｏＳｅパケット毎信頼度値の中で最高優先度を有するＰｒｏＳｅパケット毎信頼度値、のいずれかを含む、請求項８又は９に記載の方法。
【請求項１４】
前記端末装置により、第１パラメータ値を取得する前記ステップは、
前記端末装置により、前記ネットワーク装置から第１情報を受信するステップであって、前記第１情報は前記第１パラメータ値を含む、ステップ、又は、
前記端末装置により、前記端末装置に格納された前記第１パラメータ値を読み出すステップ、
を含む、請求項８〜１３のいずれか一項に記載の方法。
【請求項１５】
端末装置で使用するための通信方法であって、
前記端末装置により、最高送信優先度を有する、第１規格の第１リンクを決定するステップと、
前記端末装置により、最高送信優先度を有する、第２規格の第２リンクを決定するステップと、
前記端末装置により、前記第１リンク及び前記第２リンクの中で最高送信優先度を有する第３リンクを決定するステップと、
前記端末装置により、前記第３リンクを介してデータを送信するステップと、
を含む方法。
【請求項１６】
前記端末装置により、最高送信優先度を有する、第１規格の第１リンクを決定する前記ステップは、
前記端末装置により、前記第１規格のアップリンクの送信優先度が、前記第１規格のサイドリンクの送信優先度より高い又は等しいとき、前記第１規格の前記アップリンクを前記第１リンクとして決定するステップ、又は、
前記端末装置により、前記第１規格のアップリンクの送信優先度が前記第１規格の前記サイドリンクの送信優先度より低い又は等しいとき、前記第１規格のサイドリンクを前記第１リンクとして決定するステップと、
を含む、請求項１５に記載の方法。
【請求項１７】
前記端末装置により、最高送信優先度を有する、第２規格の第２リンクを決定する前記ステップは、
前記端末装置により、前記第２規格のアップリンクの送信優先度が、前記第２規格のサイドリンクの送信優先度より高い又は等しいとき、前記第２規格の前記アップリンクを前記第２リンクとして決定するステップ、又は、
前記端末装置により、前記第２規格のアップリンクの送信優先度が前記第２規格のサイドリンクの送信優先度より低い又は等しいとき、前記第２規格の前記サイドリンクを前記第２リンクとして決定するステップ、
を含む、請求項１５又は１６に記載の方法。
【請求項１８】
前記端末装置により、前記第１リンクの送信優先度が前記第２リンクの送信優先度より高い又は等しいとき、前記第１リンクを前記第３リンクとして決定するステップ、又は、
前記端末装置により、前記第１リンクの送信優先度が前記第２リンクの送信優先度より低い又は等しいとき、前記第２リンクを前記第３リンクとして決定するステップ、
を含む請求項１５〜１７のいずれか一項に記載の方法。
【請求項１９】
端末装置であって、
アップリンクの第１パラメータ値及びサイドリンクの第２パラメータ値を取得するよう構成される取得モジュールと、
前記第１パラメータ値と前記第２パラメータ値との間の比較に基づき、送信モジュールにアップリンク媒体アクセス制御プロトコルデータユニット又はサイドリンク媒体アクセス制御プロトコルデータユニットを送信させるよう構成される処理モジュールと、
を含み、
前記アップリンクは、前記端末装置からネットワーク装置への方向の無線通信リンクであり、前記サイドリンクは、前記端末装置と別の端末装置との間の無線直接送信リンクである、端末装置。
【請求項２０】
前記取得モジュールは、前記ネットワーク装置から第１情報を受信するよう更に構成され、前記第１情報は前記第１パラメータ値を含み、又は、
前記端末装置は、前記第１パラメータ値を格納するよう構成される記憶モジュールを更に含む、請求項１９に記載の端末装置。
【請求項２１】
前記処理モジュールは、前記第１パラメータ値に対応する優先度が、前記第２パラメータ値に対応する優先度より低い又は等しいとき、前記送信モジュールに、前記サイドリンク媒体アクセス制御プロトコルデータユニットを送信させるよう更に構成される、又は、
前記処理モジュールは、前記第１パラメータ値に対応する優先度が、前記第２パラメータ値に対応する優先度より高い又は等しいとき、前記送信モジュールに、前記アップリンク媒体アクセス制御プロトコルデータユニットを送信させるよう更に構成される、
請求項１９又は２０に記載の端末装置。
【請求項２２】
前記第１パラメータ値は、前記アップリンク媒体アクセス制御プロトコルデータユニットを運ぶ少なくとも１つの論理チャネルの論理チャネル優先度値の中で、最高優先度を有する論理チャネル優先度値である、請求項１９又は２０に記載の端末装置。
【請求項２３】
前記第２パラメータ値は、前記サイドリンク媒体アクセス制御プロトコルデータユニットを運ぶ少なくとも１つの論理チャネルの論理チャネル優先度値の中で、最高優先度を有する論理チャネル優先度値である、請求項１９又は２０に記載の端末装置。
【請求項２４】
前記第１パラメータ値は、少なくとも１つのパラメータ値の中で最高優先度を有するパラメータ値であり、前記少なくとも１つのパラメータ値と前記アップリンク媒体アクセス制御プロトコルデータユニットを運ぶ少なくとも１つの論理チャネルの優先度との間にはマッピング関係がある、請求項１９又は２０に記載の端末装置。
【請求項２５】
前記第２パラメータ値は、以下：前記サイドリンク媒体アクセス制御プロトコルデータユニットの少なくとも１つのＰｒｏＳｅパケット毎優先度値の中で最高優先度を有するＰｒｏＳｅパケット毎優先度値、又は前記サイドリンク媒体アクセス制御プロトコルデータユニットの少なくとも１つのＰｒｏＳｅパケット毎信頼度値の中で最高優先度を有するＰｒｏＳｅパケット毎信頼度値、のいずれかを含む、請求項１９又は２０に記載の端末装置。
【請求項２６】
端末装置であって、
アップリンクの第１パラメータ値及びサイドリンクの第２パラメータ値を取得するよう構成される取得モジュールと、
前記第１パラメータ値と前記第２パラメータ値との間の比較に基づき、サイドリンクバッファ状態レポート媒体アクセス制御制御要素の送信優先度とアップリンクバッファ状態レポート媒体アクセス制御制御要素の送信優先度との間の関係を決定するよう構成される処理モジュールと、
を含み、
前記アップリンクは、前記端末装置からネットワーク装置への方向の無線通信リンクであり、前記サイドリンクは、前記端末装置と別の端末装置との間の無線直接送信リンクである、端末装置。
【請求項２７】
前記取得モジュールは、前記ネットワーク装置から第１情報を受信するよう更に構成され、前記第１情報は前記第１パラメータ値を含み、又は、
前記端末装置は、前記第１パラメータ値を格納するよう構成される記憶モジュールを更に含む、請求項２６に記載の端末装置。
【請求項２８】
前記処理モジュールは、前記第１パラメータ値に対応する優先度が前記第２パラメータ値に対応する優先度より低い又は等しいとき、前記サイドリンクバッファ状態レポート媒体アクセス制御制御要素の前記送信優先度は、前記アップリンクバッファ状態レポート媒体アクセス制御制御要素の前記送信優先度より高いと決定するよう構成される、又は、
前記処理モジュールは、前記第１パラメータ値に対応する優先度が前記第２パラメータ値に対応する優先度より高い又は等しいとき、前記サイドリンクバッファ状態レポート媒体アクセス制御制御要素の前記送信優先度は、前記アップリンクバッファ状態レポート媒体アクセス制御制御要素の前記送信優先度より低いと決定するよう構成される、
請求項２６又は２７に記載の端末装置。
【請求項２９】
前記第１パラメータ値は、前記アップリンクバッファ状態レポート媒体アクセス制御制御要素をトリガする少なくとも１つの論理チャネルの論理チャネル優先度値の中で、最高優先度を有する論理チャネル優先度値である、請求項２６又は２７に記載の端末装置。
【請求項３０】
前記第２パラメータ値は、前記サイドリンクバッファ状態レポート媒体アクセス制御制御要素をトリガする少なくとも１つの論理チャネルの論理チャネル優先度値の中で最高優先度を有する論理チャネル優先度値である、請求項２６又は２７に記載の端末装置。
【請求項３１】
前記第１パラメータ値は、少なくとも１つのパラメータ値の中で最高優先度を有するパラメータ値であり、前記少なくとも１つのパラメータ値と前記サイドリンクバッファ状態レポート媒体アクセス制御制御要素をトリガする少なくとも１つの論理チャネルの論理チャネル優先度との間にはマッピング関係がある、請求項２６又は２７に記載の端末装置。
【請求項３２】
前記第２パラメータ値は、以下：前記サイドリンクバッファ状態レポート媒体アクセス制御制御要素をトリガする被送信サイドリンクデータの少なくとも１つのＰｒｏＳｅパケット毎優先度値の中で最高優先度を有するＰｒｏＳｅパケット毎優先度値、又は前記サイドリンクバッファ状態レポート媒体アクセス制御制御要素をトリガする被送信サイドリンクデータの少なくとも１つのＰｒｏＳｅパケット毎信頼度値の中で最高優先度を有するＰｒｏＳｅパケット毎信頼度値、のいずれかを含む、請求項２６又は２７に記載の端末装置。
【請求項３３】
端末装置であって、
最高送信優先度を有する、第１規格の第１リンクと、最高送信優先度を有する、第２規格の第２リンクと、を決定するよう構成される処理モジュールであって、前記処理モジュールは、前記第１リンク及び前記第２リンクの中で最高送信優先度を有する第３リンクを決定するよう更に構成される、処理モジュールと、
前記第３リンクを介してデータを送信するよう構成される送信モジュールと、
を含む端末装置。
【請求項３４】
前記処理モジュールが、前記最高送信優先度を有する、前記第１規格の前記第１リンクを決定することは、
前記処理モジュールが、前記第１規格のアップリンクの送信優先度が、前記第１規格のサイドリンクの送信優先度より高い又は等しいとき、前記第１規格の前記アップリンクを前記第１リンクとして決定するよう構成されること、又は、
前記処理モジュールが、前記第１規格のアップリンクの送信優先度が前記第１規格のサイドリンクの送信優先度より低い又は等しいとき、前記第１規格の前記サイドリンクを前記第１リンクとして決定するよう構成されること、
を含む、請求項３３に記載の端末装置。
【請求項３５】
前記処理モジュールが、前記最高送信優先度を有する、前記第２規格の前記第２リンクを決定することは、
前記処理モジュールが、前記第２規格のアップリンクの送信優先度が、前記第２規格のサイドリンクの送信優先度より高い又は等しいとき、前記第２規格の前記アップリンクを前記第２リンクとして決定するよう構成されること、又は、
前記処理モジュールが、前記第２規格のアップリンクの送信優先度が前記第２規格のサイドリンクの送信優先度より低い又は等しいとき、前記第２規格の前記サイドリンクを前記第２リンクとして決定するよう構成されること、
を含む、請求項３３又は３４に記載の端末装置。
【請求項３６】
前記処理モジュールは、前記第１リンクの送信優先度が前記第２リンクの送信優先度より高い又は等しいとき、前記第１リンクを前記第３リンクとして決定するよう構成される、又は、
前記処理モジュールは、前記第１リンクの送信優先度が前記第２リンクの送信優先度より低い又は等しいとき、前記第２リンクを前記第３リンクとして決定するよう構成される、
請求項３３〜３５のいずれか一項に記載の端末装置。
【請求項３７】
通信機器であって、前記通信機器は、
少なくとも１つのプロセッサであって、前記少なくとも１つのプロセッサにおいてプログラム命令が実行されて、請求項１〜１８のいずれか一項に記載の方法を実施する、少なくとも１つのプロセッサを含む通信機器。
【請求項３８】
システムチップであって、前記システムチップは、端末装置又はネットワーク装置において使用され、前記システムチップは、
少なくとも１つのプロセッサであって、前記少なくとも１つのプロセッサにおいてプログラム命令が実行されて、請求項１〜１８のいずれか一項に記載の方法を実施する、少なくとも１つのプロセッサを含むシステムチップ。
【請求項３９】
コンピュータ可読記憶媒体であって、前記コンピュータ可読記憶媒体は、端末装置又はネットワーク装置において使用され、前記コンピュータ可読記憶媒体はプログラム命令を格納し、前記プログラム命令が実行されると、請求項１〜１８のいずれか一項に記載の方法が実施される、コンピュータ可読記憶媒体。
【請求項４０】
コンピュータプログラムであって、前記コンピュータプログラムはプログラム命令を含み、前記プログラム命令が実行されると、請求項１〜１８のいずれか一項に記載の方法が実施される、コンピュータプログラム。
【手続補正２】
【補正対象書類名】明細書
【補正対象項目名】０００７
【補正方法】変更
【補正の内容】
【０００７】
更に、既存のメカニズムでは、Ｕｕインタフェース上のアップリンク論理チャネル上の被送信データ（Ｕｕ論理チャネルデータ、ＵｕＬＣＨデータ）の優先度は、サイドリンクバッファ状態レポート媒体アクセス制御制御要素（sidelink  buffer  status  report  media  access  control    element,  SL  BSR  MAC  CE）の優先度より低く、ＳＬ  ＢＳＲ  ＭＡＣ  ＣＥの優先度は、アップリンクバッファ状態レポート媒体アクセス制御制御要素（uplink  buffer  status  report  media  access  control    element,  UL  BSR  MAC  CE）の優先度より低い。この方法では、ＵｕＬＣＨデータ、ＳＬ  ＢＳＲ  ＭＡＣ  ＣＥ、及びＵＬ  ＢＳＲ  ＭＡＣ  ＣＥの優先度シーケンスは、現在のメカニズムにおける優先度シーケンスとして指定され、以下の問題が存在する：例えば、端末装置が、送信リソースを取得するために、端末装置の、ＳＬを介して送信されるべきサービスについて、バッファ状態（Buffer  status,  BS）情報を、ＳＬ  ＢＳＲ  ＭＡＣ  ＣＥを通じてネットワーク装置に報告する必要のあるとき、端末装置は、送信リソースを取得するために、端末装置の、ＵＬを介して送信されるべきアップリンクサービスについても、ＢＳ情報を、ＵＬ  ＢＳＲ  ＭＡＣ  ＣＥを通じてネットワーク装置に報告する必要がある。この場合、ＳＬを介して送信されるサービスが非常に高い優先度を有する場合でも、端末装置は、サービスのＢＳ情報が優先的にレポートされることを保証できない。別の例では、非常に高い優先度を有するサービス、例えばＵＲＬＬＣサービスが、ＵＬを介してネットワーク装置へ送信されるべきであり、バッファ状態（Buffer  status,  BS）情報が、送信リソースを取得するために、端末装置の、ＳＬを介して送信されるべきサービスについて、ＳＬ  ＢＳＲ  ＭＡＣ  ＣＥを通じてネットワーク装置へレポートされる必要のある場合、端末装置は、ＵＬを介して送信されるべき、非常に高い優先度を有するサービス、例えばＵＲＬＬＣサービスが、優先的に送信されることを保証できない。
【手続補正３】
【補正対象書類名】明細書
【補正対象項目名】００３４
【補正方法】変更
【補正の内容】
【００３４】
第３の態様を参照して、第３の態様の実現可能な設計では、第４パラメータ値は、被送信データの存在する少なくとも１つのアップリンク論理チャネルの優先度値の中で最高優先度を有する優先度値である。
【手続補正４】
【補正対象書類名】明細書
【補正対象項目名】００６６
【補正方法】変更
【補正の内容】
【００６６】
第１３の態様によると、本願は、以下を含む通信方法を提供する：第１端末装置は、ネットワーク装置から情報を受信する。情報は、優先度の優先度閾値を提供するために使用されてよく、優先度が優先度閾値より高いとき、第１通信装置は、アップリンク媒体アクセス制御プロトコルデータユニットの優先度をサイドリンクバッファ状態レポート媒体アクセス制御制御要素の優先度より高くなるよう調整し、その他の場合、第１通信装置は、アップリンク媒体アクセス制御プロトコルデータユニットの優先度をサイドリンクバッファ状態レポート媒体アクセス制御制御要素の優先度より低くなるよう調整し、ここで、アップリンクは、第１無線インタフェースに基づく通信リンクであり、サイドリンクは、第２無線インタフェースに基づく通信リンクであり、第１無線インタフェースは、第１端末装置とネットワーク装置との間の通信インタフェースであり、第２無線インタフェースは、第１端末装置と第２端末装置との間の通信インタフェースである。

【手続補正５】
【補正対象書類名】明細書
【補正対象項目名】００８５
【補正方法】変更
【補正の内容】
【００８５】
第１６の態様を参照して、第１６の態様の実現可能な設計では、第４パラメータ値は、被送信データの存在する少なくとも１つのアップリンク論理チャネルの優先度値の中で最高優先度を有する優先度値である。

【手続補正６】
【補正対象書類名】明細書
【補正対象項目名】０１２１
【補正方法】変更
【補正の内容】
【０１２１】
本願における端末装置は、通常、例えば、ネットワーク装置と通信する能力を有する装置であり、例えば、ユーザ機器（User  Equipment,  UE）、アクセス端末装置、加入者ユニット、加入者局、移動局、リモート局、リモート端末装置、モバイル装置、ユーザ端末装置、無線端末装置、ユーザエージェント、又はユーザ機器であってよい。端末装置は、代替として、セルラフォン、コードレス電話機、セッション開始プロトコル（Session  Initiation  Protocol,  SIP）電話機、無線ローカルループ（Wireless  Local  Loop,  WLL）局、パーソナルデジタルアシスタント（Personal  Digital  Assistant,  PDA）、無線通信機能を備えるハンドヘルド装置、コンピューティング装置、無線モデムに接続された別の処理装置、車載装置、ウェアラブル装置、将来の５Ｇネットワークにおける端末装置、将来の進化型公衆地上モバイルネットワーク（Public  Land  Mobile  Network,  PLMN）における端末装置、車車間／路車間通信における車両装置、等であってよい。端末装置の特定の実装形式は、本願の実施形態で限定されない。

【手続補正７】
【補正対象書類名】明細書
【補正対象項目名】０１３１
【補正方法】変更
【補正の内容】
【０１３１】
代替として、第１端末装置と第２端末装置との間の無線直接通信の処理は、ネットワーク装置により制御されなくてよい。例えば、端末装置は、ネットワーク装置のカバレッジ範囲内に存在し、ネットワーク装置は、システム情報ブロードキャスト（System  Information  Broadcast,  SIB）メッセージ又は専用無線リソース制御（Dedicated  Radio  Resource  Control,  Dedicated  RRC）シグナリングを通じて、端末装置のために端末装置のＳＬ通信リソースプールを構成する。データ送信端としてサービスする第１端末装置は、制御信号及びデータ信号を、データ受信端としてサービスする第２端末装置へ送信するために、端末装置のＳＬ通信リソースプールから、ＳＬ通信リソースを自律的に取得してよい。代替として、例えば、端末装置はネットワーク装置の通信カバレッジ範囲の外側に存在し、データ送信端としてサービスする第１端末装置は、制御信号及び／又はデータ信号を、データ受信端としてサービスする第２端末装置へ送信するために、予め構成された端末装置のＳＬ通信リソースプールから、サイドリンク通信リソースを自律的に取得する。例えば、第１端末装置は、制御信号及び／又はデータ信号を送信するために、端末装置のＳＬ通信リソースプールの中で適切なリソースを検索するためにチャネルのビジー／アイドル状態を検出する。任意的に、装置ベンダは、第１端末装置が工場から出荷される前に、端末装置のＳＬ通信リソースプールを、第１端末装置に格納してよい。代替として、ネットワーク装置は、第１端末装置がネットワークにアクセスするとき、端末装置のＳＬ通信リソースプールを取得する。このモードは第４モード（mode  ４）であってよい。

【手続補正８】
【補正対象書類名】明細書
【補正対象項目名】０１３８
【補正方法】変更
【補正の内容】
【０１３８】
図３Ａは、本願の一実施形態による通信方法３００ａの概略フローチャートである。以下は、具体的に、図３Ａを参照して、本発明の本実施形態における技術的ソリューションを説明する。例えば、図３Ａに対応する通信方法は以下のステップを含む。
【手続補正９】
【補正対象書類名】明細書
【補正対象項目名】０１５４
【補正方法】変更
【補正の内容】
【０１５４】
図３Ｂは、本願の一実施形態による通信方法３００ｂの概略フローチャートである。以下は、具体的に、図３Ｂを参照して、本発明の本実施形態における技術的ソリューションを説明する。例えば、図３Ｂに対応する通信方法は以下のステップを含む。
【手続補正１０】
【補正対象書類名】明細書
【補正対象項目名】０１６５
【補正方法】変更
【補正の内容】
【０１６５】
任意的に、第５パラメータ値が第４パラメータ値より小さい又は等しい場合、ＳＬ  ＭＡＣ  ＰＤＵが優先的に送信され、或いは、第５パラメータ値が第４パラメータ値より大きい場合、ＵＬ  ＭＡＣ  ＰＤＵが優先的に送信される。
【手続補正１１】
【補正対象書類名】明細書
【補正対象項目名】０１７０
【補正方法】変更
【補正の内容】
【０１７０】
図４Ａは、本願の一実施形態による通信方法４００ａの概略フローチャートである。以下は、具体的に、図４Ａを参照して、本願の本実施形態における技術的ソリューションを説明する。例えば、図４Ａに対応する通信方法は以下のステップを含む。
【手続補正１２】
【補正対象書類名】明細書
【補正対象項目名】０１８５
【補正方法】変更
【補正の内容】
【０１８５】
図４Ｂは、本願の一実施形態による通信方法４００ｂの概略フローチャートである。以下は、具体的に、図４Ｂを参照して、本発明の本実施形態における技術的ソリューションを説明する。例えば、図４Ｂに対応する通信方法は以下のステップを含む。
【手続補正１３】
【補正対象書類名】明細書
【補正対象項目名】０２００
【補正方法】変更
【補正の内容】
【０２００】
図５は、本願の一実施形態による通信方法５００の概略フローチャートである。以下は、具体的に、図５を参照して、本願の本実施形態における技術的ソリューションを説明する。例えば、図５に対応する通信方法は以下のステップを含む。
【手続補正１４】
【補正対象書類名】明細書
【補正対象項目名】０２０６
【補正方法】変更
【補正の内容】
【０２０６】
動作５０２。第１端末装置は、優先度シーケンステーブルに基づき、ＳＬ  ＭＡＣ  ＰＤＵの、最高優先度を有するＰＰＰＰ値の優先度と、ＵＬ  ＭＡＣ  ＰＤＵの、最高優先度を有する優先度レベル値との間の関係を決定する。ＰＰＰＰ値の優先度が優先度レベル値の優先度より高い場合、ＳＬ  ＭＡＣ  ＰＤＵが優先的に送信され、ＰＰＰＰ値の優先度が優先度レベル値の優先度より低い場合、ＵＬ  ＭＡＣ  ＰＤＵが送信され、又は、ＰＰＰＰ値の優先度が優先度レベル値の優先度と等しい場合、第１端末装置は、第１端末装置の実装に基づき、ＳＬ  ＭＡＣ  ＰＤＵ又はＵＬ  ＭＡＣ  ＰＤＵを送信することを決定してよい。例えば、ＳＬ  ＭＡＣ  ＰＤＵ又はＵＬ  ＭＡＣ  ＰＤＵが優先的に送信されるかは、ネットワーク装置により構成されるか、又は予め定義される。例えば、第１端末装置は、別の特別な条件に基づき、ＳＬ  ＭＡＣ  ＰＤＵ又はＵＬ  ＭＡＣ  ＰＤＵが優先的に送信されるかを決定する。例えば、ギャップ時間周波数リソースが送信のために使用される場合、ＳＬ  ＭＡＣ  ＰＤＵが送信され、その他の場合、ＵＬ  ＭＡＣ  ＰＤＵが送信される。
【手続補正１５】
【補正対象書類名】明細書
【補正対象項目名】０２１０
【補正方法】変更
【補正の内容】
【０２１０】
図６は、本願の一実施形態による通信方法６００の概略フローチャートである。以下は、具体的に、図６を参照して、本願の本実施形態における技術的ソリューションを説明する。例えば、図６に対応する通信方法は以下のステップを含む。
【手続補正１６】
【補正対象書類名】明細書
【補正対象項目名】０２１５
【補正方法】変更
【補正の内容】
【０２１５】
動作６０２。第１端末装置は、ＱｏＳパラメータテーブルに基づき、ＳＬ  ＭＡＣ  ＰＤＵの、最高優先度を有する優先度レベル（priority  level）値及びＵＬ  ＭＡＣ  ＰＤＵの、最高優先度を有する優先度レベル値に対応する優先度の間の関係を決定する。ＳＬ  ＭＡＣ  ＰＤＵの優先度レベル値に対応する優先度がＵＬ  ＭＡＣ  ＰＤＵの優先度レベル値に対応する優先度より高い場合、ＳＬ  ＭＡＣ  ＰＤＵが優先的に送信され、ＳＬ  ＭＡＣ  ＰＤＵの優先度レベル値に対応する優先度がＵＬ  ＭＡＣ  ＰＤＵの優先度レベル値に対応する優先度より低い場合、ＵＬ  ＭＡＣ  ＰＤＵが送信され、又は、ＳＬ  ＭＡＣ  ＰＤＵの優先度レベル値に対応する優先度がＵＬ  ＭＡＣ  ＰＤＵの優先度レベル値に対応する優先度と等しい場合、第１端末装置は、第１端末装置の実装に基づき、ＳＬ  ＭＡＣ  ＰＤＵ又はＵＬ  ＭＡＣ  ＰＤＵを送信することを決定してよい。例えば、ＳＬ  ＭＡＣ  ＰＤＵ又はＵＬ  ＭＡＣ  ＰＤＵが優先的に送信されるかは、ネットワーク装置により構成されるか、又は予め定義される。例えば、第１端末装置は、別の特別な条件に基づき、ＳＬ  ＭＡＣ  ＰＤＵ又はＵＬ  ＭＡＣ  ＰＤＵが優先的に送信されるかを決定する。例えば、ギャップ時間周波数リソースが送信のために使用される場合、ＳＬ  ＭＡＣ  ＰＤＵが送信され、その他の場合、ＵＬ  ＭＡＣ  ＰＤＵが送信される。
【手続補正１７】
【補正対象書類名】明細書
【補正対象項目名】０２２０
【補正方法】変更
【補正の内容】
【０２２０】
図７は、本願の一実施形態による通信方法の概略フローチャートである。以下は、具体的に、図７を参照して、本願の本実施形態における技術的ソリューションを説明する。例えば、図７に対応する通信方法７００は以下のステップを含む。
【手続補正１８】
【補正対象書類名】明細書
【補正対象項目名】０２２６
【補正方法】変更
【補正の内容】
【０２２６】
動作７０２。第１端末装置は、優先度シーケンスに基づき、ＳＬ  ＭＡＣ  ＰＤＵの、最高優先度を有する５ＱＩ値が、ＵＬ  ＭＡＣ  ＰＤＵの、最高優先度を有する５ＱＩ値より大きいか否かを決定する。ＳＬ  ＭＡＣ  ＰＤＵの５ＱＩ値がＵＬ  ＭＡＣ  ＰＤＵの５ＱＩ値より高い場合、ＳＬ  ＭＡＣ  ＰＤＵが送信され、ＳＬ  ＭＡＣ  ＰＤＵの５ＱＩ値がＵＬ  ＭＡＣ  ＰＤＵの５ＱＩ値より小さい又は等しい場合、ＵＬ  ＭＡＣ  ＰＤＵが送信され、又は、ＳＬ  ＭＡＣ  ＰＤＵの５ＱＩ値がＵＬ  ＭＡＣ  ＰＤＵの５ＱＩ値よりと等しい場合、第１端末装置は、第１端末装置の実装に基づき、ＳＬ  ＭＡＣ  ＰＤＵ又はＵＬ  ＭＡＣ  ＰＤＵを送信することを決定してよい。代替として、ＳＬ  ＭＡＣ  ＰＤＵ又はＵＬ  ＭＡＣ  ＰＤＵが優先的に送信されるかは、予め定義されるか又は予め構成される。代替として、ＳＬ  ＭＡＣ  ＰＤＵ又はＵＬ  ＭＡＣ  ＰＤＵが優先的に送信されるかは、別の特別な条件に基づき決定されてよい。例えば、ギャップ時間周波数リソースが送信のために使用される場合、ＳＬ  ＭＡＣ  ＰＤＵが送信され、その他の場合、ＵＬ  ＭＡＣ  ＰＤＵが送信される。
【手続補正１９】
【補正対象書類名】明細書
【補正対象項目名】０２３０
【補正方法】変更
【補正の内容】
【０２３０】
図８Ａは、本願の一実施形態による通信方法８００ａの概略フローチャートである。以下は、具体的に、図８Ａを参照して、本願の本実施形態における技術的ソリューションを説明する。例えば、図８Ａに対応する通信方法は以下のステップを含む。
【手続補正２０】
【補正対象書類名】明細書
【補正対象項目名】０２３９
【補正方法】変更
【補正の内容】
【０２３９】
任意的に、図８Ａにおいて、第１端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【手続補正２１】
【補正対象書類名】明細書
【補正対象項目名】０２４１
【補正方法】変更
【補正の内容】
【０２４１】
図８Ｂは、本願の一実施形態による通信方法８００ｂの概略フローチャートである。以下は、具体的に、図８Ｂを参照して、本発明の本実施形態における技術的ソリューションを説明する。例えば、図８Ｂに対応する通信方法は以下のステップを含む。
【手続補正２２】
【補正対象書類名】明細書
【補正対象項目名】０２５５
【補正方法】変更
【補正の内容】
【０２５５】
図９Ａは、本願の一実施形態による通信方法９００ａの概略フローチャートである。以下は、具体的に、図９Ａを参照して、本願の本実施形態における技術的ソリューションを説明する。例えば、図９Ａに対応する通信方法は以下のステップを含む。
【手続補正２３】
【補正対象書類名】明細書
【補正対象項目名】０２５９
【補正方法】変更
【補正の内容】
【０２５９】
任意的に、第２パラメータ値が第１パラメータ値より小さい又は等しい場合、ＳＬ  ＢＳＲ  ＭＡＣ  ＣＥの優先度は、ＵＬ  ＢＳＲ  ＭＡＣ  ＣＥの優先度より高くなるよう調整され、又は、第２パラメータ値が第１パラメータ値より大きい場合、ＳＬ  ＢＳＲ  ＭＡＣ  ＣＥの優先度は、ＵＬ  ＢＳＲ  ＭＡＣ  ＣＥの優先度より低くなるよう調整される。
【手続補正２４】
【補正対象書類名】明細書
【補正対象項目名】０２６７
【補正方法】変更
【補正の内容】
【０２６７】
図９Ｂは、本願の一実施形態による通信方法９００ｂの概略フローチャートである。以下は、具体的に、図９Ｂを参照して、本発明の本実施形態における技術的ソリューションを説明する。例えば、図９Ｂに対応する通信方法は以下のステップを含む。
【手続補正２５】
【補正対象書類名】明細書
【補正対象項目名】０２７５
【補正方法】変更
【補正の内容】
【０２７５】
図９Ｃは、本願の一実施形態による通信方法９００ｃの概略フローチャートである。以下は、具体的に、図９Ｃを参照して、本発明の本実施形態における技術的ソリューションを説明する。例えば、図９Ｃに対応する通信方法は以下のステップを含む。
【手続補正２６】
【補正対象書類名】明細書
【補正対象項目名】０２８６
【補正方法】変更
【補正の内容】
【０２８６】
図９Ｄは、本願の一実施形態による通信方法９００ｄの概略フローチャートである。以下は、具体的に、図９Ｄを参照して、本発明の本実施形態における技術的ソリューションを説明する。例えば、図９Ｄに対応する通信方法は以下のステップを含む。
【手続補正２７】
【補正対象書類名】明細書
【補正対象項目名】０２９７
【補正方法】変更
【補正の内容】
【０２９７】
図９Ｅは、本願の一実施形態による通信方法９００ｅの概略フローチャートである。以下は、具体的に、図９Ｅを参照して、本発明の本実施形態における技術的ソリューションを説明する。例えば、図９Ｅに対応する通信方法は以下のステップを含む。
【手続補正２８】
【補正対象書類名】明細書
【補正対象項目名】０３０１
【補正方法】変更
【補正の内容】
【０３０１】
任意的に、第２パラメータ値が第８パラメータ値より小さい又は等しい場合、ＳＬ  ＢＳＲ  ＭＡＣ  ＣＥの優先度は、ＵＬ  ＢＳＲ  ＭＡＣ  ＣＥの優先度より高くなるよう調整され、又は、第２パラメータ値が第８パラメータ値より大きい場合、ＳＬ  ＢＳＲ  ＭＡＣ  ＣＥの優先度は、ＵＬ  ＢＳＲ  ＭＡＣ  ＣＥの優先度より低くなるよう調整される。
【手続補正２９】
【補正対象書類名】明細書
【補正対象項目名】０３０５
【補正方法】変更
【補正の内容】
【０３０５】
任意的に、図９Ａ〜図９Ｅにおいて、第１端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【手続補正３０】
【補正対象書類名】明細書
【補正対象項目名】０３０７
【補正方法】変更
【補正の内容】
【０３０７】
図１０Ａは、本願の一実施形態による通信方法１０００ａの概略フローチャートである。以下は、具体的に、図１０Ａを参照して、本願の本実施形態における技術的ソリューションを説明する。例えば、図１０Ａに対応する通信方法は以下のステップを含む。
【手続補正３１】
【補正対象書類名】明細書
【補正対象項目名】０３１８
【補正方法】変更
【補正の内容】
【０３１８】
図１０Ｂは、本願の一実施形態による通信方法１０００ｂの概略フローチャートである。以下は、具体的に、図１０Ｂを参照して、本発明の本実施形態における技術的ソリューションを説明する。例えば、図１０Ｂに対応する通信方法は以下のステップを含む。
【手続補正３２】
【補正対象書類名】明細書
【補正対象項目名】０３２６
【補正方法】変更
【補正の内容】
【０３２６】
図１０Ｃは、本願の一実施形態による通信方法１０００ｃの概略フローチャートである。以下は、具体的に、図１０Ｃを参照して、本発明の本実施形態における技術的ソリューションを説明する。例えば、図１０Ｃに対応する通信方法は以下のステップを含む。
【手続補正３３】
【補正対象書類名】明細書
【補正対象項目名】０３３６
【補正方法】変更
【補正の内容】
【０３３６】
図１０Ｄは、本願の一実施形態による通信方法１０００ｄの概略フローチャートである。以下は、具体的に、図１０Ｄを参照して、本発明の本実施形態における技術的ソリューションを説明する。例えば、図１０Ｄに対応する通信方法は以下のステップを含む。
【手続補正３４】
【補正対象書類名】明細書
【補正対象項目名】０３４６
【補正方法】変更
【補正の内容】
【０３４６】
任意的に、図１０Ａ〜図１０Ｄにおいて、第１端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【手続補正３５】
【補正対象書類名】明細書
【補正対象項目名】０３４９
【補正方法】変更
【補正の内容】
【０３４９】
図１１Ａは、本願の一実施形態による通信方法１１００ａの概略フローチャートである。以下は、具体的に、図１１Ａを参照して、本願の本実施形態における技術的ソリューションを説明する。例えば、図１１Ａに対応する通信方法は以下のステップを含む。
【手続補正３６】
【補正対象書類名】明細書
【補正対象項目名】０３５６
【補正方法】変更
【補正の内容】
【０３５６】
図１１Ｂは、本願の一実施形態による通信方法１１００ｂの概略フローチャートである。以下は、具体的に、図１１Ｂを参照して、本発明の本実施形態における技術的ソリューションを説明する。例えば、図１１Ｂに対応する通信方法は以下のステップを含む。
【手続補正３７】
【補正対象書類名】明細書
【補正対象項目名】０３６５
【補正方法】変更
【補正の内容】
【０３６５】
任意的に、図１１Ａ及び図１１Ｂにおいて、第１端末装置は、車両装置であってよく、ネットワーク装置は基地局であってよい。第１車両装置は、第１端末装置を表すために使用されてよく、第２車両装置は、第２端末装置を表すために使用されてよく、基地局はネットワーク装置を表すために使用されてよい。
【手続補正３８】
【補正対象書類名】明細書
【補正対象項目名】０３６７
【補正方法】変更
【補正の内容】
【０３６７】
現在の技術では、Ｖ２Ｘモードで、端末装置は、リソースを検知することにより（sensing）及びリソース除外閾値を使用することにより、データを送信すべき適切なリソースを選択する。しかしながら、現在の技術では、ＰＰＰＰ値の影響だけが、リソース除外閾値のために考慮される。高信頼度サービスは、高信頼度サービスのより高い送信信頼性を保証するために、より良好なチャネル条件を有するリソースを使用することにより送信される必要がある。従って、異なる信頼性要件を有するサービスについて、リソース除外閾値の異なる処理方法が使用されるべきである。
【手続補正３９】
【補正対象書類名】明細書
【補正対象項目名】０３６８
【補正方法】変更
【補正の内容】
【０３６８】
図１２は、本願の一実施形態による通信方法１２００の概略フローチャートである。以下は、具体的に、図１２を参照して、本願の本実施形態における技術的ソリューションを説明する。例えば、図１２に対応する通信方法は以下のステップを含む。
【手続補正４０】
【補正対象書類名】明細書
【補正対象項目名】０３８５
【補正方法】変更
【補正の内容】
【０３８５】
図１３は、本願の一実施形態による通信方法１３００の概略フローチャートである。以下は、具体的に、図１３を参照して、本願の本実施形態における技術的ソリューションを説明する。例えば、図１３に対応する通信方法は以下のステップを含む。
【手続補正４１】
【補正対象書類名】明細書
【補正対象項目名】０３９０
【補正方法】変更
【補正の内容】
【０３９０】
任意的に、第３パラメータ値に対応する優先度が第９パラメータ値に対応する優先度より高い場合、第１規格ＳＬ  ＭＡＣ  ＰＤＵが優先的に送信され、或いは、第３パラメータ値に対応する優先度が第９パラメータ値に対応する優先度より低い又は等しい場合、第２規格ＳＬ  ＭＡＣ  ＰＤＵが優先的に送信される。
【手続補正４２】
【補正対象書類名】明細書
【補正対象項目名】０３９１
【補正方法】変更
【補正の内容】
【０３９１】
任意的に、第３パラメータ値に対応する優先度が第９パラメータ値に対応する優先度より高い又は等しい場合、第１規格ＳＬ  ＭＡＣ  ＰＤＵが優先的に送信され、或いは、第３パラメータ値に対応する優先度が第９パラメータ値に対応する優先度より低い場合、第２規格ＳＬ  ＭＡＣ  ＰＤＵが優先的に送信される。
【手続補正４３】
【補正対象書類名】明細書
【補正対象項目名】０３９２
【補正方法】変更
【補正の内容】
【０３９２】
任意的に、第３パラメータ値に対応する優先度が第９パラメータ値に対応する優先度より高い場合、第２規格ＳＬ  ＭＡＣ  ＰＤＵの送信優先度は第１規格ＳＬ  ＭＡＣ  ＰＤＵの送信優先度より低く、第１規格ＳＬ  ＭＡＣ  ＰＤＵが優先的に送信され、第３パラメータ値に対応する優先度が第９パラメータ値に対応する優先度より低い場合、第２規格ＳＬ  ＭＡＣ  ＰＤＵの送信優先度は第１規格ＳＬ  ＭＡＣ  ＰＤＵの送信優先度より高く、第２規格ＳＬ  ＭＡＣ  ＰＤＵが優先的に送信され、又は、第３パラメータ値に対応する優先度が第９パラメータ値に対応する優先度と等しい場合、第１端末装置は、第１端末装置の実装に基づき、第１規格ＳＬ  ＭＡＣ  ＰＤＵの送信優先度を第２規格ＳＬ  ＭＡＣ  ＰＤＵの送信優先度と比較してよい。例えば、第３パラメータ値に対応する優先度が第９パラメータ値に対応する優先度と等しい場合の第１規格ＳＬ  ＭＡＣ  ＰＤＵ及び第２規格ＳＬ  ＭＡＣ  ＰＤＵの送信優先度についてのルールは、第１端末装置が工場から出荷される前に、第１端末装置に予め定義される。例えば、第１端末装置がネットワークにアクセスできるとき、ネットワーク装置は、第１端末装置のために、第３パラメータ値に対応する優先度が第９パラメータ値に対応する優先度と等しい場合の第１規格ＳＬ  ＭＡＣ  ＰＤＵ及び第２規格ＳＬ  ＭＡＣ  ＰＤＵの送信優先度についてのルールを構成する。例えば、第１端末装置は、別の特別な条件に基づき、第１規格ＳＬ  ＭＡＣ  ＰＤＵの送信優先度を第２規格ＳＬ  ＭＡＣ  ＰＤＵの送信優先度と比較する。
【手続補正４４】
【補正対象書類名】明細書
【補正対象項目名】０３９４
【補正方法】変更
【補正の内容】
【０３９４】
図１４は、本願の一実施形態による通信方法１４００の概略フローチャートである。以下は、具体的に、図１４を参照して、本願の本実施形態における技術的ソリューションを説明する。例えば、図１４に対応する通信方法は以下のステップを含む。
【手続補正４５】
【補正対象書類名】明細書
【補正対象項目名】０３９８
【補正方法】変更
【補正の内容】
【０３９８】
例えば、優先度レベル値は、ＰＰＰＰ値と比較されてよい。例えば、優先度レベルマッピング値の値範囲は、ＰＰＰＰ値の値範囲と同じである。優先度レベル値と優先度レベルマッピング値との間の対応は、多対１対応であってよい。例えば、各優先度レベル値は、１つの優先度レベルマッピング値に対応し、異なる優先度レベル値が同じ優先度レベルマッピング値に対応してよい。例えば、優先度レベル値４の優先度レベルマッピング値は、ユニークに２に設定されてよい。例えば、優先度レベル値３の優先度レベルマッピング値も、ユニークに２に設定されてよい。例えば、優先度レベル値の範囲が１〜１１４であり、ＰＰＰＰ値の範囲が１〜８である場合、優先度レベル値、優先度レベルマッピング値、及びＰＰＰＰ値の間の対応は、表１０に示され得る。例えば、代替として、優先度レベルマッピング値について、優先度レベル値はＰＰＰＰ値に直接マッピングされてよく、表１０の第２列は省略されてよい。
表１０
【表１０】
2021533690.tif 000048
【手続補正４６】
【補正対象書類名】明細書
【補正対象項目名】０４００
【補正方法】変更
【補正の内容】
【０４００】
情報は、ネットワーク装置により、システム構成情報ブロック（System  information  block,  SIB）、残存最小システム情報（Remaining  Minimum  System  Information,  RMSI）、他のシステム情報（Other  System  Information,  OSI）、無線リソース制御（Radio  Resource  Control,  RRC）再構成メッセージ、ＲＲＣ構成メッセージ、又は媒体アクセス制御制御要素（Media  Access  Control  Control  Element,  MAC  CE）シグナリングを通じて、送信されてよい。任意的に、情報を運ぶＲＲＣ再構成メッセージは、表１０の優先度レベル値、優先度レベルマッピング値、及びＰＰＰＰ値の間の少なくとも１つの対応を運んでよい。
【手続補正４７】
【補正対象書類名】明細書
【補正対象項目名】０４０８
【補正方法】変更
【補正の内容】
【０４０８】
図１５は、本願の一実施形態による通信方法１５００の概略フローチャートである。以下は、具体的に、図１５を参照して、本願の本実施形態における技術的ソリューションを説明する。例えば、図１５に対応する通信方法は以下のステップを含む。
【手続補正４８】
【補正対象書類名】明細書
【補正対象項目名】０４１２
【補正方法】変更
【補正の内容】
【０４１２】
例えば、ＰＰＰＰマッピング値は、第２規格ＳＬ  ＭＡＣ  ＰＤＵの優先度レベル値と比較されてよい。例えば、ＰＰＰＰマッピング値の値範囲は、優先度レベル値の値範囲と同じである。ＰＰＰＰ値とＰＰＰＰマッピングレベル値との間の対応は、１対多対応であってよい。例えば、各ＰＰＰＰ値は、複数のＰＰＰＰマッピング値に対応してよく、異なるＰＰＰＰマッピング値が同じＰＰＰＰ値に対応してよい。例えば、各ＰＰＰＰ値は、代替として、１つのＰＰＰＰマッピング値に対応してよく、異なるＰＰＰＰマッピング値が同じＰＰＰＰ値に対応してよい。例えば、ＰＰＰＰ値が１である第１規格ＳＬ  ＭＡＣ  ＰＤＵのＰＰＰＰマッピング値は、１又は２に設定されてよい。例えば、ＰＰＰＰ値が４である第１規格ＳＬ  ＭＡＣ  ＰＤＵのＰＰＰＰマッピング値は、１５又は８に設定されてよい。例えば、ＰＰＰＰ値の範囲が１〜８に設定され、優先度レベル値の範囲が１〜１６に設定される場合、ＰＰＰＰ値、ＰＰＰＰマッピング値、及び優先度レベル値の間の対応は、表１１に示され得る。例えば、代替として、ＰＰＰＰマッピング値について、ＰＰＰＰ値は優先度レベル値に直接マッピングされてよく、表１１の第２列は省略されてよい。
表１１
【表１１】
2021533690.tif 000049
【手続補正４９】
【補正対象書類名】明細書
【補正対象項目名】０４１４
【補正方法】変更
【補正の内容】
【０４１４】
情報は、ネットワーク装置により、ＳＩＢ、ＲＭＳＩ、ＯＳＩ、ＲＲＣ再構成メッセージ、ＲＲＣ構成メッセージ、ＭＡＣ  ＣＥ、等を通じて送信されてよい。任意的に、情報を運ぶＲＲＣ再構成メッセージは、表１１のＰＰＰＰ値、ＰＰＰＰマッピング値、及び優先度レベル値の間の少なくとも１つの対応を運んでよい。
【手続補正５０】
【補正対象書類名】明細書
【補正対象項目名】０４２２
【補正方法】変更
【補正の内容】
【０４２２】
図１６は、本願の一実施形態による通信方法１６００の概略フローチャートである。以下は、具体的に、図１６を参照して、本願の本実施形態における技術的ソリューションを説明する。例えば、図１６に対応する通信方法は以下のステップを含む。
【手続補正５１】
【補正対象書類名】明細書
【補正対象項目名】０４３２
【補正方法】変更
【補正の内容】
【０４３２】
図１７は、本願の一実施形態による通信方法１７００の概略フローチャートである。以下は、具体的に、図１７を参照して、本願の本実施形態における技術的ソリューションを説明する。例えば、図１７に対応する通信方法は以下のステップを含む。
【手続補正５２】
【補正対象書類名】明細書
【補正対象項目名】０４４２
【補正方法】変更
【補正の内容】
【０４４２】
図１８Ａは、本願の一実施形態による通信方法１８００ａの概略フローチャートである。以下は、具体的に、図１８Ａを参照して、本願の本実施形態における技術的ソリューションを説明する。例えば、図１８Ａに対応する通信方法は以下のステップを含む。
【手続補正５３】
【補正対象書類名】明細書
【補正対象項目名】０４５１
【補正方法】変更
【補正の内容】
【０４５１】
図１８Ｂは、本願の一実施形態による通信方法１８００ｂの概略フローチャートである。以下は、具体的に、図１８Ｂを参照して、本発明の本実施形態における技術的ソリューションを説明する。例えば、図１８Ｂに対応する通信方法は以下のステップを含む。
【手続補正５４】
【補正対象書類名】明細書
【補正対象項目名】０４５７
【補正方法】変更
【補正の内容】
【０４５７】
例えば、以下は、本願の実施形態における図１９を参照して端末装置１９００の構造及び機能を具体的に説明する。図１９は、本願の一実施形態による端末装置１９００の概略ブロック図である。図１９に示すように、端末装置１９００は、少なくとも以下のモジュール：取得モジュール１９０２、処理モジュール１９０３、及び送信モジュール１９０４、を含み、任意的に記憶モジュール１９０１を含む。任意的に、取得モジュール１９０２は、ネットワーク装置から情報の任意の１つ以上のピース（例えば、第１情報及び第２情報）を受信するよう構成されてよい。取得モジュール１９０２は、関連情報の任意の１つ以上のピース（例えば、第１情報及び第２情報）から、本願の実施形態における方法３００ａ〜１８００ｂの中の第１パラメータ値〜第１２パラメータ値、優先度閾値、及びＰＰＰＰ値閾値のうちの任意の１つ以上を取得してよい。任意的に、記憶モジュール１９０１は、第１パラメータ値〜第１２パラメータ値、優先度閾値、及びＰＰＰＰ値閾値、のうちの少なくとも１つを格納するよう構成されてよい。取得モジュール１９０２は、第１パラメータ値〜第１２パラメータ値、優先度閾値、及びＰＰＰＰ値閾値、のうちの任意の１つ以上を、記憶モジュール１９０１から読み出す。
【手続補正５５】
【補正対象書類名】明細書
【補正対象項目名】０４７４
【補正方法】変更
【補正の内容】
【０４７４】
任意的に、ＳＬの送信パラメータは、以下：被送信ＳＬデータのＰｒｏＳｅパケット毎優先度、又は被送信ＳＬデータのＰｒｏＳｅパケット毎信頼度、のいずれかを含む。任意的に、第２パラメータ値は、以下：被送信ＳＬデータの少なくとも１つのＰｒｏＳｅパケット毎優先度値の中で最高優先度を有するＰｒｏＳｅパケット毎優先度値、又は被送信ＳＬデータの少なくとも１つのＰｒｏＳｅパケット毎信頼度値の中で最高優先度を有するＰｒｏＳｅパケット毎信頼度値、のいずれかを含む。任意的に、第４パラメータ値は、被送信データの存在する少なくとも１つのＵＬ論理チャネルの優先度値の中で最高優先度を有する優先度値である。
【手続補正５６】
【補正対象書類名】明細書
【補正対象項目名】０４８３
【補正方法】変更
【補正の内容】
【０４８３】
例えば、本願の一実施形態は、ネットワーク装置を更に提供する。ネットワーク装置２０００は、少なくとも以下のモジュール：送信モジュール２００１と、受信モジュール２００２とを含む。送信モジュール２００１は、第１端末装置へ情報を送信するよう構成されてよく、情報はＳＬの送信パラメータ閾値とＵＬの論理チャネルの優先度閾値とを含んでよい。任意的に、情報は、ＳＬの送信パラメータ値、及びＵＬの論理チャネルの優先度を更に含んでよい。ＵＬは、第１端末装置からネットワーク装置への方向の無線通信リンクであり、ＳＬは、第１端末装置と第２端末装置との間の無線送信リンクである。任意的に、情報は、ネットワーク装置により第１端末装置へ送信された無線リソース制御再構成メッセージ内で運ばれる。任意的に、ＳＬの送信パラメータは、以下：被送信ＳＬデータのＰｒｏＳｅパケット毎優先度、又は被送信ＳＬデータのＰｒｏＳｅパケット毎信頼度、のいずれかを含む。受信モジュール２００２は、ＵＬ  ＭＡＣ  ＰＤＵ、ＳＬ  ＭＡＣ  ＰＤＵ、ＳＬバッファ状態レポート媒体アクセス制御制御要素、又はＵＬバッファ状態レポート媒体アクセス制御制御要素、のうちの任意の１つを受信するよう構成されてよい。
【手続補正５７】
【補正対象書類名】明細書
【補正対象項目名】０４８５
【補正方法】変更
【補正の内容】
【０４８５】
同じ技術的概念に基づき、本願の実施形態は、前述の方法の実施形態における任意の第１端末装置又は任意のネットワーク装置により実行される機能を実施するよう構成され得る通信機器を更に提供する。以下は、本願の実施形態における図２１を参照して通信機器２１００の構造及び機能を具体的に説明する。図２１は、本願の一実施形態による通信機器２１００の概略ブロック図である。通信機器は、少なくとも１つのプロセッサ２１０１を含む。少なくとも１つのプロセッサ２１０１内でプログラム命令が実行されると、方法３００ａ〜１８００ｂの中で提供された通信方法／通信システムの任意の設計における第１端末装置又はネットワーク装置の機能が、実施される。任意的に、通信機器２１００は、少なくとも１つのメモリ２１０２を更に含んでよく、メモリ２１０２は、プログラム命令及び／又は必要なデータを格納するよう構成されてよい。簡略化のために、詳細はここで再び説明されない。任意的に、通信機器２１００は、トランシーバ機器２１０３を更に含んでよい。トランシーバ機器２１０３は、通信機器２１００と別の通信装置と（例えば、無線アクセスネットワーク装置又は端末装置、これはここで限定されない）の間で通信相互作用を実行するよう、例えば制御シグナリング及び／又はサービスデータを交換するよう構成されてよい。トランシーバ機器２１０３は、通信トランシーバ機能を有する回路を用いて実装されてよい。任意的に、図２１に示すように、通信機器２１００は、バス２０１４を更に含み、通信機器２１００内のコンポーネントは、バス２０１４を使用して相互接続されてよい。
【手続補正５８】
【補正対象書類名】図面
【補正対象項目名】図８Ａ
【補正方法】変更
【補正の内容】
【図８Ａ】
2021533690.tif 000050
【手続補正５９】
【補正対象書類名】図面
【補正対象項目名】図１１Ａ
【補正方法】変更
【補正の内容】
【図１１Ａ】
2021533690.tif 000051
【手続補正６０】
【補正対象書類名】図面
【補正対象項目名】図１１Ｂ
【補正方法】変更
【補正の内容】
【図１１Ｂ】
2021533690.tif 000052
【国際調査報告】
2021533690.tif 000053
2021533690.tif 000054
2021533690.tif 000055
2021533690.tif 000056
2021533690.tif 000057
2021533690.tif 000058